(57)【要約】      （修正有）【課題】シングルキャリア方式、及び／又は、マルチキャリア方式を用いた無線通信において、データの受信品質を向上させる。【解決手段】送信方法は、マッピングステップと信号処理ステップと送信ステップとを含む。マッピングステップでは、送信データ１０１から第１の変調信号１０５＿１と第２の変調信号１０５＿２とを生成する。ただし、第１の変調信号はＱＰＳＫ変調方式を用いて生成された信号であり、第２の変調信号は１６ＱＡＭ変調を用いて生成された信号である。信号処理ステップでは、第１の変調信号及び第２の変調信号から、所定の式を満たす第１の信号処理後の信号１０６＿Ａ及び第２の信号処理後の信号１０６＿Ｂを生成する。送信ステップでは、第１の信号処理後の信号及び第２の信号処理後の信号を複数のアンテナを用いて送信する。同じシンボル番号の第１の信号処理後の信号と第２の信号処理後の信号は、同一周波数で同時に送信される。【選択図】図１
2020080441.tif 000002
【特許請求の範囲】
【請求項１】
送信方法であって、
送信データから複数の第１の変調信号ｓ１（ｉ）と複数の第２の変調信号ｓ２（ｉ）とを生成し、ただし、ｉは０以上の整数であるシンボル番号であり、前記複数の第１の変調信号ｓ１（ｉ）はＱＰＳＫ変調方式を用いて生成された信号であり、前記複数の第２の変調信号ｓ２（ｉ）は１６ＱＡＭ変調を用いて生成された信号であり、
前記複数の第１の変調信号ｓ１（ｉ）及び前記複数の第２の変調信号ｓ２（ｉ）から、式（１）から式（４）を満たす複数の第１の信号処理後の信号ｚ１（ｉ）及び複数の第２の信号処理後の信号ｚ２（ｉ）を生成し、
【数１】
2020080441.tif 000057
α及びβは任意の実数または虚数であり、ｙ（ｉ）は周期Ｎで変化する位相変更の値であり、Ｎは２以上の整数であり、
前記複数の第１の信号処理後の信号ｚ１（ｉ）及び前記複数の第２の信号処理後の信号ｚ２（ｉ）を複数のアンテナを用いて送信し、同じシンボル番号の前記第１の信号処理後の信号と前記第２の信号処理後の信号は、同一周波数で同時に送信される、
送信方法。
【請求項２】
送信装置であって、
送信データから複数の第１の変調信号ｓ１（ｉ）と複数の第２の変調信号ｓ２（ｉ）とを生成し、ただし、ｉは０以上の整数であるシンボル番号であり、前記複数の第１の変調信号ｓ１（ｉ）はＱＰＳＫ変調方式を用いて生成された信号であり、前記複数の第２の変調信号ｓ２（ｉ）は１６ＱＡＭ変調を用いて生成された信号である、マッピング部と、
前記複数の第１の変調信号ｓ１（ｉ）及び前記複数の第２の変調信号ｓ２（ｉ）から、式（１）から式（４）を満たす複数の第１の信号処理後の信号ｚ１（ｉ）及び複数の第２の信号処理後の信号ｚ２（ｉ）を生成し、
【数２】
2020080441.tif 000058
α及びβは任意の実数または虚数であり、ｙ（ｉ）は周期Ｎで変化する位相変更の値であり、Ｎは２以上の整数である、信号処理部と、
前記複数の第１の信号処理後の信号ｚ１（ｉ）及び前記複数の第２の信号処理後の信号ｚ２（ｉ）を複数のアンテナを用いて送信し、同じシンボル番号の前記第１の信号処理後の信号と前記第２の信号処理後の信号は、同一周波数で同時に送信される、送信部と、
を備える送信方法。
【請求項３】
受信方法であって、
それぞれ異なるアンテナから送信された第１の送信信号と第２の送信信号を受信して得られる受信信号を取得し、
前記第１の送信信号及び前記第２の送信信号は、複数の第１の信号処理後の信号ｚ１（ｉ）及び複数の第２の信号処理後の信号ｚ２（ｉ）を複数のアンテナを用いて送信した信号であり、ただし、ｉは０以上の整数であるシンボル番号であり、同じシンボル番号の前記第１の信号処理後の信号と前記第２の信号処理後の信号は、同一周波数で同時に送信されており、
前記複数の第１の信号処理後の信号ｚ１（ｉ）及び前記複数の第２の信号処理後の信号ｚ２（ｉ）は、ＱＰＳＫ変調方式を用いて生成された複数の第１の変調信号ｓ１（ｉ）と１６ＱＡＭ変調を用いて生成された複数の第２の変調信号ｓ２（ｉ）から第１の信号処理を施して生成された信号であり、前記複数の第１の信号処理後の信号ｚ１（ｉ）及び前記複数の第２の信号処理後の信号ｚ２（ｉ）は、前記複数の第１の変調信号ｓ１（ｉ）及び前記複数の第２の変調信号ｓ２（ｉ）に対して式（１）から式（４）を満たし、
【数３】
2020080441.tif 000059
α及びβは任意の実数または虚数であり、ｙ（ｉ）は周期Ｎで変化する位相変更の値であり、Ｎは２以上の整数であり、
前記受信信号に対して、前記第１の信号処理に対応する第２の信号処理を施して復調する、
受信方法。
信方法。
【請求項４】
受信装置であって、
それぞれ異なるアンテナから送信された第１の送信信号と第２の送信信号を受信して得られる受信信号を取得し、
前記第１の送信信号及び前記第２の送信信号は、複数の第１の信号処理後の信号ｚ１（ｉ）及び複数の第２の信号処理後の信号ｚ２（ｉ）を複数のアンテナを用いて送信した信号であり、ただし、ｉは０以上の整数であるシンボル番号であり、同じシンボル番号の前記第１の信号処理後の信号と前記第２の信号処理後の信号は、同一周波数で同時に送信されており、
前記複数の第１の信号処理後の信号ｚ１（ｉ）及び前記複数の第２の信号処理後の信号ｚ２（ｉ）は、ＱＰＳＫ変調方式を用いて生成された複数の第１の変調信号ｓ１（ｉ）と１６ＱＡＭ変調を用いて生成された複数の第２の変調信号ｓ２（ｉ）から第１の信号処理を施して生成された信号であり、前記複数の第１の信号処理後の信号ｚ１（ｉ）及び前記複数の第２の信号処理後の信号ｚ２（ｉ）は、前記複数の第１の変調信号ｓ１（ｉ）及び前記複数の第２の変調信号ｓ２（ｉ）に対して式（１）から式（４）を満たし、
【数４】
2020080441.tif 000060
α及びβは任意の実数または虚数であり、ｙ（ｉ）は周期Ｎで変化する位相変更の値であり、Ｎは２以上の整数である、受信部と、
前記受信信号に対して、前記第１の信号処理に対応する第２の信号処理を施して復調する、復調部と、
を備える受信装置。
【発明の詳細な説明】
【技術分野】
【０００１】
送信方法、送信装置、受信方法、受信装置に関する。
【背景技術】
【０００２】
無線通信方式として、シングルキャリア方式とＯＦＤＭ（Orthogonal Frequency Division Multiplexing）方式などのマルチキャリア方式（例えば、非特許文献１参照）が検討されている。マルチキャリア方式は、周波数利用効率が高く大容量伝送に向くという利点がある。シングルキャリア方式は、ＦＦＴ（Fast Fourier Transform）／ＩＦＦＴ（Inverse FFT）などの信号処理が不要で低消費電力での実現に向くという利点がある。
【先行技術文献】
【非特許文献】
【０００３】
【非特許文献１】J. A. C. Bingham, "Multicarrier Modulation for Data Transmission: An Idea Whose Time Has Come", IEEE Communications Magazine, May 1990.
【発明の概要】
【発明が解決しようとする課題】
【０００４】
シングルキャリア方式、及び／又は、マルチキャリア方式を用いた無線通信において、データの受信品質を向上させるための技術が望まれている。
【課題を解決するための手段】
【０００５】
本開示の一態様に係る送信方法は、マッピングステップと信号処理ステップと送信ステップとを含む。マッピングステップでは、送信データから複数の第１の変調信号ｓ１（ｉ）と複数の第２の変調信号ｓ２（ｉ）とを生成する。ただし、ｉは０以上の整数であるシンボル番号であり、複数の第１の変調信号ｓ１（ｉ）はＱＰＳＫ変調方式を用いて生成された信号であり、複数の第２の変調信号ｓ２（ｉ）は１６ＱＡＭ変調を用いて生成された信号である。信号処理ステップでは、複数の第１の変調信号ｓ１（ｉ）及び複数の第２の変調信号ｓ２（ｉ）から、所定の式を満たす複数の第１の信号処理後の信号ｚ１（ｉ）及び複数の第２の信号処理後の信号ｚ２（ｉ）を生成する。送信ステップでは、複数の第１の信号処理後の信号ｚ１（ｉ）及び複数の第２の信号処理後の信号ｚ２（ｉ）を複数のアンテナを用いて送信する。同じシンボル番号の第１の信号処理後の信号と第２の信号処理後の信号は、同一周波数で同時に送信される。
【０００６】
本開示の一態様に係る送信装置は、マッピング部と信号処理部と送信太を備える。マッピング部は、送信データから複数の第１の変調信号ｓ１（ｉ）と複数の第２の変調信号ｓ２（ｉ）とを生成する。ただし、ｉは０以上の整数であるシンボル番号であり、複数の第１の変調信号ｓ１（ｉ）はＱＰＳＫ変調方式を用いて生成された信号であり、複数の第２の変調信号ｓ２（ｉ）は１６ＱＡＭ変調を用いて生成された信号である。信号処理部は、複数の第１の変調信号ｓ１（ｉ）及び複数の第２の変調信号ｓ２（ｉ）から、所定の式を満たす複数の第１の信号処理後の信号ｚ１（ｉ）及び複数の第２の信号処理後の信号ｚ２（ｉ）を生成する。送信部は、複数の第１の信号処理後の信号ｚ１（ｉ）及び複数の第２の信号処理後の信号ｚ２（ｉ）を複数のアンテナを用いて送信する。同じシンボル番号の第１の信号処理後の信号と第２の信号処理後の信号は、同一周波数で同時に送信される。
【０００７】
本開示の一態様に係る受信方法は、受信ステップと、復調ステップとを含む。受信ステップでは、それぞれ異なるアンテナから送信された第１の送信信号と第２の送信信号を受信して得られる受信信号を取得する。第１の送信信号及び第２の送信信号は、複数の第１の信号処理後の信号ｚ１（ｉ）及び複数の第２の信号処理後の信号ｚ２（ｉ）を複数のアンテナを用いて送信した信号である。ただし、ｉは０以上の整数であるシンボル番号であり、同じシンボル番号の第１の信号処理後の信号と第２の信号処理後の信号は、同一周波数で同時に送信されている。複数の第１の信号処理後の信号ｚ１（ｉ）及び複数の第２の信号処理後の信号ｚ２（ｉ）は、ＱＰＳＫ変調方式を用いて生成された複数の第１の変調信号ｓ１（ｉ）と１６ＱＡＭ変調を用いて生成された複数の第２の変調信号ｓ２（ｉ）から第１の信号処理を施して生成された信号である。複数の第１の信号処理後の信号ｚ１（ｉ）及び複数の第２の信号処理後の信号ｚ２（ｉ）は、複数の第１の変調信号ｓ１（ｉ）及び複数の第２の変調信号ｓ２（ｉ）に対して所定の式を満たす。復調ステップでは、受信信号に対して、第１の信号処理に対応する第２の信号処理を施して復調する。
【０００８】
本開示の一態様に係る受信装置は、受信部と復調部とを備える。受信部は、それぞれ異なるアンテナから送信された第１の送信信号と第２の送信信号を受信して得られる受信信号を取得する。第１の送信信号及び前記第２の送信信号は、複数の第１の信号処理後の信号ｚ１（ｉ）及び複数の第２の信号処理後の信号ｚ２（ｉ）を複数のアンテナを用いて送信した信号である。ただし、ｉは０以上の整数であるシンボル番号であり、同じシンボル番号の第１の信号処理後の信号と第２の信号処理後の信号は、同一周波数で同時に送信されている。複数の第１の信号処理後の信号ｚ１（ｉ）及び複数の第２の信号処理後の信号ｚ２（ｉ）は、ＱＰＳＫ変調方式を用いて生成された複数の第１の変調信号ｓ１（ｉ）と１６ＱＡＭ変調を用いて生成された複数の第２の変調信号ｓ２（ｉ）から第１の信号処理を施して生成された信号である。複数の第１の信号処理後の信号ｚ１（ｉ）及び複数の第２の信号処理後の信号ｚ２（ｉ）は、複数の第１の変調信号ｓ１（ｉ）及び複数の第２の変調信号ｓ２（ｉ）に対して所定の式を満たす。復調部は、受信信号に対して、第１の信号処理に対応する第２の信号処理を施して復調する。
【発明の効果】
【０００９】
本開示によると、シングルキャリア方式、及び／又は、マルチキャリア方式を用いた無線通信において、データの受信品質を向上させることができる可能性がある。
【図面の簡単な説明】
【００１０】
【図１】送信装置の構成の一例を示す図。
【図２】送信装置の信号処理部の構成の一例を示す図。
【図３】送信装置の信号処理部の構成の一例を示す図。
【図４】ＡＷＧＮ環境での各ＳＮＲにおけるキャパシティを示す図。
【図５】送信装置の無線部の構成の一例を示す図。
【図６】送信信号のフレーム構成の一例を示す図。
【図７】送信信号のフレーム構成の一例を示す図。
【図８】制御情報の生成に関する部分の構成の一例を示す図。
【図９】送信装置のアンテナ部の構成の一例を示す図。
【図１０】送信信号のフレーム構成の一例を示す図。
【図１１】送信信号のフレーム構成の一例を示す図。
【図１２】時間軸に対するシンボルの配置方法の一例を示す図。
【図１３】周波数軸に対するシンボルの配置方法の一例を示す図。
【図１４】時間・周波数軸に対するシンボルの配置方法の一例を示す図。
【図１５】時間軸に対するシンボルの配置方法の一例を示す図。
【図１６】周波数軸に対するシンボルの配置方法の一例を示す図。
【図１７】時間・周波数軸に対するシンボルの配置方法の一例を示す図。
【図１８】送信装置の無線部の構成の一例を示す図。
【図１９】受信装置の構成の一例を示す図。
【図２０】送信装置と受信装置の関係の一例を示す図。
【図２１】受信装置のアンテナ部の構成の一例を示す図。
【図２２】送信装置の構成の一例を示す図。
【図２３】送信装置の信号処理部の構成の一例を示す図。
【発明を実施するための形態】
【００１１】
（実施の形態１）
本実施の形態の送信方法、送信装置、受信方法、受信装置について詳しく説明する。
図１に、本実施の形態における例えば、基地局、アクセスポイント、放送局等の送信装置の構成の一例を示す。誤り訂正符号化１０２は、データ１０１および制御信号１００を入力とし、制御信号１００に含まれる誤り訂正符号に関する情報（例えば、誤り訂正符号の情報、符号長（ブロック長）、符号化率）に基づき、誤り訂正符号化を行い、符号化データ１０３を出力する。なお、誤り訂正符号化部１０２は、インタリーバを具備していてもよく、インタリーバを具備していた場合、符号化後にデータの並び替えを行い、符号化データ１０３を出力してもよい。
【００１２】
マッピング部１０４は、符号化データ１０３、制御信号１００を入力とし、制御信号１００に含まれる変調信号の情報に基づき、変調方式に対応するマッピングを行い、マッピング後の信号（ベースバンド信号）１０５＿１、および、マッピング後の信号（ベースバンド信号）１０５＿２を出力する。なお、マッピング部１０４は、第１の系列を用いて、マッピング後の信号１０５＿１を生成し、第２の系列を用いて、マッピング後の信号１０５＿２を生成する。このとき、第１の系列と第２の系列は異なるものとする。
【００１３】
信号処理部１０６は、マッピング後の信号１０５＿１、１０５＿２、信号群１１０、制御信号１００を入力とし、制御信号１００に基づいて、信号処理を行い、信号処理後の信号１０６＿Ａ、１０６＿Ｂを出力する。このとき、信号処理後の信号１０６＿Ａをｕ１（ｉ）、信号処理後の信号１０６＿Ｂをｕ２（ｉ）とあらわす（ｉはシンボル番号であり、例えば、ｉは０以上の整数とする。）。なお、信号処理については、図２を用いて、後で説明する。
【００１４】
無線部１０７＿Ａは、信号処理後の信号１０６＿Ａ、制御信号１００を入力とし、制御信号１００に基づき、信号処理後の信号１０６＿Ａに対し、処理を施し、送信信号１０８＿Ａを出力する。そして、送信信号１０８＿Ａは、アンテナ部＃Ａ（１０９＿Ａ）から電波として出力される。
同様に、無線部１０７＿Ｂは、信号処理後の信号１０６＿Ｂ、制御信号１００を入力とし、制御信号１００に基づき、信号処理後の信号１０６＿Ｂに対し、処理を施し、送信信号１０８＿Ｂを出力する。そして、送信信号１０８＿Ｂは、アンテナ部＃Ｂ（１０９＿Ｂ）から電波として出力される。
【００１５】
アンテナ部＃Ａ（１０９＿Ａ）は、制御信号１００を入力としている。このとき、制御信号１００に基づいて、送信信号１０８＿Ａに対し処理を施し、電波として出力する。ただし、アンテナ部＃Ａ（１０９＿Ａ）は、制御信号１００を入力としなくてもよい。
同様に、アンテナ部＃Ｂ（１０９＿Ｂ）は、制御信号１００を入力としている。このとき、制御信号１００に基づいて、送信信号１０８＿Ｂに対し処理を施し、電波を出力する。ただし、アンテナ部＃Ｂ（１０９＿Ｂ）は、制御信号１００を入力としなくてもよい。
【００１６】
なお、制御信号１００は、図１の通信相手である装置が送信した情報に基づいて生成されたものであってもよいし、図１の装置は入力部を具備し、その入力部から入力された情報に基づいて生成されたものであってもよい。
図２は、図１における信号処理部１０６の構成の一例を示している。重み付け合成部（プリコーディング部）２０３はマッピング後の信号２０１Ａ（図１のマッピング後の信号１０５＿１に相当する）、および、マッピング後の信号２０１Ｂ（図１のマッピング後の信号１０５＿２に相当する）、および、制御信号２００（図１の制御信号１００に相当する）を入力とし、制御信号２００に基づいて重み付け合成（プリコーディング）を行い、重み付け後の信号２０４Ａおよび重み付け後の信号２０４Ｂを出力する。このとき、マッピング後の信号２０１Ａをｓ１（ｔ）、マッピング後の信号２０１Ｂをｓ２（ｔ）、重み付け後の信号２０４Ａをｚ１（ｔ）、重み付け後の信号２０４Ｂをｚ２’（ｔ）とあらわす。なお、ｔは一例として、時間とする。（ｓ１（ｔ）、ｓ２（ｔ）、ｚ１（ｔ）、ｚ２’（ｔ）は複素数で定義されるものとする。（したがって、実数であってもよい））
重み付け合成部（プリコーディング部）２０３は、以下の演算を行うことになる。
【００１７】
【数１】
2020080441.tif 000003
式（１）において、ａ、ｂ、ｃ、ｄは複素数で定義でき、したがって、ａ、ｂ、ｃ、ｄは複素数で定義するものとする。（実数であってもよい）なお、ｉはシンボル番号とする。
【００１８】
そして、位相変更部２０５Ｂは、重み付け合成後の信号２０４Ｂ、および、制御信号２００を入力とし、制御信号２００に基づき、重み付け合成後の信号２０４Ｂに対し、位相変更を施し、位相変更後の信号２０６Ｂを出力する。なお、位相変更後の信号２０６Ｂをｚ２（ｔ）であらわし、ｚ２（ｔ）は複素数で定義するものとする。（実数であってもよい）
位相変更部２０５Ｂの具体的動作について説明する。位相変更部２０５Ｂでは、例えば、ｚ２’（ｉ）に対しｙ（ｉ）の位相変更を施すものとする。したがって、ｚ２（ｉ）＝ｙ（ｉ）×ｚ２’（ｉ）とあらわすことができる。（ｉはシンボル番号（ｉは０以上の整数とする））
例えば、位相変更の値を以下のように設定する。（Ｎは２以上の整数であり、Ｎは位相変更の周期となる。）（Ｎは３以上の奇数に設定するとデータの受信品質が向上する可能性がある。）
【００１９】
【数２】
2020080441.tif 000004
（ｊは虚数単位）ただし、式（２）は、あくまでも例であり、これに限ったものではない。そこで、位相変更値ｙ（ｉ）＝ｅj×δ(i)であらわすものとする。
このときｚ１（ｉ）およびｚ２（ｉ）は次式であらわすことができる。
【００２０】
【数３】
2020080441.tif 000005
なお、δ（ｉ）は実数である。そして、ｚ１（ｉ）とｚ２（ｉ）は、同一時間、同一周波数（同一周波数帯）で、送信装置から送信されることになる。
式（３）において、位相変更の値は、式（２）に限ったものではなく、例えば、周期的、規則的に位相を変更するような方法が考えられる。
【００２１】
式（１）および式（３）における（プリコーディング）行列
【００２２】
【数４】
2020080441.tif 000006
とする。例えば、行列Ｆは、以下のような行列を用いることが考えられる。
【００２３】
【数５】
2020080441.tif 000007
または、
【００２４】
【数６】
2020080441.tif 000008
または、
【００２５】
【数７】
2020080441.tif 000009
または、
【００２６】
【数８】
2020080441.tif 000010
または、
【００２７】
【数９】
2020080441.tif 000011
または、
【００２８】
【数１０】
2020080441.tif 000012
または、
【００２９】
【数１１】
2020080441.tif 000013
または、
【００３０】
【数１２】
2020080441.tif 000014
なお、式（５）、式（６）、式（７）、式（８）、式（９）、式（１０）、式（１１）、式（１２）において、αは実数であってもよいし、虚数であってもよく、βは実数であってもよいし、虚数であってもよい。ただし、αは０（ゼロ）ではない。そして、βも０（ゼロ）ではない。
【００３１】
または、
【００３２】
【数１３】
2020080441.tif 000015
または、
【００３３】
【数１４】
2020080441.tif 000016
または、
【００３４】
【数１５】
2020080441.tif 000017
または、
【００３５】
【数１６】
2020080441.tif 000018
または、
【００３６】
【数１７】
2020080441.tif 000019
または、
【００３７】
【数１８】
2020080441.tif 000020
または、
【００３８】
【数１９】
2020080441.tif 000021
または、
【００３９】
【数２０】
2020080441.tif 000022
または、
【００４０】
【数２１】
2020080441.tif 000023
または、
【００４１】
【数２２】
2020080441.tif 000024
または、
【００４２】
【数２３】
2020080441.tif 000025
または、
【００４３】
【数２４】
2020080441.tif 000026
または、
【００４４】
【数２５】
2020080441.tif 000027
または、
【００４５】
【数２６】
2020080441.tif 000028
または、
【００４６】
【数２７】
2020080441.tif 000029
または、
【００４７】
【数２８】
2020080441.tif 000030
または、
【００４８】
【数２９】
2020080441.tif 000031
または、
【００４９】
【数３０】
2020080441.tif 000032
または、
【００５０】
【数３１】
2020080441.tif 000033
または、
【００５１】
【数３２】
2020080441.tif 000034
ただし、θ11（ｉ）、θ21（ｉ）、λ（ｉ）はｉの（シンボル番号の）関数であり（実数）、λは例えば固定の値であり（実数）（固定値でなくてもよい）、αは実数であってもよいし、虚数であってもよく、βは実数であってもよいし、虚数であってもよい。ただし、αは０（ゼロ）ではない。そして、βも０（ゼロ）ではない。また、θ１１、θ２１は実数である。
【００５２】
また、これら以外のプリコーディング行列を用いても、本明細書の各実施の形態を実施することが可能である。
または、
【００５３】
【数３３】
2020080441.tif 000035
または、
【００５４】
【数３４】
2020080441.tif 000036
または、
【００５５】
【数３５】
2020080441.tif 000037
または、
【００５６】
【数３６】
2020080441.tif 000038
なお、式（３４）、式（３６）のβは実数であってもよいし、虚数であってもよい。ただし、βも０（ゼロ）ではない。また、プリコーディング行列が、式（３３）、式（３４）のようにあらわされた場合、図２における重み付け合成部２０３は、マッピング後の信号２０１Ａ、２０１Ｂに対し、信号処理を施さずに、マッピング後の信号２０１Ａを重み付け合成後の信号２０４Ａとして出力し、マッピング後の信号２０１Ｂを重み付け合成後の信号２０４Ｂとして出力することになる。つまり、重み付け合成部２０３が存在しなくてもよいし、重み付け合成部２０３が存在する場合、制御信号２００によって、重み付け合成を施すか、重み付け合成を行わないか、の制御を行ってもよい。
【００５７】
挿入部２０７Ａは、重み付け合成後の信号２０４Ａ、パイロットシンボル信号（ｐａ（ｔ））（ｔ：時間）（２５１Ａ）、プリアンブル信号２５２、制御情報シンボル信号２５３、制御信号２００を入力とし、制御信号２００に含まれるフレーム構成の情報に基づき、フレーム構成に基づいたベースバンド信号２０８Ａを出力する。
同様に、挿入部２０７Ｂは、位相変更後の信号２０６Ｂ、パイロットシンボル信号（ｐｂ（ｔ）（２５１Ｂ）、プリアンブル信号２５２、制御情報シンボル信号２５３、制御信号２００を入力とし、制御信号２００に含まれるフレーム構成の情報に基づき、フレーム構成に基づいたベースバンド信号２０８Ｂを出力する。
【００５８】
位相変更部２０９Ｂは、ベースバンド信号２０８Ｂ、および、制御信号２００を入力とし、ベースバンド信号２０８Ｂに対し、制御信号２００に基づいて、位相変更を行い、位相変更後の信号２１０Ｂを出力する。ベースバンド信号２０８Ｂをシンボル番号ｉ（ｉは０以上の整数とする）の関数とし、ｘ’（ｉ）とあらわすものとする。すると、位相変更後の信号２１０Ｂ（ｘ（ｉ））は、ｘ（ｉ）＝ｅj×ε(i)×ｘ’（ｉ）とあらわすことができる。（ｊは虚数単位）
なお、位相変更部２０９Ｂの動作としては、非特許文献２、非特許文献３で記載されているＣＤＤ（Cyclic Delay Diversity）（ＣＳＤ（Cyclic Shift Diversity））であってもよい。そして、位相変更部２０９Ｂの特徴としては、周波数軸方向に存在するシンボルに対し、位相変更を行う点である（データシンボル、パイロットシンボル、制御情報シンボルなどに対し位相変更を施す。）。
【００５９】
図２では、位相変更部２０９Ｂを挿入している図を記載しているが、位相変更部２０９Ｂが存在していなくてもよい。このとき、ベースバンド信号２０８Ａ、２０８Ｂが、図２の出力となる。（位相変更部２０９Ｂが動作しなくてもよい。）
図３は、図１における信号処理部１０６の構成の図２とは異なる例を示している。図３において、図２と同様に動作するものについては、同一番号を付している。なお、図２と同様に動作するものについては、ここでの説明を省略する。
【００６０】
係数乗算部３０１Ａは、マッピング後の信号２０１Ａ（ｓ１（ｉ））、および、制御信号２００を入力とし、制御信号２００に基づいて、マッピング後の信号２０１Ａ（ｓ１（ｉ））に係数を乗算し、係数乗算後の信号３０２Ａを出力する。なお、係数をｕとすると、係数乗算後の信号３０２Ａは、ｕ×ｓ１（ｉ）とあらわされる。（ｕは実数であってもよいし、複素数であってもよい。）ただし、ｕ＝１のとき、係数乗算部３０１Ａは、マッピング後の信号２０１Ａ（ｓ１（ｉ））に対して係数の乗算を行わず、マッピング後の信号２０１Ａ（ｓ１（ｉ））を係数乗算後の信号３０２Ａとして出力する。
【００６１】
同様に、係数乗算部３０１Ｂは、マッピング後の信号２０１Ｂ（ｓ２（ｉ））、および、制御信号２００を入力とし、制御信号２００に基づいて、マッピング後の信号２０１Ｂ（ｓ２（ｉ））に係数を乗算し、係数乗算後の信号３０２Ｂを出力する。なお、係数をｖとすると、係数乗算後の信号３０２Ｂは、ｖ×ｓ２（ｉ）とあらわされる。（ｖは実数であってもよいし、複素数であってもよい。）ただし、ｖ＝１のとき、係数乗算部３０１Ｂは、マッピング後の信号２０１Ｂ（ｓ２（ｉ））に対して係数の乗算を行わず、マッピング後の信号２０１Ｂ（ｓ２（ｉ））を係数乗算後の信号３０２Ｂとして出力する。
【００６２】
したがって、重み付け合成後の信号２０４Ａ（ｚ１（ｉ））、および、位相変更後の信号２０６Ｂ（ｚ２（ｉ））は、次式であらわすことができる。
【００６３】
【数３７】
2020080441.tif 000039
なお、（プリコーディング）行列Ｆの例については、前に説明したとおり（たとえば、式（５）から式（３６））であり、また、位相変更の値ｙ（ｉ）の例については、式（２）で示している、ただし、（プリコーディング）行列Ｆ、位相変更の値ｙ（ｉ）については、これらに限ったものではない。
【００６４】
次に、本発明の説明で使用する、「マッピング後の信号２０１Ａ（ｓ１（ｉ））の変調方式がＱＰＳＫ（Quadrature Phase Shift Keying）、マッピング後の信号２０１Ｂ（ｓ２（ｉ））の変調方式が１６ＱＡＭ（ＱＡＭ：Quadrature Amplitude Modulation）のときの、（プリコーディング）行列Ｆ、および、位相変更の値ｙ（ｉ）」について説明する。
【００６５】
なお、マッピング後の信号２０１Ａの平均（送信）電力とマッピング後の信号２０１Ｂの平均（送信）電力は等しいものとする。
このとき、式（３８）から式（４５）のようにして、重み付け合成後の信号２０４Ａ（ｚ１（ｉ））、および、位相変更後の信号２０６Ｂ（ｚ２（ｉ））を得ることで、図１の送信装置が送信する変調信号を受信する受信装置において、データの受信品質が向上するという効果を得ることができる。
【００６６】
【数３８】
2020080441.tif 000040
【００６７】
【数３９】
2020080441.tif 000041
【００６８】
【数４０】
2020080441.tif 000042
【００６９】
【数４１】
2020080441.tif 000043
【００７０】
【数４２】
2020080441.tif 000044
【００７１】
【数４３】
2020080441.tif 000045
【００７２】
【数４４】
2020080441.tif 000046
【００７３】
【数４５】
2020080441.tif 000047
なお、式（３８）から式（４５）において、αおよびβは、実数であってもよいし、虚数であってもよい。
式（３８）から式（４５）の特徴的な点について説明する。
【００７４】
式（３８）から式（４５）において、θをπ／４ラジアン（４５度）と定めている。係数乗算後の信号３０２Ａの平均（送信）電力と係数乗算後の信号３０２Ｂの平均（送信）電力は異なるが、「θをπ／４ラジアン（４５度）」とすることで、重み付け合成語の信号２０４Ａ（ｚ１（ｉ））の平均（送信）電力と位相変更後の信号２０６Ｂ（ｚ２（ｉ））の平均（送信）電力は等しくすることができ、送信規定上、「各アンテナから送信する変調信号の平均送信電力を一定」と定められいる場合、「θをπ／４ラジアン（４５度）」と設定する必要がある。なお、ここでは、「θをπ／４ラジアン（４５度）」としているが、「θは、π／４ラジアン（４５度）、（３×π）／４ラジアン（１３５度）、（５×π）／４ラジアン（２２５度）、（７×π）／４ラジアン（３１５度）のいずれかの値であればよい。」
また、係数ｕ、ｖを、式（３８）から式（４５）のように定めている。
【００７５】
なお、図１、図２、図３と式（１）から式（４５）を例とする方法で、シンボルを生成（例えば、ｚ１（ｉ）、ｚ２（ｉ））を説明した。このとき、生成したシンボルは、時間軸方向に配置してもよい。また、ＯＦＤＭ（Orthogonal Frequency Division Multiplexing）などのマルチキャリア方式を用いた場合、生成したシンボルを周波数軸方向に配置してもよいし、時間・周波数方向に配置してもよい。また、生成したシンボルに対し、インタリーブを施し（シンボルの並び替えを行い）、時間軸方向に配置してもよいし、周波数軸方向に配置してもよいし、時間・周波数軸方向に配置してもよい。ただし、同一のシンボル番号ｉのｚ１（ｉ）とｚ２（ｉ）は、同一時間、同一周波数（同一周波数帯）を用いて送信装置は送信することになる。
【００７６】
図４において、ＰQPSKはＱＰＳＫの平均（送信）電力、Ｐ16QAMは１６ＱＡＭの平均（送信）電力とし、横軸ＰQPSK／（ＰQPSK＋Ｐ16QAM）,縦軸キャパシティとしたときの各ＳＮＲ（Signal-to-Noise power Ratio）におけるキャパシティを示している。（なお、グラフにおけるチャネルモデルはＡＷＧＮ（Additive White Gaussian Noise）環境）この結果からわかるように、式（３８）から式（４５）のように設定することで、受信装置は、良好なデータの受信品質を得ることができるという効果を得ることができることになる。
【００７７】
図１の送信装置は、制御信号１００に含まれる送信方法の情報に基づき変調信号の送信方法を切り替えるものとする。図１の送信装置は、以下の送信方法を選択できるものとする。
送信方法＃１：
シングルストリームを送信する（ｓ１（ｉ）を送信する。）（ｓ１（ｉ）の）変調方式はＢＰＳＫ（Binary Phase Shift Keying）（または、π／２シフトＢＰＳＫ）とする。（ただし、シングルストリームの変調信号は、一つのアンテナを用いて送信してもよいし、複数のアンテナを用いて送信してもよい。）
送信方法＃２：
シングルストリームを送信する（ｓ１（ｉ）を送信する。）（ｓ１（ｉ）の）変調方式はＱＰＳＫ（Quadrature Phase Shift Keying）（または、π／２シフトＱＰＳＫ）とする。（ただし、シングルストリームの変調信号は、一つのアンテナを用いて送信してもよいし、複数のアンテナを用いて送信してもよい。）
送信方法＃３：
シングルストリームを送信する（ｓ１（ｉ）を送信する。）（ｓ１（ｉ）の）変調方式は１６ＱＡＭ（または、π／２シフト１６ＱＡＭ）（または、１６ＡＰＳＫ（ＡＰＳＫ：Amplitude Phase Shift Keying）などの同相Ｉ−直交Ｑ平面に１６個の信号点が存在する変調方式（シフトを施してもよい））とする。（ただし、シングルストリームの変調信号は、一つのアンテナを用いて送信してもよいし、複数のアンテナを用いて送信してもよい。）
送信方法＃４：
シングルストリームを送信する（ｓ１（ｉ）を送信する。）（ｓ１（ｉ）の）変調方式は６４ＱＡＭ（または、π／２シフト６４ＱＡＭ）（または、６４ＡＰＳＫ（ＡＰＳＫ：Amplitude Phase Shift Keying）などの同相Ｉ−直交Ｑ平面に６４個の信号点が存在する変調方式（シフトを施してもよい））とする。（ただし、シングルストリームの変調信号は、一つのアンテナを用いて送信してもよいし、複数のアンテナを用いて送信してもよい。）
送信方法＃５：
二つのストリームを送信する（ｓ１（ｉ）およびｓ２（ｉ）を送信する。）ｓ１（ｉ）の変調方式をＢＰＳＫ（または、π／２シフトＢＰＳＫ）とし、ｓ２（ｉ）の変調方式をＢＰＳＫ（または、π／２シフトＢＰＳＫ）とする。このとき、２つの変調信号を送信することになり、第１の変調信号を一つ以上のアンテナを用いて送信し、第２の変調信号を一つ以上のアンテナを用いて送信することになる。
【００７８】
送信方法＃６：
二つのストリームを送信する（ｓ１（ｉ）およびｓ２（ｉ）を送信する。）ｓ１（ｉ）の変調方式をＱＰＳＫ（または、π／２シフトＱＰＳＫ）とし、ｓ２（ｉ）の変調方式をＱＰＳＫ（または、π／２シフトＱＰＳＫ）とする。このとき、２つの変調信号を送信することになり、第１の変調信号を一つ以上のアンテナを用いて送信し、第２の変調信号を一つ以上のアンテナを用いて送信することになる。
【００７９】
送信方法＃７：
二つのストリームを送信する（ｓ１（ｉ）およびｓ２（ｉ）を送信する。）ｓ１（ｉ）の変調方式をＱＰＳＫ（または、π／２シフトＱＰＳＫ）とし、ｓ２（ｉ）の変調方式を１６ＱＡＭ（または、π／２シフト１６ＱＡＭ）（または、１６ＡＰＳＫなどの同相Ｉ−直交Ｑ平面に１６個の信号点が存在する変調方式（シフトを施してもよい））とする。このとき、２つの変調信号を送信することになり、第１の変調信号を一つ以上のアンテナを用いて送信し、第２の変調信号を一つ以上のアンテナを用いて送信することになる。
【００８０】
送信方法＃８：
二つのストリームを送信する（ｓ１（ｉ）およびｓ２（ｉ）を送信する。）ｓ１（ｉ）の変調方式を１６ＱＡＭ（または、π／２シフト１６ＱＡＭ）（または、１６ＡＰＳＫなどの同相Ｉ−直交Ｑ平面に１６個の信号点が存在する変調方式（シフトを施してもよい））とし、ｓ２（ｉ）の変調方式を１６ＱＡＭ（または、π／２シフト１６ＱＡＭ）（または、１６ＡＰＳＫなどの同相Ｉ−直交Ｑ平面に１６個の信号点が存在する変調方式（シフトを施してもよい））とする。このとき、２つの変調信号を送信することになり、第１の変調信号を一つ以上のアンテナを用いて送信し、第２の変調信号を一つ以上のアンテナを用いて送信することになる。
【００８１】
送信方法＃９：
二つのストリームを送信する（ｓ１（ｉ）およびｓ２（ｉ）を送信する。）ｓ１（ｉ）の変調方式を６４ＱＡＭ（または、π／２シフト６４ＱＡＭ）（または、１６ＡＰＳＫなどの同相Ｉ−直交Ｑ平面に６４個の信号点が存在する変調方式（シフトを施してもよい））とし、ｓ２（ｉ）の変調方式を６４ＱＡＭ（または、π／２シフト６４ＱＡＭ）（または、６４ＡＰＳＫなどの同相Ｉ−直交Ｑ平面に６４個の信号点が存在する変調方式（シフトを施してもよい））とする。このとき、２つの変調信号を送信することになり、第１の変調信号を一つ以上のアンテナを用いて送信し、第２の変調信号を一つ以上のアンテナを用いて送信することになる。
【００８２】
このとき、図２、図３に基づく、プリコーディング（重み付け合成）、および、位相変更を行うが（位相変更部２０５Ｂは、位相変更を行わなくてもよい。）、プリコーディング行列として、式（１３）から式（２０）のいずれかの（プリコーディング）行列を用いるものとする。ただし、式（１３）から式（２０）においてθは０ラジアン以上２πラジアン未満（０ラジアン≦θ＜２πラジアン）とする。
【００８３】
すると、以下を満たすことになる。
送信方法＃１：
送信信号の同相Ｉ−直交Ｑ平面における信号点の数は２。
送信方法＃２：
送信信号の同相Ｉ−直交Ｑ平面における信号点の数は４。
【００８４】
送信方法＃３：
送信信号の同相Ｉ−直交Ｑ平面における信号点の数は１６。
送信方法＃４：
送信信号の同相Ｉ−直交Ｑ平面における信号点の数は６４。
送信方法＃５：
送信信号の同相Ｉ−直交Ｑ平面における信号点の数は２以上４以下。ただし、式（１３）から式（２０）において、θ＝０ラジアンが成立するとき、送信信号の同相Ｉ−直交Ｑ平面における信号点の数は２となる。
【００８５】
送信方法＃６：
送信信号の同相Ｉ−直交Ｑ平面における信号点の数は４以上１６以下。ただし、式（１３）から式（２０）において、θ＝０ラジアンが成立するとき、送信信号の同相Ｉ−直交Ｑ平面における信号点の数は４となる。
送信方法＃７：
送信信号の同相Ｉ−直交Ｑ平面における信号点の数は４以上６４以下。ただし、式（１３）から式（２０）において、θ＝０ラジアンが成立するとき、第１の送信信号の同相Ｉ−直交Ｑ平面における信号点の数は４となり、第２の送信信号の同相Ｉ−直交Ｑ平面における信号点の数は１６となる。
【００８６】
送信方法＃８：
送信信号の同相Ｉ−直交Ｑ平面における信号点の数は１６以上２５６以下。ただし、式（１３）から式（２０）において、θ＝０ラジアンが成立するとき、送信信号の同相Ｉ−直交Ｑ平面における信号点の数は１６となる。
送信方法＃９：
送信信号の同相Ｉ−直交Ｑ平面における信号点の数は６４以上４０９６以下。ただし、式（１３）から式（２０）において、θ＝０ラジアンが成立するとき、送信信号の同相Ｉ−直交Ｑ平面における信号点の数は６４となる。
【００８７】
以上で述べたように、図１の送信装置がシングルストリームの変調信号を送信する際の最大の信号点数は６４となる。
ところで、図１の送信装置の無線部１０７＿Ａ、１０７＿Ｂが具備するＲＦ（Radio Frequency）部における位相雑音の影響、および、無線部１０７＿Ａ、１０７＿Ｂが具備する送信電力増幅器における非線形歪みの影響を考慮した場合、ＰＡＰＲ（Peak-to-Average Power Ratio）が小さい変調方式、および、位相雑音の影響が小さい信号点配置をもつ変調方式を採用することが望まれる。この点を考慮すると、送信信号（変調信号）に含まれる同相Ｉ−直交Ｑ平面における信号点の数を小さくすることが望まれる。上述のように、複数の送信方法を選択できるような送信装置の場合、同相Ｉ−直交Ｑ平面における信号点の数が最も多い送信方法における同相Ｉ−直交Ｑ平面における信号点の数を少なく抑えることで、送信装置において、ＲＦ部の位相雑音の影響を抑えることができ、また、送信電力増幅器における非線形歪みの影響を抑えることができるため、図１の送信装置が送信した変調信号を受信する受信装置において、データの受信品質が向上するという効果を得ることができる。また、ＲＦ部の位相雑音の影響が小さく、送信電力増幅器の非線形歪みの影響が小さいような変調信号を図１の送信装置が送信する場合、送信装置におけるＲＦ部、送信電力増幅器の回路規模を小さくすることができるという効果を得ることもできる。（変調方式ごとにＰＡＰＲが大きく変化すると、例えば、変調方式ごとにＲＦ部、送信電力増腹部を用意することになり、回路規模が増大する。）
前にの述べたように、図１の送信装置がシングルストリームの変調信号を送信する際の最大の信号点数は６４となる。したがって、図１の送信装置が二つのストリームの変調信号を送信する際の最大の信号点数を６４に抑えることができれば、上述で述べた効果を得ることができるということになる。
【００８８】
一方で、図１の送信装置が二つのストリームの変調信号を送信する際、ｓ１（ｉ）の信号を複数のアンテナで送信し、ｓ２（ｉ）の信号を複数のアンテナで送信すると、送信ダイバーシチの効果を得ることができるため、図１の送信装置が送信した変調信号を受信する受信装置は、データの受信品質が向上効果を得ることができる。しかし、この効果を得るためには、図１の送信装置が送信する変調信号がＲＦ部の位相雑音の影響、送信電力増幅器における非線形歪みの影響が小さいことが重要となる。
【００８９】
以上を踏まえ、第１の選択方法、または、第２の選択方法を考える。
第１の選択方法：
図１の送信装置は、制御信号１００に含まれる送信方法の情報に基づき変調信号の送信方法を切り替えるものとする。このとき、図１の送信装置は、以下の送信方法を選択できるものとする。
【００９０】
送信方法＃１−１：
シングルストリームを送信する（ｓ１（ｉ）を送信する。）（ｓ１（ｉ）の）変調方式はＢＰＳＫ（または、π／２シフトＢＰＳＫ）とする。（ただし、シングルストリームの変調信号は、一つのアンテナを用いて送信してもよいし、複数のアンテナを用いて送信してもよい。）
送信方法＃１−２：
シングルストリームを送信する（ｓ１（ｉ）を送信する。）（ｓ１（ｉ）の）変調方式はＱＰＳＫ（または、π／２シフトＱＰＳＫ）とする。（ただし、シングルストリームの変調信号は、一つのアンテナを用いて送信してもよいし、複数のアンテナを用いて送信してもよい。）
送信方法＃１−３：
シングルストリームを送信する（ｓ１（ｉ）を送信する。）（ｓ１（ｉ）の）変調方式は１６ＱＡＭ（または、π／２シフト１６ＱＡＭ）（または、１６ＡＰＳＫなどの同相Ｉ−直交Ｑ平面に１６個の信号点が存在する変調方式（シフトを施してもよい））とする。（ただし、シングルストリームの変調信号は、一つのアンテナを用いて送信してもよいし、複数のアンテナを用いて送信してもよい。）
送信方法＃１−４：
シングルストリームを送信する（ｓ１（ｉ）を送信する。）（ｓ１（ｉ）の）変調方式は６４ＱＡＭ（または、π／２シフト６４ＱＡＭ）（または、６４ＡＰＳＫなどの同相Ｉ−直交Ｑ平面に６４個の信号点が存在する変調方式（シフトを施してもよい））とする。（ただし、シングルストリームの変調信号は、一つのアンテナを用いて送信してもよいし、複数のアンテナを用いて送信してもよい。）
送信方法＃１−５：
二つのストリームを送信する（ｓ１（ｉ）およびｓ２（ｉ）を送信する。）ｓ１（ｉ）の変調方式をＢＰＳＫ（または、π／２シフトＢＰＳＫ）とし、ｓ２（ｉ）の変調方式をＢＰＳＫ（または、π／２シフトＢＰＳＫ）とする。このとき、２つの変調信号を送信することになり、第１の変調信号を一つ以上のアンテナを用いて送信し、第２の変調信号を一つ以上のアンテナを用いて送信することになる。そして、二つのストリームは、図２、図３に基づき、式（１３）から式（２０）のいずれかの（プリコーディング）行列を用い、プリコーディング（重み付け合成）が行われ、その後、（位相変更部２０５Ｂにより）位相変更が行われ、送信されることになる。（なお、位相変更は行われなくてもよく、（係数乗算部３０１Ａ、３０２Ａにより）係数乗算が行われることもある。）このとき、式（１３）から式（２０）では、θ≠０ラジアンとする（なお、θは０ラジアン以上２πラジアン未満（０ラジアン≦θ＜２πラジアン）とする。）
送信方法＃１−６：
二つのストリームを送信する（ｓ１（ｉ）およびｓ２（ｉ）を送信する。）ｓ１（ｉ）の変調方式をＱＰＳＫ（または、π／２シフトＱＰＳＫ）とし、ｓ２（ｉ）の変調方式をＱＰＳＫ（または、π／２シフトＱＰＳＫ）とする。このとき、２つの変調信号を送信することになり、第１の変調信号を一つ以上のアンテナを用いて送信し、第２の変調信号を一つ以上のアンテナを用いて送信することになる。そして、二つのストリームは、図２、図３に基づき、式（１３）から式（２０）のいずれかの（プリコーディング）行列を用い、プリコーディング（重み付け合成）が行われ、その後、（位相変更部２０５Ｂにより）位相変更が行われ、送信されることになる。（なお、位相変更は行われなくてもよく、（係数乗算部３０１Ａ、３０２Ａにより）係数乗算が行われることもある。）このとき、式（１３）から式（２０）では、θ≠０ラジアンとする（なお、θは０ラジアン以上２πラジアン未満（０ラジアン≦θ＜２πラジアン）とする。）
送信方法＃１−７：
二つのストリームを送信する（ｓ１（ｉ）およびｓ２（ｉ）を送信する。）ｓ１（ｉ）の変調方式をＱＰＳＫ（または、π／２シフトＱＰＳＫ）とし、ｓ２（ｉ）の変調方式を１６ＱＡＭ（または、π／２シフト１６ＱＡＭ）（または、１６ＡＰＳＫなどの同相Ｉ−直交Ｑ平面に１６個の信号点が存在する変調方式（シフトを施してもよい））とする。このとき、２つの変調信号を送信することになり、第１の変調信号を一つ以上のアンテナを用いて送信し、第２の変調信号を一つ以上のアンテナを用いて送信することになる。そして、二つのストリームは、図２、図３に基づき、式（１３）から式（２０）のいずれかの（プリコーディング）行列を用い、プリコーディング（重み付け合成）が行われ、その後、（位相変更部２０５Ｂにより）位相変更が行われ、送信されることになる。（なお、位相変更は行われなくてもよく、（係数乗算部３０１Ａ、３０２Ａにより）係数乗算が行われることもある。）このとき、式（１３）から式（２０）では、θ≠０ラジアンとする（なお、θは０ラジアン以上２πラジアン未満（０ラジアン≦θ＜２πラジアン）とする。）（θ＝π／４ラジアン（４５度）とすると、各アンテナから送信される変調信号の平均送信電力が等しくなる。）
送信方法＃１−８：
二つのストリームを送信する（ｓ１（ｉ）およびｓ２（ｉ）を送信する。）ｓ１（ｉ）の変調方式を１６ＱＡＭ（または、π／２シフト１６ＱＡＭ）（または、１６ＡＰＳＫなどの同相Ｉ−直交Ｑ平面に１６個の信号点が存在する変調方式（シフトを施してもよい））とし、ｓ２（ｉ）の変調方式を１６ＱＡＭ（または、π／２シフト１６ＱＡＭ）（または、１６ＡＰＳＫなどの同相Ｉ−直交Ｑ平面に１６個の信号点が存在する変調方式（シフトを施してもよい））とする。このとき、２つの変調信号を送信することになり、第１の変調信号を一つ以上のアンテナを用いて送信し、第２の変調信号を一つ以上のアンテナを用いて送信することになる。そして、二つのストリームは、図２、図３に基づき、式（１３）から式（２０）のいずれかの（プリコーディング）行列を用い、プリコーディング（重み付け合成）が行われ、その後、（位相変更部２０５Ｂにより）位相変更が行われ、送信されることになる。（なお、位相変更は行われなくてもよく、（係数乗算部３０１Ａ、３０２Ａにより）係数乗算が行われることもある。）このとき、式（１３）から式（２０）では、θ＝０ラジアンとする（なお、θは０ラジアン以上２πラジアン未満（０ラジアン≦θ＜２πラジアン）とする。）
送信方法＃１−９：
二つのストリームを送信する（ｓ１（ｉ）およびｓ２（ｉ）を送信する。）ｓ１（ｉ）の変調方式を６４ＱＡＭ（または、π／２シフト６４ＱＡＭ）（または、１６ＡＰＳＫなどの同相Ｉ−直交Ｑ平面に６４個の信号点が存在する変調方式（シフトを施してもよい））とし、ｓ２（ｉ）の変調方式を６４ＱＡＭ（または、π／２シフト６４ＱＡＭ）（または、６４ＡＰＳＫなどの同相Ｉ−直交Ｑ平面に６４個の信号点が存在する変調方式（シフトを施してもよい））とする。このとき、２つの変調信号を送信することになり、第１の変調信号を一つ以上のアンテナを用いて送信し、第２の変調信号を一つ以上のアンテナを用いて送信することになる。そして、二つのストリームは、図２、図３に基づき、式（１３）から式（２０）のいずれかの（プリコーディング）行列を用い、プリコーディング（重み付け合成）が行われ、その後、（位相変更部２０５Ｂにより）位相変更が行われ、送信されることになる。（なお、位相変更は行われなくてもよく、（係数乗算部３０１Ａ、３０２Ａにより）係数乗算が行われることもある。）このとき、式（１３）から式（２０）では、θ＝０ラジアンとする（なお、θは０ラジアン以上２πラジアン未満（０ラジアン≦θ＜２πラジアン）とする。）
なお、第１の選択方法では、送信方法＃１−１から送信方法＃１−９のすべての送信方法に対応していなくてもよい。例えば、第１の選択方法では、送信方法＃１−５、送信方法＃１−６、送信方法＃１−７の３つの送信方法のうち、一つ以上の送信方法に対応していればよい。そして、第１の送信方法では、送信方法＃１−８、送信方法＃１−９の２つの送信方法のうち、一つ以上の送信方法に対応していればよい。
【００９１】
また、第１の選択方法では、送信方法＃１−１に対応していなくてもよい。（第１の選択方法では、図１の送信装置の送信方法の選択候補に、送信方法＃１−１を含まない。）
第１の選択方法に、送信方法＃１−１から送信方法＃１−９以外の送信方法が含まれていてもよい。
このとき、以下を満たすことになる。
【００９２】
送信方法＃１−１：
送信信号の同相Ｉ−直交Ｑ平面における信号点の数は２．
送信方法＃１−２：
送信信号の同相Ｉ−直交Ｑ平面における信号点の数は４．
送信方法＃１−３：
送信信号の同相Ｉ−直交Ｑ平面における信号点の数は１６．
送信方法＃１−４：
送信信号の同相Ｉ−直交Ｑ平面における信号点の数は６４．
送信方法＃１−５：
送信信号の同相Ｉ−直交Ｑ平面における信号点の数は２より大きく４以下。送信ダイバーシチの効果を得ることが可能。
【００９３】
送信方法＃１−６：
送信信号の同相Ｉ−直交Ｑ平面における信号点の数は４より大きく１６以下。送信ダイバーシチの効果を得ることが可能。
送信方法＃１−７：
送信信号の同相Ｉ−直交Ｑ平面における信号点の数は４より大きく６４以下。送信ダイバーシチの効果を得ることが可能。
【００９４】
送信方法＃１−８：
送信信号の同相Ｉ−直交Ｑ平面における信号点の数は１６．
送信方法＃１−９：
送信信号の同相Ｉ−直交Ｑ平面における信号点の数は６４．
以上のような特徴があり、したがって、第１の選択方法とすることで、図１の送信装置において、ＲＦ部の位相雑音の影響、送信電力増幅器における非線形歪みの影響を小さくすることができ、また、送信方法＃１−５から送信方法＃１−７において、送信ダイバーシチの効果を得ることが可能となる。したがって、図１の送信装置が送信する変調信号を受信する受信装置において、データの受信品質が向上するという効果を得ることができる。
【００９５】
第２の選択方法：
送信方法＃２−１：
シングルストリームを送信する（ｓ１（ｉ）を送信する。）（ｓ１（ｉ）の）変調方式はＢＰＳＫ（または、π／２シフトＢＰＳＫ）とする。（ただし、シングルストリームの変調信号は、一つのアンテナを用いて送信してもよいし、複数のアンテナを用いて送信してもよい。）
送信方法＃２−２：
シングルストリームを送信する（ｓ１（ｉ）を送信する。）（ｓ１（ｉ）の）変調方式はＱＰＳＫ（または、π／２シフトＱＰＳＫ）とする。（ただし、シングルストリームの変調信号は、一つのアンテナを用いて送信してもよいし、複数のアンテナを用いて送信してもよい。）
送信方法＃２−３：
シングルストリームを送信する（ｓ１（ｉ）を送信する。）（ｓ１（ｉ）の）変調方式は１６ＱＡＭ（または、π／２シフト１６ＱＡＭ）（または、１６ＡＰＳＫなどの同相Ｉ−直交Ｑ平面に１６個の信号点が存在する変調方式（シフトを施してもよい））とする。（ただし、シングルストリームの変調信号は、一つのアンテナを用いて送信してもよいし、複数のアンテナを用いて送信してもよい。）
送信方法＃２−４：
シングルストリームを送信する（ｓ１（ｉ）を送信する。）（ｓ１（ｉ）の）変調方式は６４ＱＡＭ（または、π／２シフト６４ＱＡＭ）（または、６４ＡＰＳＫなどの同相Ｉ−直交Ｑ平面に６４個の信号点が存在する変調方式（シフトを施してもよい））とする。（ただし、シングルストリームの変調信号は、一つのアンテナを用いて送信してもよいし、複数のアンテナを用いて送信してもよい。）
送信方法＃２−５：
二つのストリームを送信する（ｓ１（ｉ）およびｓ２（ｉ）を送信する。）ｓ１（ｉ）の変調方式をＢＰＳＫ（または、π／２シフトＢＰＳＫ）とし、ｓ２（ｉ）の変調方式をＢＰＳＫ（または、π／２シフトＢＰＳＫ）とする。このとき、２つの変調信号を送信することになり、第１の変調信号を一つ以上のアンテナを用いて送信し、第２の変調信号を一つ以上のアンテナを用いて送信することになる。そして、二つのストリームは、図２、図３に基づき、式（１３）から式（２０）のいずれかの（プリコーディング）行列を用い、プリコーディング（重み付け合成）が行われ、その後、（位相変更部２０５Ｂにより）位相変更が行われ、送信されることになる。（なお、位相変更は行われなくてもよく、（係数乗算部３０１Ａ、３０２Ａにより）係数乗算が行われることもある。）
ここでのプリコーディングの処理について説明する。
【００９６】
図１の送信装置において、プリコーディングの処理のために、式（１３）から式（２０）のいずれかの式であらわされる複数のプリコーディング行列を用意する。例えば、プリコーディング行列として、Ｎ個（Ｎは２以上の整数とする）のプリコーディング行列を用意する。ここで、Ｎ個のプリコーディング行列を「第ｉ行列（ｉは１以上Ｎ以下の整数とする）」と名づける。（第ｉ行列は、式（１３）から式（２０）のいずれかの行列であらわされる。）
そして、図２、図３の重み付け合成部２０３は、制御信号２００に基づき、第１行列から第Ｎ行列のＮ個の行列から、制御信号２００で指定された、一つの行列を用い、プリコーディングを施すことになる。
【００９７】
なお、Ｎ個の行列の中には、「θ＝０とした式（１３）から式（２０）のいずれかを満たすプリコーディング行列」が、少なくとも一つ含まれており、また、Ｎ個の行列の中には、「θ≠０とした式（１３）から式（２０）のいずれかを満たすプリコーディング行列」が、少なくとも一つ含まれているものとする。
送信方法＃２−６：
二つのストリームを送信する（ｓ１（ｉ）およびｓ２（ｉ）を送信する。）ｓ１（ｉ）の変調方式をＱＰＳＫ（または、π／２シフトＱＰＳＫ）とし、ｓ２（ｉ）の変調方式をＱＰＳＫ（または、π／２シフトＱＰＳＫ）とする。このとき、２つの変調信号を送信することになり、第１の変調信号を一つ以上のアンテナを用いて送信し、第２の変調信号を一つ以上のアンテナを用いて送信することになる。そして、二つのストリームは、図２、図３に基づき、式（１３）から式（２０）のいずれかの（プリコーディング）行列を用い、プリコーディング（重み付け合成）が行われ、その後、（位相変更部２０５Ｂにより）位相変更が行われ、送信されることになる。（なお、位相変更は行われなくてもよく、（係数乗算部３０１Ａ、３０２Ａにより）係数乗算が行われることもある。）
ここでのプリコーディングの処理について説明する。
【００９８】
図１の送信装置において、プリコーディングの処理のために、式（１３）から式（２０）のいずれかの式であらわされる複数のプリコーディング行列を用意する。例えば、プリコーディング行列として、Ｎ個（Ｎは２以上の整数とする）のプリコーディング行列を用意する。ここで、Ｎ個のプリコーディング行列を「第ｉ行列（ｉは１以上Ｎ以下の整数とする）」と名づける。（第ｉ行列は、式（１３）から式（２０）のいずれかの行列であらわされる。）
そして、図２、図３の重み付け合成部２０３は、制御信号２００に基づき、第１行列から第Ｎ行列のＮ個の行列から、制御信号２００で指定された、一つの行列を用い、プリコーディングを施すことになる。
【００９９】
なお、Ｎ個の行列の中には、「θ＝０とした式（１３）から式（２０）のいずれかを満たすプリコーディング行列」が、少なくとも一つ含まれており、また、Ｎ個の行列の中には、「θ≠０とした式（１３）から式（２０）のいずれかを満たすプリコーディング行列」が、少なくとも一つ含まれているものとする。
送信方法＃２−７：
二つのストリームを送信する（ｓ１（ｉ）およびｓ２（ｉ）を送信する。）ｓ１（ｉ）の変調方式をＱＰＳＫ（または、π／２シフトＱＰＳＫ）とし、ｓ２（ｉ）の変調方式を１６ＱＡＭ（または、π／２シフト１６ＱＡＭ）（または、１６ＡＰＳＫなどの同相Ｉ−直交Ｑ平面に１６個の信号点が存在する変調方式（シフトを施してもよい））とする。このとき、２つの変調信号を送信することになり、第１の変調信号を一つ以上のアンテナを用いて送信し、第２の変調信号を一つ以上のアンテナを用いて送信することになる。そして、二つのストリームは、図２、図３に基づき、式（１３）から式（２０）のいずれかの（プリコーディング）行列を用い、プリコーディング（重み付け合成）が行われ、その後、（位相変更部２０５Ｂにより）位相変更が行われ、送信されることになる。（なお、位相変更は行われなくてもよく、（係数乗算部３０１Ａ、３０２Ａにより）係数乗算が行われることもある。）このとき、式（１３）から式（２０）では、θ≠０ラジアンとする（なお、θは０ラジアン以上２πラジアン未満（０ラジアン≦θ＜２πラジアン）とする。）（θ＝π／４ラジアン（４５度）とすると、各アンテナから送信される変調信号の平均送信電力が等しくなる。）
送信方法＃２−８：
二つのストリームを送信する（ｓ１（ｉ）およびｓ２（ｉ）を送信する。）ｓ１（ｉ）の変調方式を１６ＱＡＭ（または、π／２シフト１６ＱＡＭ）（または、１６ＡＰＳＫなどの同相Ｉ−直交Ｑ平面に１６個の信号点が存在する変調方式（シフトを施してもよい））とし、ｓ２（ｉ）の変調方式を１６ＱＡＭ（または、π／２シフト１６ＱＡＭ）（または、１６ＡＰＳＫなどの同相Ｉ−直交Ｑ平面に１６個の信号点が存在する変調方式（シフトを施してもよい））とする。このとき、２つの変調信号を送信することになり、第１の変調信号を一つ以上のアンテナを用いて送信し、第２の変調信号を一つ以上のアンテナを用いて送信することになる。そして、二つのストリームは、図２、図３に基づき、式（１３）から式（２０）のいずれかの（プリコーディング）行列を用い、プリコーディング（重み付け合成）が行われ、その後、（位相変更部２０５Ｂにより）位相変更が行われ、送信されることになる。（なお、位相変更は行われなくてもよく、（係数乗算部３０１Ａ、３０２Ａにより）係数乗算が行われることもある。）このとき、式（１３）から式（２０）では、θ＝０ラジアンとする（なお、θは０ラジアン以上２πラジアン未満（０ラジアン≦θ＜２πラジアン）とする。）
送信方法＃２−９：
二つのストリームを送信する（ｓ１（ｉ）およびｓ２（ｉ）を送信する。）ｓ１（ｉ）の変調方式を６４ＱＡＭ（または、π／２シフト６４ＱＡＭ）（または、１６ＡＰＳＫなどの同相Ｉ−直交Ｑ平面に６４個の信号点が存在する変調方式（シフトを施してもよい））とし、ｓ２（ｉ）の変調方式を６４ＱＡＭ（または、π／２シフト６４ＱＡＭ）（または、６４ＡＰＳＫなどの同相Ｉ−直交Ｑ平面に６４個の信号点が存在する変調方式（シフトを施してもよい））とする。このとき、２つの変調信号を送信することになり、第１の変調信号を一つ以上のアンテナを用いて送信し、第２の変調信号を一つ以上のアンテナを用いて送信することになる。そして、二つのストリームは、図２、図３に基づき、式（１３）から式（２０）のいずれかの（プリコーディング）行列を用い、プリコーディング（重み付け合成）が行われ、その後、（位相変更部２０５Ｂにより）位相変更が行われ、送信されることになる。（なお、位相変更は行われなくてもよく、（係数乗算部３０１Ａ、３０２Ａにより）係数乗算が行われることもある。）このとき、式（１３）から式（２０）では、θ＝０ラジアンとする（なお、θは０ラジアン以上２πラジアン未満（０ラジアン≦θ＜２πラジアン）とする。）
なお、第２の選択方法では、送信方法＃２−１から送信方法＃２−９のすべての送信方法に対応していなくてもよい。例えば、第２の選択方法では、送信方法＃２−５、送信方法＃２−６、送信方法＃２−７の３つの送信方法のうち、一つ以上の送信方法に対応していればよい。そして、第２の送信方法では、送信方法＃２−８、送信方法＃２−９の２つの送信方法のうち、一つ以上の送信方法に対応していればよい。
【０１００】
また、第２の選択方法では、送信方法＃２−１に対応していなくてもよい。（第２の選択方法では、図１の送信装置の送信方法の選択候補に、送信方法＃２−１を含まない。）
第２の選択方法に、送信方法＃２−１から送信方法＃２−９以外の送信方法が含まれていてもよい。
このとき、以下を満たすことになる。
【０１０１】
送信方法＃２−１：
送信信号の同相Ｉ−直交Ｑ平面における信号点の数は２．
送信方法＃２−２：
送信信号の同相Ｉ−直交Ｑ平面における信号点の数は４．
送信方法＃２−３：
送信信号の同相Ｉ−直交Ｑ平面における信号点の数は１６．
送信方法＃２−４：
送信信号の同相Ｉ−直交Ｑ平面における信号点の数は６４．
送信方法＃２−５：
送信信号の同相Ｉ−直交Ｑ平面における信号点の数は２以上４以下。送信ダイバーシチの効果を得ることが可能な場合が存在する。
【０１０２】
送信方法＃２−６：
送信信号の同相Ｉ−直交Ｑ平面における信号点の数は４以上１６以下。送信ダイバーシチの効果を得ることが可能な場合が存在する。
送信方法＃２−７：
送信信号の同相Ｉ−直交Ｑ平面における信号点の数は４より大きく６４以下。送信ダイバーシチの効果を得ることが可能。
【０１０３】
送信方法＃２−８：
送信信号の同相Ｉ−直交Ｑ平面における信号点の数は１６．
送信方法＃２−９：
送信信号の同相Ｉ−直交Ｑ平面における信号点の数は６４．
以上のような特徴があり、したがって、第２の選択方法とすることで、図１の送信装置において、ＲＦ部の位相雑音の影響、送信電力増幅器における非線形歪みの影響を小さくすることができ、また、送信方法＃２−５から送信方法＃２−７において、送信ダイバーシチの効果を得ることが可能となる場合がある。したがって、図１の送信装置が送信する変調信号を受信する受信装置において、データの受信品質が向上するという効果を得ることができる。
【０１０４】
また、第１の選択方法と第２の選択方法を組み合わせた、第３の選択方法であってもよい。
第３の選択方法：
図１の送信装置は、制御信号１００に含まれる送信方法の情報に基づき、変調信号の送信方法を切り替えるものとする。このとき、図１の送信方法は、以下の送信方法を選択できるものとする。
【０１０５】
送信方法＃３−１：
シングルストリームを送信する（ｓ１（ｉ）を送信する。）（ｓ１（ｉ）の）変調方式はＢＰＳＫ（または、π／２シフトＢＰＳＫ）とする。（ただし、シングルストリームの変調信号は、一つのアンテナを用いて送信してもよいし、複数のアンテナを用いて送信してもよい。）
送信方法＃３−２：
シングルストリームを送信する（ｓ１（ｉ）を送信する。）（ｓ１（ｉ）の）変調方式はＱＰＳＫ（または、π／２シフトＱＰＳＫ）とする。（ただし、シングルストリームの変調信号は、一つのアンテナを用いて送信してもよいし、複数のアンテナを用いて送信してもよい。）
送信方法＃３−３：
シングルストリームを送信する（ｓ１（ｉ）を送信する。）（ｓ１（ｉ）の）変調方式は１６ＱＡＭ（または、π／２シフト１６ＱＡＭ）（または、１６ＡＰＳＫなどの同相Ｉ−直交Ｑ平面に１６個の信号点が存在する変調方式（シフトを施してもよい））とする。（ただし、シングルストリームの変調信号は、一つのアンテナを用いて送信してもよいし、複数のアンテナを用いて送信してもよい。）
送信方法＃３−４：
シングルストリームを送信する（ｓ１（ｉ）を送信する。）（ｓ１（ｉ）の）変調方式は６４ＱＡＭ（または、π／２シフト６４ＱＡＭ）（または、６４ＡＰＳＫなどの同相Ｉ−直交Ｑ平面に６４個の信号点が存在する変調方式（シフトを施してもよい））とする。（ただし、シングルストリームの変調信号は、一つのアンテナを用いて送信してもよいし、複数のアンテナを用いて送信してもよい。）
送信方法＃３−５：
送信方法＃１−５、または、送信方法＃２−５のいずれかの送信方法。
【０１０６】
送信方法＃３−６：
送信方法＃１−６、または、送信方法＃２−６のいずれかの送信方法。
送信方法＃３−７：
二つのストリームを送信する（ｓ１（ｉ）およびｓ２（ｉ）を送信する。）ｓ１（ｉ）の変調方式をＱＰＳＫ（または、π／２シフトＱＰＳＫ）とし、ｓ２（ｉ）の変調方式を１６ＱＡＭ（または、π／２シフト１６ＱＡＭ）（または、１６ＡＰＳＫなどの同相Ｉ−直交Ｑ平面に１６個の信号点が存在する変調方式（シフトを施してもよい））とする。このとき、２つの変調信号を送信することになり、第１の変調信号を一つ以上のアンテナを用いて送信し、第２の変調信号を一つ以上のアンテナを用いて送信することになる。そして、二つのストリームは、図２、図３に基づき、式（１３）から式（２０）のいずれかの（プリコーディング）行列を用い、プリコーディング（重み付け合成）が行われ、その後、（位相変更部２０５Ｂにより）位相変更が行われ、送信されることになる。（なお、位相変更は行われなくてもよく、（係数乗算部３０１Ａ、３０２Ａにより）係数乗算が行われることもある。）このとき、式（１３）から式（２０）では、θ≠０ラジアンとする（なお、θは０ラジアン以上２πラジアン未満（０ラジアン≦θ＜２πラジアン）とする。）
送信方法＃３−８：
二つのストリームを送信する（ｓ１（ｉ）およびｓ２（ｉ）を送信する。）ｓ１（ｉ）の変調方式を１６ＱＡＭ（または、π／２シフト１６ＱＡＭ）（または、１６ＡＰＳＫなどの同相Ｉ−直交Ｑ平面に１６個の信号点が存在する変調方式（シフトを施してもよい））とし、ｓ２（ｉ）の変調方式を１６ＱＡＭ（または、π／２シフト１６ＱＡＭ）（または、１６ＡＰＳＫなどの同相Ｉ−直交Ｑ平面に１６個の信号点が存在する変調方式（シフトを施してもよい））とする。このとき、２つの変調信号を送信することになり、第１の変調信号を一つ以上のアンテナを用いて送信し、第２の変調信号を一つ以上のアンテナを用いて送信することになる。そして、二つのストリームは、図２、図３に基づき、式（１３）から式（２０）のいずれかの（プリコーディング）行列を用い、プリコーディング（重み付け合成）が行われ、その後、（位相変更部２０５Ｂにより）位相変更が行われ、送信されることになる。（なお、位相変更は行われなくてもよく、（係数乗算部３０１Ａ、３０２Ａにより）係数乗算が行われることもある。）このとき、式（１３）から式（２０）では、θ＝０ラジアンとする（なお、θは０ラジアン以上２πラジアン未満（０ラジアン≦θ＜２πラジアン）とする。）
送信方法＃３−９：
二つのストリームを送信する（ｓ１（ｉ）およびｓ２（ｉ）を送信する。）ｓ１（ｉ）の変調方式を６４ＱＡＭ（または、π／２シフト６４ＱＡＭ）（または、１６ＡＰＳＫなどの同相Ｉ−直交Ｑ平面に６４個の信号点が存在する変調方式（シフトを施してもよい））とし、ｓ２（ｉ）の変調方式を６４ＱＡＭ（または、π／２シフト６４ＱＡＭ）（または、６４ＡＰＳＫなどの同相Ｉ−直交Ｑ平面に６４個の信号点が存在する変調方式（シフトを施してもよい））とする。このとき、２つの変調信号を送信することになり、第１の変調信号を一つ以上のアンテナを用いて送信し、第２の変調信号を一つ以上のアンテナを用いて送信することになる。そして、二つのストリームは、図２、図３に基づき、式（１３）から式（２０）のいずれかの（プリコーディング）行列を用い、プリコーディング（重み付け合成）が行われ、その後、（位相変更部２０５Ｂにより）位相変更が行われ、送信されることになる。（なお、位相変更は行われなくてもよく、（係数乗算部３０１Ａ、３０２Ａにより）係数乗算が行われることもある。）このとき、式（１３）から式（２０）では、θ＝０ラジアンとする（なお、θは０ラジアン以上２πラジアン未満（０ラジアン≦θ＜２πラジアン）とする。）
なお、第３の選択方法では、送信方法＃３−１から送信方法＃３−９のすべての送信方法に対応していなくてもよい。例えば、第３の選択方法では、送信方法＃３−５、送信方法＃３−６、送信方法＃３−７の３つの送信方法のうち、一つ以上の送信方法に対応していればよい。そして、第３の送信方法では、送信方法＃３−８、送信方法＃３−９の２つの送信方法のうち、一つ以上の送信方法に対応していればよい。
【０１０７】
また、第３の選択方法では、送信方法＃３−１に対応していなくてもよい。（第３の選択方法では、図１の送信装置の送信方法の選択候補に、送信方法＃３−１を含まない。）
第３の選択方法に、送信方法＃３−１から送信方法＃３−９以外の送信方法が含まれていてもよい。
第３の選択方法とすることで、図１の送信装置において、ＲＦ部の位相雑音の影響、送信電力増幅器における非線形歪みの影響を小さくすることができ、また、送信方法＃３−５から送信方法＃３−７において、送信ダイバーシチの効果を得ることが可能となる場合がある。したがって、図１の送信装置が送信する変調信号を受信する受信装置において、データの受信品質が向上するという効果を得ることができる。
【０１０８】
図５は、図１の送信装置がＯＦＤＭ（Orthogonal Frequency Division Multiplexing）図１の無線部１０７＿Ａおよび１０７＿Ｂの構成の一例である。シリアルパラレル変換部５０２は、信号５０１、および、制御信号５００（図１の制御信号１００に相当する。）を入力とし、制御信号５００に基づき、シリアルパラレル変換を行い、シリアルパラレル変換後の信号５０３を出力する。
【０１０９】
逆フーリエ変換部５０４は、シリアルパラレル変換後の信号５０３、および、制御信号５００を入力とし、制御信号５００に基づいて、逆フーリエ変換（例えば、逆高速フーリエ変換（ＩＦＦＴ：Inverse Fast Fourier Transform））を施し、逆フーリエ変換後の信号５０５を出力する。
処理部５０６は、逆フーリエ変換後の信号５０５、制御信号５００を入力とし、制御信号５００に基づき、周波数変換、増幅等の処理を施し、変調信号５０７を出力する。
【０１１０】
（例えば、信号５０１を図１の信号処理後の信号１０６＿Ａとした場合、変調信号５０７は図１の送信信号１０８＿Ａに相当する。また、信号５０１を図１の信号処理後の信号１０６＿Ｂとした場合、変調信号５０７は図１の送信信号１０８＿Ｂに相当する。）
図６は、図１の送信信号１０８＿Ａのフレーム構成である。図６において、横軸周波数（キャリア）、縦軸時間である。ＯＦＤＭなどのマルチキャリア伝送方式を用いているため、キャリア方向にシンボルが存在していることになる。そして、図６では、キャリア１からキャリア３６のシンボルを示している。また、図６では、時刻＄１から時刻＄１１のシンボルを示している。
【０１１１】
図６の６０１はパイロットシンボル（図２、図３のパイロット信号２５１Ａ（ｐａ（ｔ）に相当する。））、６０２はデータシンボル、６０３はその他のシンボルを示している。このとき、パイロットシンボルは、例えば、ＰＳＫ（Phase Shift Keying）のシンボルであり、このフレームを受信する受信装置がチャネル推定（伝搬路変動の推定）、周波数オフセット・位相変動の推定を行うためのシンボルであり、例えば、図１の送信装置と、図６のフレームを受信する受信装置がパイロットシンボルの送信方法を共有しているとよい。
【０１１２】
ところで、マッピング後の信号２０１Ａ（図１のマッピング後の信号１０５＿１）を「ストリーム＃１」と名付け、マッピング後の信号２０１Ｂ（図１のマッピング後の信号１０５＿２）を「ストリーム＃２」と名付ける。なお、この点は、以降の説明でも同様であるものとする。
データシンボル６０２は、図２、図３による信号処理で生成したベースバンド信号２０８Ａに含まれるデータシンボルに相当するシンボルであり、したがって、データシンボル６０２は、「「ストリーム＃１」のシンボルと「ストリーム＃２」のシンボルの両者を含んだシンボル」、または、「「ストリーム＃１」のシンボル」、または、「「ストリーム＃２」のシンボル」のいずれかであり、これは、重み付け合成部２０３で使用するプリコーディング行列の構成によって決まることになる。（つまり、データシンボル６０２は、重み付け合成後の信号２０４Ａ（ｚ１（ｉ））に相当する。）
その他のシンボル６０３は、図２、図３におけるプリアンブル信号２５２、および、制御情報シンボル信号２５３に相当するシンボルであるものとする。（ただし、その他のシンボルが、プリアンブル、制御情報シンボル以外のシンボルを含んでいてもよい。）このとき、プリアンブルは、（制御用の）データを伝送してもよいし、信号検出のためシンボル、周波数同期・時間同期を行うためのシンボル、チャネル推定のためのシンボル（伝搬路変動の推定を行うためのシンボル）などで構成されていることになる。そして、制御情報シンボルは、図６のフレームを受信した受信装置が、データシンボルの復調・復号を実現するための制御情報を含んだシンボルとなる。
【０１１３】
例えば、図６における時刻＄１から時刻４のキャリア１からキャリア３６は、その他のシンボル６０３となる。そして、時刻＄５のキャリア１からキャリア１１はデータシンボル６０２となる。以降、時刻＄５のキャリア１２はパイロットシンボル６０１となり、時刻＄５のキャリア１３からキャリア２３はデータシンボル６０２となり、時刻＄５のキャリア２４はパイロットシンボル６０１となり、・・・、時刻＄６のキャリア１・キャリア２はデータシンボル６０２となり、時刻＄６のキャリア３はパイロットシンボル６０１となり、・・・、時刻＄１１のキャリア３０はパイロットシンボル６０１となり、時刻＄１１のキャリア３１からキャリア３６はデータシンボル６０２となる。
【０１１４】
図７は、図１の送信信号１０８＿Ｂのフレーム構成である。図７において、横軸周波数（キャリア）、縦軸時間である。ＯＦＤＭなどのマルチキャリア伝送方式を用いているため、キャリア方向にシンボルが存在していることになる。そして、図７では、キャリア１からキャリア３６のシンボルを示している。また、図７では、時刻＄１から時刻＄１１のシンボルを示している。
【０１１５】
図７の７０１はパイロットシンボル（図２、図３のパイロット信号２５１Ｂ（ｐｂ（ｔ）に相当する。））、７０２はデータシンボル、７０３はその他のシンボルを示している。このとき、パイロットシンボルは、例えば、ＰＳＫのシンボルであり、このフレームを受信する受信装置がチャネル推定（伝搬路変動の推定）、周波数オフセット・位相変動の推定を行うためのシンボルであり、例えば、図１の送信装置と、図７のフレームを受信する受信装置がパイロットシンボルの送信方法を共有しているとよい。
【０１１６】
データシンボル７０２は、図２、図３による信号処理で生成したベースバンド信号２０８Ｂに含まれるデータシンボルに相当するシンボルであり、したがって、データシンボル７０２は、「「ストリーム＃１」のシンボルと「ストリーム＃２」のシンボルの両者を含んだシンボル」、または、「「ストリーム＃１」のシンボル」、または、「「ストリーム＃２」のシンボル」のいずれかであり、これは、重み付け合成部２０３で使用するプリコーディング行列の構成によって決まることになる。（つまり、データシンボル７０２は、位相変更後の信号２０６Ｂ（ｚ２（ｉ））に相当する。）
その他のシンボル７０３は、図２、図３におけるプリアンブル信号２５２、および、制御情報シンボル信号２５３に相当するシンボルであるものとする。（ただし、その他のシンボルが、プリアンブル、制御情報シンボル以外のシンボルを含んでいてもよい。）このとき、プリアンブルは（制御用の）データを伝送してもよいし、信号検出のためのシンボル、周波数同期・時間同期を行うためのシンボル、チャネル推定のためのシンボル（伝搬路変動の推定を行うためのシンボル）などで構成されていることになる。そして、制御情報シンボルは、図７のフレームを受信した受信装置がデータシンボルの復調・復号を実現するための制御情報を含んだシンボルとなる。
【０１１７】
例えば、図７における時刻＄１から時刻４のキャリア１からキャリア３６は、その他のシンボル７０３となる。そして、時刻＄５のキャリア１からキャリア１１はデータシンボル７０２となる。以降、時刻＄５のキャリア１２はパイロットシンボル７０１となり、時刻＄５のキャリア１３からキャリア２３はデータシンボル７０２となり、時刻＄５のキャリア２４はパイロットシンボル７０１となり、・・・、時刻＄６のキャリア１・キャリア２はデータシンボル７０２となり、時刻＄６のキャリア３はパイロットシンボル７０１となり、・・・、時刻＄１１のキャリア３０はパイロットシンボル７０１となり、時刻＄１１のキャリア３１からキャリア３６はデータシンボル７０２となる。
【０１１８】
図６のキャリアＡ、時刻＄Ｂにシンボルが存在し、図７のキャリアＡ、時刻＄Ｂにシンボルが存在したとき、図６のキャリアＡ、時刻＄Ｂのシンボルと図５のキャリアＡ、時刻＄Ｂのシンボルは、同一時間、同一周波数に送信されることになる。なお、フレーム構成については、図６、図７に限ったものではなく、あくまでも、図６、図７はフレーム構成の例である。
【０１１９】
そして、図６、図７におけるその他のシンボルは、「図２、図３におけるプリアンブル信号２５２、制御シンボル２５３」に相当するシンボルであり、したがって、図６のその他のシンボル６０３と同一時刻、かつ、同一周波数（同一キャリア）の図７のその他のシンボル７０３は、制御情報を伝送している場合、同一のデータ（同一の制御情報）を伝送していることになる。
【０１２０】
なお、図６のフレームと図７のフレームを受信装置は同時に受信することになることを想定しているが、図６のフレームのみ、または、図７のフレームのみを受信しても受信装置は送信装置が送信したデータを得ることは可能である。
図８は、図２、図３の制御情報シンボル信号２５３を生成するための制御情報生成に関する部分の構成の一例を示している。
【０１２１】
制御情報用マッピング部８０２は、制御情報に関するデータ８０１、制御信号８００を入力とし、制御信号８００に基づいた変調方式で、制御情報に関するデータ８０１に対し、マッピングを施し、制御情報用マッピング後の信号８０３を出力する。なお、制御情報用マッピングの信号８０３は、図２、図３の制御情報シンボル信号２５３に相当する。
図９は、図１のアンテナ部＃Ａ（１０９＿Ａ）、アンテナ＃Ｂ（１０９＿Ｂ）の構成の一例を示している。（アンテナ部＃Ａ（１０９＿Ａ）、アンテナ部＃Ｂ（１０９＿Ｂ）が複数のアンテナで構成されている例である。）
分配部９０２は、送信信号９０１を入力とし、分配を行い、送信信号９０３＿１、９０３＿２、９０３＿３、９０３＿４を出力する。
【０１２２】
乗算部９０４＿１は、送信信号９０３＿１、および、制御信号９００を入力とし、制御信号９００に含まれる乗算係数の情報に基づき、送信信号９０３＿１に乗算係数を乗算し、乗算後の信号９０５＿１を出力し、乗算後の信号９０５＿１は、電波としてアンテナ９０６＿１から出力される。
送信信号９０３＿１をＴｘ１（ｔ）（ｔ：時間）、乗算係数をＷ１（Ｗ１は複素数で定義することができ、したがって、実数であってもよい。）とすると、乗算後の信号９０５＿１は、Ｔｘ１（ｔ）×Ｗ１とあらわされる。
【０１２３】
乗算部９０４＿２は、送信信号９０３＿２、および、制御信号９００を入力とし、制御信号９００に含まれる乗算係数の情報に基づき、送信信号９０３＿２に乗算係数を乗算し、乗算後の信号９０５＿２を出力し、乗算後の信号９０５＿２は、電波としてアンテナ９０６＿２から出力される。
送信信号９０３＿２をＴｘ２（ｔ）、乗算係数をＷ２（Ｗ２は複素数で定義することができ、したがって、実数であってもよい。）とすると、乗算後の信号９０５＿２は、Ｔｘ２（ｔ）×Ｗ２とあらわされる。
【０１２４】
乗算部９０４＿３は、送信信号９０３＿３、および、制御信号９００を入力とし、制御信号９００に含まれる乗算係数の情報に基づき、送信信号９０３＿３に乗算係数を乗算し、乗算後の信号９０５＿３を出力し、乗算後の信号９０５＿３は、電波としてアンテナ９０６＿３から出力される。
送信信号９０３＿３をＴｘ３（ｔ）、乗算係数をＷ３（Ｗ３は複素数で定義することができ、したがって、実数であってもよい。）とすると、乗算後の信号９０５＿３は、Ｔｘ３（ｔ）×Ｗ３とあらわされる。
【０１２５】
乗算部９０４＿４は、送信信号９０３＿４、および、制御信号９００を入力とし、制御信号９００に含まれる乗算係数の情報に基づき、送信信号９０３＿４に乗算係数を乗算し、乗算後の信号９０５＿４を出力し、乗算後の信号９０５＿４は、電波としてアンテナ９０６＿４から出力される。
送信信号９０３＿４をＴｘ４（ｔ）、乗算係数をＷ４（Ｗ４は複素数で定義することができ、したがって、実数であってもよい。）とすると、乗算後の信号９０５＿４は、Ｔｘ４（ｔ）×Ｗ４とあらわされる。
【０１２６】
なお、「Ｗ１の絶対値、Ｗ２の絶対値、Ｗ３の絶対値、Ｗ４の絶対値が等しく」てもよい。このとき、位相変更が行われたことに相当する。（当然であるが、Ｗ１の絶対値、Ｗ２の絶対値、Ｗ３の絶対値、Ｗ４の絶対値は等しくなくてもよい。）
また、図９では、アンテナ部は、４本のアンテナ（および、４つの乗算部）で構成されている例で説明しているが、アンテナの本数は４本に限ったものではなく、２本以上のアンテナで構成されていればよい。
【０１２７】
そして、図１のアンテナ部＃Ａ（１０９＿Ａ）の構成が図９のとき、送信信号９０１は、図１の送信信号１０８＿Ａに相当する。また、図１のアンテナ部＃Ｂ（１０９＿Ｂ）の構成が図９のとき、送信信号９０１は図１の送信信号１０８＿Ｂに相当し、図１の送信信号１０８＿Ｂに相当する。ただし、アンテナ部＃Ａ（１０９＿Ａ）およびアンテナ部＃Ｂ（１０９＿Ｂ）は、図９のような構成としなくてもよく、前にも記載したように、アンテナ部は、制御信号１００を入力としなくてもよい。例えば、図１のアンテナ部＃Ａ（１０９＿Ａ）、アンテナ部＃Ｂ（１０９＿Ｂ）は、一つのアンテナで構成されていてもよいし、複数のアンテナで構成されていてもよい。
【０１２８】
図１０は、図１の送信信号１０８＿Ａのフレーム構成の例である。図１０において、横軸は時間である。図１０が図６と異なる点は、図１０のフレーム構成は、シングルキャリア方式のときのフレーム構成の例であり、時間方向にシンボルが存在している点である。そして、図１０では、時間ｔ１からｔ２２のシンボルを示している。
図１０のプリアンブル１００１は、図２、図３におけるプリアンブル信号２５２に相当する。このとき、プリアンブルは、（制御用の）データを伝送してもよいし、、信号検出のためのシンボル、周波数同期・時間同期を行うためのシンボル、チャネル推定を行うためのシンボル（伝搬路変動の推定を行うためのシンボル）などで構成されていることになる。
【０１２９】
図１０の制御情報シンボル１００２は、図２、図３における制御情報シンボル信号２５３に相当するシンボルであり、図１０のフレームを受信した受信装置が、データシンボルの復調・復号を実現するための制御情報を含んだシンボルである。
図１０のパイロットシンボル１００４は、図２、図３のパイロット信号２５１Ａ（ｐａ（ｔ））に相当するシンボルであり、パイロットシンボル１００４は、例えば、ＰＳＫのシンボルであり、このフレームを受信する受信装置がチャネル推定（伝搬路変動の推定）、周波数オフセットの推定・位相変動の推定を行うためのシンボルであり、例えば、図１の送信装置と、図１０のフレームを受信する受信装置がパイロットシンボルの送信方法を共有しているとよい。
【０１３０】
そして、図１０の１００３は、データを伝送するためのデータシンボルである。
マッピング後の信号２０１Ａ（図１のマッピング後の信号１０５＿１）を「ストリーム＃１」と名付け、マッピング後の信号２０１Ｂ（図１のマッピング後の信号１０５＿２）を「ストリーム＃２」と名付ける。
データシンボル１００３は、図２、図３による信号処理で生成したベースバンド信号２０８Ａに含まれるデータシンボルに相当するシンボルであり、したがって、データシンボル１００３は、「「ストリーム＃１」のシンボルと「ストリーム＃２」のシンボルの両者を含んだシンボル」、または、「「ストリーム＃１」のシンボル」、または、「「ストリーム＃２」のシンボル」のいずれかであり、これは、重み付け合成部２０３で使用するプリコーディング行列の構成によって決まることになる。（つまり、データシンボル１００３は、重み付け合成後の信号２０４Ａ（ｚ１（ｉ））に相当する。）
なお、図１０では、記載していないが、フレームに、プリアンブル、制御情報シンボル、データシンボル、パイロットシンボル以外のシンボルが含まれていてもよい。
【０１３１】
例えば、送信装置は、図１０における時刻ｔ１ではプリアンブル１００１を送信し、時刻ｔ２では制御情報シンボル１００２を送信し、時刻ｔ３からｔ１１ではデータシンボル１００３を送信し、時刻ｔ１２ではパイロットシンボル１００４を送信し、時刻ｔ１３からｔ２１ではデータシンボル１００３を送信し、時刻ｔ２２ではパイロットシンボル１００４を送信するものとする。
【０１３２】
図１１は、図１の送信信号１０８＿Ｂのフレーム構成の例である。図１１において、横軸は時間である。図１１が図７と異なる点は、図１１のフレーム構成は、シングルキャリア方式のときのフレーム構成の例であり、時間方向にシンボルが存在している点である。そして、図１１では、時間ｔ１からｔ２２のシンボルを示している。
図１１のプリアンブル１１０１は、図２、図３におけるプリアンブル信号２５２に相当する。このとき、プリアンブルは、（制御用の）データを伝送してもよいし、、信号検出のためのシンボル、周波数同期・時間同期を行うためのシンボル、チャネル推定を行うためのシンボル（伝搬路変動の推定を行うためのシンボル）などで構成されていることになる。
【０１３３】
図１１の制御情報シンボル１１０２は、図２、図３における制御情報シンボル信号２５３に相当するシンボルであり、図１１のフレームを受信した受信装置が、データシンボルの復調・復号を実現するための制御情報を含んだシンボルである。
図１１のパイロットシンボル１１０４は、図２、図３のパイロット信号２５１Ｂ（ｐｂ（ｔ））に相当するシンボルであり、パイロットシンボル１１０４は、例えば、ＰＳＫのシンボルであり、このフレームを受信する受信装置がチャネル推定（伝搬路変動の推定）、周波数オフセットの推定・位相変動の推定を行うためのシンボルであり、例えば、図１の送信装置と、図１１のフレームを受信する受信装置がパイロットシンボルの送信方法を共有しているとよい。
【０１３４】
そして、図１１の１１０３は、データを伝送するためのデータシンボルである。
マッピング後の信号２０１Ａ（図１のマッピング後の信号１０５＿１）を「ストリーム＃１」と名付け、マッピング後の信号２０１Ｂ（図１のマッピング後の信号１０５＿２）を「ストリーム＃２」と名付ける。
データシンボル１１０３は、図２、図３による信号処理で生成したベースバンド信号２０８Ｂに含まれるデータシンボルに相当するシンボルであり、したがって、データシンボル１１０３は、「「ストリーム＃１」のシンボルと「ストリーム＃２」のシンボルの両者を含んだシンボル」、または、「「ストリーム＃１」のシンボル」、または、「「ストリーム＃２」のシンボル」のいずれかであり、これは、重み付け合成部２０３で使用するプリコーディング行列の構成によって決まることになる。（つまり、データシンボル１１０３は、位相変更後の信号２０６Ｂ（ｚ２（ｉ））に相当する。）
なお、図１１では、記載していないが、フレームに、プリアンブル、制御情報シンボル、データシンボル、パイロットシンボル以外のシンボルが含まれていてもよい。
【０１３５】
例えば、送信装置は、図１１における時刻ｔ１ではプリアンブル１１０１を送信し、時刻ｔ２では制御情報シンボル１１０２を送信し、時刻ｔ３からｔ１１ではデータシンボル１１０３を送信し、時刻ｔ１２ではパイロットシンボル１１０４を送信し、時刻ｔ１３からｔ２１ではデータシンボル１１０３を送信し、時刻ｔ２２ではパイロットシンボル１１０４を送信するものとする。
【０１３６】
図１０の時刻ｔｐにシンボルが存在し、図１０の時刻ｔｐ（ｐは１以上の整数）にシンボルが存在したとき、図１０の時刻ｔｐのシンボルと図１１の時刻ｔｐのシンボルは、同一時間、同一周波数に送信されることになる。（例えば、図１０の時刻ｔ３のデータシンボルと図１１の時刻ｔ３のデータシンボルは、同一時刻、同一周波数に送信されることになる。）なお、フレーム構成については、図１０、図１１に限ったものではなく、あくまでも、図１０、図１１はフレーム構成の例である。
【０１３７】
そして、図１０、図１１におけるプリアンブル、制御情報シンボルは、同一のデータ（同一の制御情報）を伝送しているという方法でもよい。
なお、図１０のフレームと図１１のフレームを受信装置は同時に受信することになることを想定しているが、図１０のフレームのみ、または、図１１のフレームのみを受信しても受信装置は送信装置が送信したデータを得ることは可能である。
【０１３８】
図１２は、重み付け合成後の信号２０４Ａ（ｚ１（ｉ））、および、位相変更後の信号２０６Ｂ（ｚ２（ｉ））の時間軸に対するシンボルの配置方法の例を示している。
図１２において、例えば、ｚｐ（０）と示している。このとき、ｐは１または２である。よって、図１２のｚｐ（０）は、「ｚ１（ｉ）、ｚ２（ｉ）において、シンボル番号ｉ＝０のときのｚ１（０）、ｚ２（０）」をあらわしている。同様に、ｚｐ（１）は、「ｚ１（ｉ）、ｚ２（ｉ）において、シンボル番号ｉ＝１のときのｚ１（１）、ｚ２（１）」をあらわしている。（つまり、ｚｐ（Ｘ）は、「ｚ１（ｉ）、ｚ２（ｉ）において、シンボル番号ｉ＝Ｘのときのｚ１（Ｘ）、ｚ２（Ｘ）」をあらわしている。）なお、この点については、図１３、図１４、図１５についても同様である。
【０１３９】
図１２に示すように、シンボル番号ｉ＝０のシンボルｚｐ（０）は時刻０に配置し、シンボル番号ｉ＝１のシンボルｚｐ（１）は時刻１に配置し、シンボル番号ｉ＝２のシンボルｚｐ（２）は時刻２に配置し、シンボル番号ｉ＝３のシンボルｚｐ（３）は時刻３に配置し、・・・、とすることで、重み付け合成後の信号２０４Ａ（ｚ１（ｉ））、および、位相変更後の信号２０６Ｂ（ｚ２（ｉ））の時間軸に対するシンボルの配置を行っている。ただし、図１２は一例であり、シンボル番号と時刻の関係は、これに限ったものではない。
【０１４０】
図１３は、重み付け合成後の信号２０４Ａ（ｚ１（ｉ））、および、位相変更後の信号２０６Ｂ（ｚ２（ｉ））の周波数軸に対するシンボルの配置方法の例を示している。
図１３に示すように、シンボル番号ｉ＝０のシンボルｚｐ（０）はキャリア０に配置し、シンボル番号ｉ＝１のシンボルｚｐ（１）はキャリア１に配置し、シンボル番号ｉ＝２のシンボルｚｐ（２）はキャリア２に配置し、シンボル番号ｉ＝３のシンボルｚｐ（３）はキャリア３に配置し、・・・、とすることで、重み付け合成後の信号２０４Ａ（ｚ１（ｉ））、および、位相変更後の信号２０６Ｂ（ｚ２（ｉ））の周波数軸に対するシンボルの配置を行っている。ただし、図１３は一例であり、シンボル番号と周波数の関係は、これに限ったものではない。
【０１４１】
図１４は、重み付け合成後の信号２０４Ａ（ｚ１（ｉ））、および、位相変更後の信号２０６Ｂ（ｚ２（ｉ））の時間・周波数軸に対するシンボルの配置の例を示している。
図１４に示すように、シンボル番号ｉ＝０のシンボルｚｐ（０）は、時刻０・キャリア０に配置し、シンボル番号ｉ＝１のシンボルｚｐ（１）は時刻０キャリア１に配置し、シンボル番号ｉ＝２のシンボルｚｐ（２）は時刻１・キャリア０に配置し、シンボル番号ｉ＝３のシンボルｚｐ（３）は時刻１・キャリア１に配置し、・・・、とすることで、重み付け合成後の信号２０４Ａ（ｚ１（ｉ））、および、位相変更後の信号２０６Ｂ（ｚ２（ｉ））の時間・周波数軸に対するシンボルの配置を行っている。ただし、図１４は一例であり、シンボル番号と時間・周波数の関係は、これに限ったものではない。
【０１４２】
図１５は、重み付け合成後の信号２０４Ａ（ｚ１（ｉ））、および、位相変更後の信号２０６Ｂ（ｚ２（ｉ））の時間に対するシンボルの配置の例を示している。なお、図１５の例は、図１の無線部１０７＿Ａ、１０７＿Ｂにインタリーバ（シンボルの並び替えを行う部分）を含んでいるときのシンボルの配置の例を示している。（なお、インタリーバ（シンボルの並び替えを行う部分）を含んでいるときの図１の無線部１０７＿Ａ、１０７＿Ｂの構成については、図１８を用いて後で説明する。）
図１５に示すように、シンボル番号ｉ＝０のシンボルｚｐ（０）は、時刻０に配置し、シンボル番号ｉ＝１のシンボルｚｐ（１）は、時刻１６に配置し、シンボル番号ｉ＝２のシンボルｚｐ（２）は、時刻１２に配置し、シンボル番号ｉ＝３のシンボルｚｐ（３）は、時刻５に配置し、・・・、とすることで、重み付け合成後の信号２０４Ａ（ｚ１（ｉ））、および、位相変更後の信号２０６Ｂ（ｚ２（ｉ））の時間軸に対するシンボルの配置を行っている。ただし、図１５は一例であり、シンボル番号と時間の関係は、これに限ったものではない。
【０１４３】
図１６は、重み付け合成後の信号２０４Ａ（ｚ１（ｉ））、および、位相変更後の信号２０６Ｂ（ｚ２（ｉ））の時間に対するシンボルの配置の例を示している。なお、図１６の例は、図１の無線部１０７＿Ａ、１０７＿Ｂにインタリーバ（シンボルの並び替えを行う部分）を含んでいるときのシンボルの配置の例を示している。（なお、インタリーバ（シンボルの並び替えを行う部分）を含んでいるときの図１の無線部１０７＿Ａ、１０７＿Ｂの構成については、図１８を用いて後で説明する。）
図１６に示すように、シンボル番号ｉ＝０のシンボルｚｐ（０）は、キャリア０に配置し、シンボル番号ｉ＝１のシンボルｚｐ（１）は、キャリア１６に配置し、シンボル番号ｉ＝２のシンボルｚｐ（２）は、キャリア１２に配置し、シンボル番号ｉ＝３のシンボルｚｐ（３）は、キャリア５に配置し、・・・、とすることで、重み付け合成後の信号２０４Ａ（ｚ１（ｉ））、および、位相変更後の信号２０６Ｂ（ｚ２（ｉ））の時間軸に対するシンボルの配置を行っている。ただし、図１６は一例であり、シンボル番号と周波数の関係は、これに限ったものではない。
【０１４４】
図１７は、重み付け合成後の信号２０４Ａ（ｚ１（ｉ））、および、位相変更後の信号２０６Ｂ（ｚ２（ｉ））の時間に対するシンボルの配置の例を示している。なお、図１７の例は、図１の無線部１０７＿Ａ、１０７＿Ｂにインタリーバ（シンボルの並び替えを行う部分）を含んでいるときのシンボルの配置の例を示している。（なお、インタリーバ（シンボルの並び替えを行う部分）を含んでいるときの図１の無線部１０７＿Ａ、１０７＿Ｂの構成については、図１８を用いて後で説明する。）
図１７に示すように、シンボル番号ｉ＝０のシンボルｚｐ（０）は、時刻１・キャリア１に配置し、シンボル番号ｉ＝１のシンボルｚｐ（１）は、時刻３・キャリア３に配置し、シンボル番号ｉ＝２のシンボルｚｐ（２）は、時刻１・キャリア０に配置し、シンボル番号ｉ＝３のシンボルｚｐ（３）は、時刻１・キャリア３に配置し、・・・、とすることで、重み付け合成後の信号２０４Ａ（ｚ１（ｉ））、および、位相変更後の信号２０６Ｂ（ｚ２（ｉ））の時間軸に対するシンボルの配置を行っている。ただし、図１７は一例であり、シンボル番号と時間・周波数の関係はこれに限ったものではない。
【０１４５】
図１８は、図１の無線部１０７＿Ａ、１０７＿Ｂにインタリーバ（シンボルの並び替えを行う部分）を含んでいるときのシンボルに配置例を示している。
インタリーバ（並び替え部）１８０２は、信号処理後の信号１８０１（図１の１０５＿１、１０５＿２に相当する）、制御信号１８００（図１の１００に相当する。）を入力とし、例えば、制御信号１８００に従い、シンボルの並び替えを行い、並び替え後の信号１８０３を出力する。なお、シンボルの並び替えの例については、図１４から図１７を用いて説明したとおりである。
【０１４６】
信号処理部１８０４は、並び替え後の信号１８０３、制御信号１８００を入力とし、制御信号１８００に従い、信号処理を行い、信号処理後の信号１８０５を出力する。例えば、図１の送信装置は、シングルキャリア方式とＯＦＤＭ方式の両者に対応している場合、信号処理部１８０４は、制御信号１８００に基づき、シングルキャリア方式の信号処理、または、ＯＦＤＭ方式の信号処理を行うことになる。
【０１４７】
ＲＦ部１８０６は、信号処理後の信号１８０５、制御信号１８００を入力とし、制御信号１８００に基づいて、周波数変換等の処理を行い、変調信号１８０７を出力する。
送信電力増幅器１８０８は、変調信号１８０７を入力とし、信号の増幅を行い、変調信号１８０９を出力する。
図１９は、図１の送信装置が例えば、図６、図７のフレーム構成、または、図１０、図１１の送信信号を送信したとき、その変調信号を受信する受信装置の構成の一例を示している。
【０１４８】
無線部１９０３Ｘは、アンテナ部＃Ｘ（１９０１Ｘ）で受信した受信信号１９０２Ｘを入力とし、周波数変換、フーリエ変換等の処理を施し、ベースバンド信号１９０４Ｘを出力する。
同様に、無線部１９０３Ｙは、アンテナ部＃Ｙ（１９０１Ｙ）で受信した受信信号１９０２Ｙを入力とし、周波数変換、フーリエ変換等の処理を施し、ベースバンド信号１９０４Ｙを出力する。
【０１４９】
なお、アンテナ部＃Ｘ（１９０１Ｘ）、および、アンテナ部＃Ｙ（１９０１Ｙ）は、制御信号１９１０を入力とする構成を図１９では記載しているが、制御信号１９１０を入力としない構成であってもよい。制御信号１９１０が入力として存在するときの動作については、後で詳しく説明する。
ところで、図２０に送信装置と受信装置の関係を示している。図２０のアンテナ２００１＿１、２００１＿２は送信アンテナであり、図２０のアンテナ２００１＿１は図１のアンテナ部＃Ａ（１０９＿Ａ）に相当する。そして、図２０のアンテナ２００１＿２は図１のアンテナ部＃Ｂ（１０９＿Ｂ）に相当する。
【０１５０】
そして、図２０のアンテナ２００２＿１、２００２＿２は受信アンテナであり、図２０のアンテナ２００２＿１は図１９のアンテナ部＃Ｘ（１９０１Ｘ）に相当する。そして、図２０のアンテナ２００２＿２は図１９のアンテナ部＃Ｙ（１９０１Ｙ）に相当する。
図２０のように、送信アンテナ２００１＿１から送信する信号をｕ１（ｉ）、送信アンテナ２００１＿２から送信する信号をｕ２（ｉ）、受信アンテナ２００２＿１で受信する信号をｒ１（ｉ）、受信アンテナ２００２＿２で受信する信号をｒ２（ｉ）とする。なお、ｉはシンボル番号を示し、例えば、０以上の整数とする。
【０１５１】
そして、送信アンテナ２００１＿１から受信アンテナ２００２＿１への伝搬係数をｈ１１（ｉ）、送信アンテナ２００１＿１から受信アンテナ２００２＿２への伝搬係数をｈ２１（ｉ）、送信アンテナ２００１＿２から受信アンテナ２００２＿１への伝搬係数をｈ１２（ｉ）、送信アンテナ２００１＿２から受信アンテナ２００２＿２への伝搬係数をｈ２２（ｉ）とする。すると、以下の関係式が成立する。
【０１５２】
【数４６】
2020080441.tif 000048
なお、ｎ１（ｉ）、ｎ２（ｉ）はノイズである。
図１９の変調信号ｕ１のチャネル推定部１９０５＿１は、ベースバンド信号１９０４Ｘを入力とし、図６、図７（または、図１０、図１１）におけるプリアンブル、および／または、パイロットシンボルを用いて、変調信号ｕ１のチャネル推定、つまり、式（４６）のｈ１１（ｉ）を推定し、チャネル推定信号１９０６＿１を出力する。
【０１５３】
変調信号ｕ２のチャネル推定部１９０５＿２は、ベースバンド信号１９０４Ｘを入力とし、図６、図７（または、図１０、図１１）におけるプリアンブル、および／または、パイロットシンボルを用いて、変調信号ｕ２のチャネル推定、つまり、式（４６）のｈ１２（ｉ）を推定し、チャネル推定信号１９０６＿２を出力する。
変調信号ｕ１のチャネル推定部１９０７＿１は、ベースバンド信号１９０４Ｙを入力とし、図６、図７（または、図１０、図１１）におけるプリアンブル、および／または、パイロットシンボルを用いて、変調信号ｕ１のチャネル推定、つまり、式（４６）のｈ２１（ｉ）を推定し、チャネル推定信号１９０８＿１を出力する。
【０１５４】
変調信号ｕ２のチャネル推定部１９０７＿２は、ベースバンド信号１９０４Ｙを入力とし、図６、図７（または、図１０、図１１）におけるプリアンブル、および／または、パイロットシンボルを用いて、変調信号う２のチャネル推定、つまり、式（４６）のｈ２２（ｉ）を推定し、チャネル推定信号１９０８＿２を出力する。
制御情報復号部１９０９は、ベースバンド信号１９０４Ｘ、１９０４Ｙを入力とし、図６、図７（または、図１０、図１１）における制御情報の復調・復号し、制御情報を含んだ制御信号１９１０を出力する。
【０１５５】
信号処理部１９１１は、チャネル推定信号１９０６＿１、１９０６＿２、１９０８＿１、１９０８＿２、ベースバンド信号１９０４Ｘ、１９０４Ｙ、制御信号１９１０を入力とし、式（４６）の関係を用い、また、制御信号１９１０における制御情報（例えば、変調方式、誤り訂正符号関連の方式の情報）に基づいて、復調・復号を行い、受信データ１９１２を出力する。
【０１５６】
なお、制御信号１９１０は、図１９のような方法で生成したものではなくてもよい。例えば、図１９の制御信号１９１０は、図８の通信相手（図１）である装置が送信した情報に基づいて生成されたものであってもよいし、図１９の装置は入力部を具備し、その入力部から入力された情報に基づいて生成されたものであってもよい。
図２１は、図１９のアンテナ部＃Ｘ（１９０１Ｘ）、アンテナ部＃Ｙ（１９０１Ｙ）の構成の一例を示している。（アンテナ部＃Ｘ（１９０１Ｘ）、アンテナ部＃Ｙ（１９０１Ｙ）が複数のアンテナで構成されている例である。）
乗算部２１０３＿１は、アンテナ２１０１＿１で受信した受信信号２１０２＿１、制御信号２１００を入力とし、制御信号２１００に含まれる乗算係数の情報に基づき、受信信号２１０２＿１に乗算係数を乗算し、乗算後の信号２１０４＿１を出力する。
【０１５７】
受信信号２１０２＿１をＲｘ１（ｔ）（ｔ：時間）、乗算係数をＤ１（Ｄ１は複素数で定義することができ、したがって、実数であってもよい。）とすると、乗算後の信号２１０４＿１は、Ｒｘ１（ｔ）×Ｄ１とあらわされる。
乗算部２１０３＿２は、アンテナ２１０１＿２で受信した受信信号２１０２＿２、制御信号２１００を入力とし、制御信号２１００に含まれる乗算係数の情報に基づき、受信信号２１０２＿２に乗算係数を乗算し、乗算後の信号２１０４＿２を出力する。
【０１５８】
受信信号２１０２＿２をＲｘ２（ｔ）、乗算係数をＤ２（Ｄ２は複素数で定義することができ、したがって、実数であってもよい。）とすると、乗算後の信号２１０４＿２は、Ｒｘ２（ｔ）×Ｄ２とあらわされる。
乗算部２１０３＿３は、アンテナ２１０１＿３で受信した受信信号２１０２＿３、制御信号２１００を入力とし、制御信号２１００に含まれる乗算係数の情報に基づき、受信信号２１０２＿３に乗算係数を乗算し、乗算後の信号２１０４＿３を出力する。
【０１５９】
受信信号２１０２＿３をＲｘ３（ｔ）、乗算係数をＤ３（Ｄ３は複素数で定義することができ、したがって、実数であってもよい。）とすると、乗算後の信号２１０４＿３は、Ｒｘ３（ｔ）×Ｄ３とあらわされる。
乗算部２１０３＿４は、アンテナ２１０１＿４で受信した受信信号２１０２＿４、制御信号２１００を入力とし、制御信号２１００に含まれる乗算係数の情報に基づき、受信信号２１０２＿４に乗算係数を乗算し、乗算後の信号２１０４＿４を出力する。
【０１６０】
受信信号２１０２＿４をＲｘ４（ｔ）、乗算係数をＤ４（Ｄ４は複素数で定義することができ、したがって、実数であってもよい。）とすると、乗算後の信号２１０４＿４は、Ｒｘ４（ｔ）×Ｄ４とあらわされる。
合成部２１０５は、乗算後の信号２１０４＿１、２１０４＿２、２１０４＿３、１００４＿４を入力とし、乗算後の信号２１０４＿１、２１０４＿２、２１０４＿３、２１０４＿４を合成し、合成後の信号２１０６を出力する。なお、合成後の信号２１０６は、Ｒｘ１（ｔ）×Ｄ１＋Ｒｘ２（ｔ）×Ｄ２＋Ｒｘ３（ｔ）×Ｄ３＋Ｒｘ４（ｔ）×Ｄ４とあらわされる。
【０１６１】
図２１では、アンテナ部は、４本のアンテナ（および、４つの乗算部）で構成される例で説明しているが、アンテナの本数は４に限ったものではなく、２本以上のアンテナで構成されていればよい。
そして、図１９のアンテナ部＃Ｘ（１９０１Ｘ）の構成が図２１のとき、受信信号１９０２Ｘは図２１の合成信号２１０６に相当し、制御信号１９１０は図１０の制御信号２１００に相当する。また、図１９のアンテナ部＃Ｙ（１９０１Ｙ）の構成が図２１のとき、受信信号１９０２Ｙは図２１の合成信号２１０６に相当し、制御信号１９１０は図２１の制御信号２１００に相当する。
ただし、アンテナ部＃Ｘ（１９０１Ｘ）およびアンテナ部＃Ｙ（１９０１Ｙ）は、図２１のような構成としなくてもよく、前にも記載したようにアンテナ部は、制御信号１９１０を入力としなくてもよい。アンテナ部＃Ｘ（１９０１Ｘ）およびアンテナ部＃Ｙ（１９０１Ｙ）はそれぞれ１本のアンテナであってもよい。
【０１６２】
なお、制御信号１９００は、通信相手である装置が送信した情報に基づいて生成されたものであってもよいし、装置は入力部を具備し、その入力部から入力された情報に基づいて生成されたものであってもよい。
以上、本実施の形態で示した送信方法により、図１の送信装置が変調信号を送信することで、図１の送信装置が送信した変調信号を受信する図１９の受信装置は位相雑音の影響、非線形歪みの影響を軽減することができ、これにより、データの受信品質が向上するという効果を得ることができる。
【０１６３】
なお、図１の送信装置が送信する変調信号の方式としては、シングルキャリア方式の変調信号であってもよいし、また、ＯＦＤＭ方式などのマルチキャリア方式の変調信号であってもよい。また、変調信号は、スペクトル拡散通信方式を適用してもよい。
そして、図１の送信装置の制御信号１００に「シングルキャリア方式の送信／ＯＦＤＭ方式などのマルチキャリア方式の送信」を指定するための制御情報が含まれていてもよい。制御信号１００が「シングルキャリア方式の送信」を示しているとき、図１の送信装置は、シングルキャリア方式の変調信号を送信し、制御信号１００が「ＯＦＤＭ方式などのマルチキャリア方式の送信」を示しているとき、図１の送信装置は、ＯＦＤＭ方式などのマルチキャリア方式の変調信号を送信することになる。なお、図１の送信信号は、図１９の受信装置に対し、「シングルキャリア方式の送信／ＯＦＤＭ方式などのマルチキャリア方式の送信」を指定するための制御情報を送信することで、図１９の受信装置は、図１が送信した変調信号を受信し、復調、復号を行うことができるようになる。
（実施の形態２）
本実施の形態では、図１の送信装置が、シングルキャリア方式の変調信号とＯＦＤＭ方式のようなマルチキャリア伝送方式の変調信号の両者、または、いずれかを送信することができる場合の、実施の形態１と異なる点について説明する。
【０１６４】
本実施の形態では、以下の３つのタイプの送信装置を考える。
第１の送信装置：
第１の送信装置は、シングルキャリア方式の変調信号とＯＦＤＭ方式のようなマルチキャリア伝送方式の変調信号の両者を選択的に送信することができる送信装置であるものとする。図１の送信装置の制御信号１００に「シングルキャリア方式の送信／ＯＦＤＭ方式などのマルチキャリア方式の送信」を指定するための制御情報が含まれており、制御信号１００が「シングルキャリア方式の送信」を示しているとき、図１の送信装置は、シングルキャリア方式の変調信号を送信し、制御信号１００が「ＯＦＤＭ方式などのマルチキャリア方式の送信」を示しているとき、図１の送信装置は、ＯＦＤＭ方式などのマルチキャリア方式の変調信号を送信する場合を考える。なお、図１の送信装置は、図１９の受信装置に対し、「シングルキャリア方式の送信／ＯＦＤＭ方式などのマルチキャリア方式の送信」を指定するための制御情報を送信することで、図１９の受信装置は、図１の送信装置が送信した変調信号を受信し、復調、復号を行うことができるようになる。
【０１６５】
第２の送信装置：
第２の送信装置は、シングルキャリア方式の変調信号を送信することができる送信装置であるものとする。図１の送信装置の制御信号１００に「シングルキャリア方式の送信／ＯＦＤＭ方式などのマルチキャリア方式の送信」を指定するための制御情報が含まれている場合、この制御情報としては、「シングルキャリア方式の送信」のみ選択できるものとする。したがって、図１の送信装置は、シングルキャリア方式の変調信号を送信することになる。なお、図１の送信装置は、図１９の受信装置に対し、「シングルキャリア方式の送信／ＯＦＤＭ方式などのマルチキャリア方式の送信」を指定するための制御情報を送信することで、図１９の受信装置は、図１の送信装置が送信した変調信号を受信し、復調、復号を行うことができるようになる。
【０１６６】
第３の送信装置：
第３の送信装置は、ＯＦＤＭ方式などのマルチキャリア方式の変調信号を送信することができる送信装置であるものとする。図１の送信装置の制御信号１００に「シングルキャリア方式の送信／ＯＦＤＭ方式などのマルチキャリア方式の送信」を指定するための制御情報が含まれている場合、この制御情報としては、「ＯＦＭＤ方式などのマルチキャリア方式の送信」のみ選択できるものとする。したがって、図１の送信装置は、ＯＦＤＭ方式などのマルチキャリア方式の変調信号を送信することになる。なお、図１の送信装置は、図１９の受信装置に対し、「シングルキャリア方式の送信／ＯＦＤＭ方式などのマルチキャリア方式の送信」をしていするための制御情報を送信することで、図１９の受信装置は、図１の送信装置が送信した変調信号を受信し、復調、復号を行うことができるようになる。
【０１６７】
実施の形態１において、送信装置の構成、送信装置が送信する変調信号を受信装置の受信装置の構成、シングルキャリア方式のときのフレーム構成例、ＯＦＤＭ方式のようなマルチキャリア伝送方式のときのフレーム構成例について説明したので、ここでは説明を省略する。
本実施の形態では、シングルキャリア方式のときの変調信号の送信信号方法として、実施の形態１で説明した「第１の選択方法」、または、「第２の選択方法」、または、「第３の選択方法」のいずれかを適用し、図１の送信装置は、変調信号を送信するものとする。このとき、第２の送信装置において、ＲＦ部の位相雑音の影響、送信電力増幅器における非線形歪みの影響を小さくすることができ、送信方法によっては、送信ダイバーシチの効果を得ることができることになる。これにより、第２の送信装置が送信する変調信号を受信する受信装置において、データの受信品質が向上するという効果を得ることができる。
【０１６８】
そして、本実施の形態では、ＯＦＤＭ方式のようなマルチキャリア伝送方式の変調信号を送信する際の方法として、以下を考える。
第４の選択方法：
図１の送信装置は、制御信号１００に含まれる送信方法の情報に基づき変調信号の送信方法を切り替えるものとする。このとき、図１の送信装置は、以下の送信方法を選択できるものとする。
【０１６９】
送信方法＃４−１：
シングルストリームを送信する（ｓ１（ｉ）を送信する。）（ｓ１（ｉ）の）変調方式はＢＰＳＫ（または、π／２シフトＢＰＳＫ）とする。（ただし、シングルストリームの変調信号は、一つのアンテナを用いて送信してもよいし、複数のアンテナを用いて送信してもよい。）
送信方法＃４−２：
シングルストリームを送信する（ｓ１（ｉ）を送信する。）（ｓ１（ｉ）の）変調方式はＱＰＳＫ（または、π／２シフトＱＰＳＫ）とする。（ただし、シングルストリームの変調信号は、一つのアンテナを用いて送信してもよいし、複数のアンテナを用いて送信してもよい。）
送信方法＃４−３：
シングルストリームを送信する（ｓ１（ｉ）を送信する。）（ｓ１（ｉ）の）変調方式は１６ＱＡＭ（または、π／２シフト１６ＱＡＭ）（または、１６ＡＰＳＫなどの同相Ｉ−直交Ｑ平面に１６個の信号点が存在する変調方式（シフトを施してもよい））とする。（ただし、シングルストリームの変調信号は、一つのアンテナを用いて送信してもよいし、複数のアンテナを用いて送信してもよい。）
送信方法＃４−４：
シングルストリームを送信する（ｓ１（ｉ）を送信する。）（ｓ１（ｉ）の）変調方式は６４ＱＡＭ（または、π／２シフト６４ＱＡＭ）（または、６４ＡＰＳＫなどの同相Ｉ−直交Ｑ平面に６４個の信号点が存在する変調方式（シフトを施してもよい））とする。（ただし、シングルストリームの変調信号は、一つのアンテナを用いて送信してもよいし、複数のアンテナを用いて送信してもよい。）
送信方法＃４−５：
二つのストリームを送信する（ｓ１（ｉ）およびｓ２（ｉ）を送信する。）ｓ１（ｉ）の変調方式をＢＰＳＫ（または、π／２シフトＢＰＳＫ）とし、ｓ２（ｉ）の変調方式をＢＰＳＫ（または、π／２シフトＢＰＳＫ）とする。このとき、２つの変調信号を送信することになり、第１の変調信号を一つ以上のアンテナを用いて送信し、第２の変調信号を一つ以上のアンテナを用いて送信することになる。そして、二つのストリームは、図２、図３に基づき、式（１３）から式（２０）のいずれかの（プリコーディング）行列を用い、プリコーディング（重み付け合成）が行われ、その後、（位相変更部２０５Ｂにより）位相変更が行われ、送信されることになる。（なお、位相変更は行われなくてもよく、（係数乗算部３０１Ａ、３０２Ａにより）係数乗算が行われることもある。）このとき、式（１３）から式（２０）では、θ≠０ラジアンとする（なお、θは０ラジアン以上２πラジアン未満（０ラジアン≦θ＜２πラジアン）とする。）
送信方法＃４−６：
二つのストリームを送信する（ｓ１（ｉ）およびｓ２（ｉ）を送信する。）ｓ１（ｉ）の変調方式をＱＰＳＫ（または、π／２シフトＱＰＳＫ）とし、ｓ２（ｉ）の変調方式をＱＰＳＫ（または、π／２シフトＱＰＳＫ）とする。このとき、２つの変調信号を送信することになり、第１の変調信号を一つ以上のアンテナを用いて送信し、第２の変調信号を一つ以上のアンテナを用いて送信することになる。そして、二つのストリームは、図２、図３に基づき、式（１３）から式（２０）のいずれかの（プリコーディング）行列を用い、プリコーディング（重み付け合成）が行われ、その後、（位相変更部２０５Ｂにより）位相変更が行われ、送信されることになる。（なお、位相変更は行われなくてもよく、（係数乗算部３０１Ａ、３０２Ａにより）係数乗算が行われることもある。）このとき、式（１３）から式（２０）では、θ≠０ラジアンとする（なお、θは０ラジアン以上２πラジアン未満（０ラジアン≦θ＜２πラジアン）とする。）
送信方法＃４−７：
二つのストリームを送信する（ｓ１（ｉ）およびｓ２（ｉ）を送信する。）ｓ１（ｉ）の変調方式をＱＰＳＫ（または、π／２シフトＱＰＳＫ）とし、ｓ２（ｉ）の変調方式を１６ＱＡＭ（または、π／２シフト１６ＱＡＭ）（または、１６ＡＰＳＫなどの同相Ｉ−直交Ｑ平面に１６個の信号点が存在する変調方式（シフトを施してもよい））とする。このとき、２つの変調信号を送信することになり、第１の変調信号を一つ以上のアンテナを用いて送信し、第２の変調信号を一つ以上のアンテナを用いて送信することになる。そして、二つのストリームは、図２、図３に基づき、式（１３）から式（２０）のいずれかの（プリコーディング）行列を用い、プリコーディング（重み付け合成）が行われ、その後、（位相変更部２０５Ｂにより）位相変更が行われ、送信されることになる。（なお、位相変更は行われなくてもよく、（係数乗算部３０１Ａ、３０２Ａにより）係数乗算が行われることもある。）このとき、式（１３）から式（２０）では、θ≠０ラジアンとする（なお、θは０ラジアン以上２πラジアン未満（０ラジアン≦θ＜２πラジアン）とする。）（θ＝π／４ラジアン（４５度）とすると、各アンテナから送信される変調信号の平均送信電力が等しくなる。）
送信方法＃４−８：
二つのストリームを送信する（ｓ１（ｉ）およびｓ２（ｉ）を送信する。）ｓ１（ｉ）の変調方式を１６ＱＡＭ（または、π／２シフト１６ＱＡＭ）（または、１６ＡＰＳＫなどの同相Ｉ−直交Ｑ平面に１６個の信号点が存在する変調方式（シフトを施してもよい））とし、ｓ２（ｉ）の変調方式を１６ＱＡＭ（または、π／２シフト１６ＱＡＭ）（または、１６ＡＰＳＫなどの同相Ｉ−直交Ｑ平面に１６個の信号点が存在する変調方式（シフトを施してもよい））とする。このとき、２つの変調信号を送信することになり、第１の変調信号を一つ以上のアンテナを用いて送信し、第２の変調信号を一つ以上のアンテナを用いて送信することになる。そして、二つのストリームは、図２、図３に基づき、式（１３）から式（２０）のいずれかの（プリコーディング）行列を用い、プリコーディング（重み付け合成）が行われ、その後、（位相変更部２０５Ｂにより）位相変更が行われ、送信されることになる。（なお、位相変更は行われなくてもよく、（係数乗算部３０１Ａ、３０２Ａにより）係数乗算が行われることもある。）このとき、式（１３）から式（２０）では、θ≠０ラジアンとする（なお、θは０ラジアン以上２πラジアン未満（０ラジアン≦θ＜２πラジアン）とする。）
送信方法＃４−９：
二つのストリームを送信する（ｓ１（ｉ）およびｓ２（ｉ）を送信する。）ｓ１（ｉ）の変調方式を６４ＱＡＭ（または、π／２シフト６４ＱＡＭ）（または、１６ＡＰＳＫなどの同相Ｉ−直交Ｑ平面に６４個の信号点が存在する変調方式（シフトを施してもよい））とし、ｓ２（ｉ）の変調方式を６４ＱＡＭ（または、π／２シフト６４ＱＡＭ）（または、６４ＡＰＳＫなどの同相Ｉ−直交Ｑ平面に６４個の信号点が存在する変調方式（シフトを施してもよい））とする。このとき、２つの変調信号を送信することになり、第１の変調信号を一つ以上のアンテナを用いて送信し、第２の変調信号を一つ以上のアンテナを用いて送信することになる。そして、二つのストリームは、図２、図３に基づき、式（１３）から式（２０）のいずれかの（プリコーディング）行列を用い、プリコーディング（重み付け合成）が行われ、その後、（位相変更部２０５Ｂにより）位相変更が行われ、送信されることになる。（なお、位相変更は行われなくてもよく、（係数乗算部３０１Ａ、３０２Ａにより）係数乗算が行われることもある。）このとき、式（１３）から式（２０）では、θ≠０ラジアンとする（なお、θは０ラジアン以上２πラジアン未満（０ラジアン≦θ＜２πラジアン）とする。）
または、二つのストリームを送信する（ｓ１（ｉ）およびｓ２（ｉ）を送信する。）ｓ１（ｉ）の変調方式を６４ＱＡＭ（または、π／２シフト６４ＱＡＭ）（または、１６ＡＰＳＫなどの同相Ｉ−直交Ｑ平面に６４個の信号点が存在する変調方式（シフトを施してもよい））とし、ｓ２（ｉ）の変調方式を６４ＱＡＭ（または、π／２シフト６４ＱＡＭ）（または、６４ＡＰＳＫなどの同相Ｉ−直交Ｑ平面に６４個の信号点が存在する変調方式（シフトを施してもよい））とする。このとき、２つの変調信号を送信することになり、第１の変調信号を一つ以上のアンテナを用いて送信し、第２の変調信号を一つ以上のアンテナを用いて送信することになる。そして、二つのストリームは、図２、図３に基づき、式（１３）から式（２０）のいずれかの（プリコーディング）行列を用い、プリコーディング（重み付け合成）が行われ、その後、（位相変更部２０５Ｂにより）位相変更が行われ、送信されることになる。（なお、位相変更は行われなくてもよく、（係数乗算部３０１Ａ、３０２Ａにより）係数乗算が行われることもある。）このとき、式（１３）から式（２０）では、θ＝０ラジアンとする（なお、θは０ラジアン以上２πラジアン未満（０ラジアン≦θ＜２πラジアン）とする。）
または、二つのストリームを送信する（ｓ１（ｉ）およびｓ２（ｉ）を送信する。）ｓ１（ｉ）の変調方式を６４ＱＡＭ（または、π／２シフト６４ＱＡＭ）（または、６４ＡＰＳＫなどの同相Ｉ−直交Ｑ平面に６４個の信号点が存在する変調方式（シフトを施してもよい））とし、ｓ２（ｉ）の変調方式を６４ＱＡＭ（または、π／２シフト６４ＱＡＭ）（または、６４ＡＰＳＫなどの同相Ｉ−直交Ｑ平面に６４個の信号点が存在する変調方式（シフトを施してもよい））とする。このとき、２つの変調信号を送信することになり、第１の変調信号を一つ以上のアンテナを用いて送信し、第２の変調信号を一つ以上のアンテナを用いて送信することになる。そして、二つのストリームは、図２、図３に基づき、式（１３）から式（２０）のいずれかの（プリコーディング）行列を用い、プリコーディング（重み付け合成）が行われ、その後、（位相変更部２０５Ｂにより）位相変更が行われ、送信されることになる。（なお、位相変更は行われなくてもよく、（係数乗算部３０１Ａ、３０２Ａにより）係数乗算が行われることもある。）
ここでのプリコーディングの処理について説明する。
図１の送信装置において、プリコーディングの処理のために、式（１３）から式（２０）のいずれかの式であらわされる複数のプリコーディング行列を用意する。例えば、プリコーディング行列として、Ｎ個（Ｎは２以上の整数とする）のプリコーディング行列を用意する。ここで、Ｎ個のプリコーディング行列を「第ｉ行列（ｉは１以上Ｎ以下の整数とする）」と名づける。（第ｉ行列は、式（１３）から式（２０）のいずれかの行列であらわされる。）
そして、図２、図３の重み付け合成部２０３は、制御信号２００に基づき、第１行列から第Ｎ行列のＮ個の行列から、制御信号２００で指定された、一つの行列を用い、プリコーディングを施すことになる。
【０１７０】
なお、Ｎ個の行列の中には、「θ＝０とした式（１３）から式（２０）のいずれかを満たすプリコーディング行列」が、少なくとも一つ含まれており、また、Ｎ個の行列の中には、「θ≠０とした式（１３）から式（２０）のいずれかを満たすプリコーディング行列」が、少なくとも一つ含まれているものとする。
なお、第４の選択方法では、送信方法＃４−１から送信方法＃４−９のすべての送信方法に対応していなくてもよい。例えば、第４の選択方法では、送信方法＃４−５、送信方法＃４−６、送信方法＃４−７の３つの送信方法のうち、一つ以上の送信方法に対応していればよい。そして、第４の送信方法では、送信方法＃４−８、送信方法＃４−９の２つの送信方法のうち、一つ以上の送信方法に対応していればよい。
【０１７１】
また、第４の選択方法では、送信方法＃４−１に対応していなくてもよい。（第４の選択方法では、図１の送信装置の送信方法の選択候補に、送信方法＃４−１を含まない。）
第４の選択方法に、送信方法＃４−１から送信方法＃４−９以外の送信方法が含まれていてもよい。
このとき、以下を満たすことになる。
【０１７２】
送信方法＃４−１：
送信信号の同相Ｉ−直交Ｑ平面における信号点の数は２．
送信方法＃４−２：
送信信号の同相Ｉ−直交Ｑ平面における信号点の数は４．
送信方法＃４−３：
送信信号の同相Ｉ−直交Ｑ平面における信号点の数は１６．
送信方法＃４−４：
送信信号の同相Ｉ−直交Ｑ平面における信号点の数は６４．
送信方法＃４−５：
送信信号の同相Ｉ−直交Ｑ平面における信号点の数は２より大きく４以下。送信ダイバーシチの効果を得ることが可能。
【０１７３】
送信方法＃４−６：
送信信号の同相Ｉ−直交Ｑ平面における信号点の数は４より大きく１６以下。送信ダイバーシチの効果を得ることが可能。
送信方法＃４−７：
送信信号の同相Ｉ−直交Ｑ平面における信号点の数は４より大きく６４以下。送信ダイバーシチの効果を得ることが可能。
【０１７４】
送信方法＃４−８：
送信信号の同相Ｉ−直交Ｑ平面における信号点の数は１６より大きく２５６以下。送信ダイバーシチの効果を得ることが可能。
送信方法＃４−９：
送信信号の同相Ｉ−直交Ｑ平面における信号点の数は６４以上４０９６以下。送信ダイバーシチの効果を得ることができる場合があってもよい。
【０１７５】
以上のように、シングルキャリア方式の変調信号を送信するときの送信方法の選択方法とＯＦＤＭ方式のようなマルチキャリア方式の変調信号を送信するときの送信方法の選択方法が異なる。
ＯＦＤＭ方式のようなマルチキャリア方式の変調信号を送信するときの送信方法の選択方法として、第４の選択方法とした理由について説明する。
【０１７６】
ＯＦＤＭ方式のようなマルチキャリア方式の変調信号を送信する送信装置としては、変調方式によらず、ＲＦ部の位相雑音の影響が小さく、かつ、送信電力増幅器の非線形歪みの影響が少ないという要求条件を満たす必要がある。（これを満たさないと送信装置が送信した変調信号を受信する受信装置では、高いデータの受信品質を得ることが難しい。（送信装置は、同時に複数のキャリアの変調信号を送信しているため、変調方式によらずＰＡＰＲが大きいため、前に述べたような要求条件が重要となる。））
したがって、図１の送信装置が「第３の送信装置」（または、第１の送信装置）の場合、第４の選択方法のようにすることで、複数の変調信号を送信している場合、受信装置が高いデータの受信品質を得ることができる可能性を高くするために、プリコーディングを実施することを可能な限り優先している。
【０１７７】
以上のようにすることで、「送信装置がシングルキャリア方式の変調信号を送信する、または、ＯＦＤＭ方式のようなマルチキャリア方式の変調信号を送信する」、に関わらず、送信装置が送信した変調信号を受信する受信装置は、より高いデータの受信品質を得ることができるという効果を得ることができる。
次に、ＯＦＤＭ方式のようなマルチキャリア伝送方式の変調信号を送信する際の、第４の選択方法と異なる第５の選択方法について述べる。
【０１７８】
第５の選択方法：
送信方法＃５−１：
シングルストリームを送信する（ｓ１（ｉ）を送信する。）（ｓ１（ｉ）の）変調方式はＢＰＳＫ（または、π／２シフトＢＰＳＫ）とする。（ただし、シングルストリームの変調信号は、一つのアンテナを用いて送信してもよいし、複数のアンテナを用いて送信してもよい。）
送信方法＃５−２：
シングルストリームを送信する（ｓ１（ｉ）を送信する。）（ｓ１（ｉ）の）変調方式はＱＰＳＫ（または、π／２シフトＱＰＳＫ）とする。（ただし、シングルストリームの変調信号は、一つのアンテナを用いて送信してもよいし、複数のアンテナを用いて送信してもよい。）
送信方法＃５−３：
シングルストリームを送信する（ｓ１（ｉ）を送信する。）（ｓ１（ｉ）の）変調方式は１６ＱＡＭ（または、π／２シフト１６ＱＡＭ）（または、１６ＡＰＳＫなどの同相Ｉ−直交Ｑ平面に１６個の信号点が存在する変調方式（シフトを施してもよい））とする。（ただし、シングルストリームの変調信号は、一つのアンテナを用いて送信してもよいし、複数のアンテナを用いて送信してもよい。）
送信方法＃５−４：
シングルストリームを送信する（ｓ１（ｉ）を送信する。）（ｓ１（ｉ）の）変調方式は６４ＱＡＭ（または、π／２シフト６４ＱＡＭ）（または、６４ＡＰＳＫなどの同相Ｉ−直交Ｑ平面に６４個の信号点が存在する変調方式（シフトを施してもよい））とする。（ただし、シングルストリームの変調信号は、一つのアンテナを用いて送信してもよいし、複数のアンテナを用いて送信してもよい。）
送信方法＃５−５：
二つのストリームを送信する（ｓ１（ｉ）およびｓ２（ｉ）を送信する。）ｓ１（ｉ）の変調方式をＢＰＳＫ（または、π／２シフトＢＰＳＫ）とし、ｓ２（ｉ）の変調方式をＢＰＳＫ（または、π／２シフトＢＰＳＫ）とする。このとき、２つの変調信号を送信することになり、第１の変調信号を一つ以上のアンテナを用いて送信し、第２の変調信号を一つ以上のアンテナを用いて送信することになる。そして、二つのストリームは、図２、図３に基づき、式（１３）から式（２０）のいずれかの（プリコーディング）行列を用い、プリコーディング（重み付け合成）が行われ、その後、（位相変更部２０５Ｂにより）位相変更が行われ、送信されることになる。（なお、位相変更は行われなくてもよく、（係数乗算部３０１Ａ、３０２Ａにより）係数乗算が行われることもある。）このとき、式（１３）から式（２０）では、θ≠０ラジアンとする（なお、θは０ラジアン以上２πラジアン未満（０ラジアン≦θ＜２πラジアン）とする。）
送信方法＃５−６：
二つのストリームを送信する（ｓ１（ｉ）およびｓ２（ｉ）を送信する。）ｓ１（ｉ）の変調方式をＱＰＳＫ（または、π／２シフトＱＰＳＫ）とし、ｓ２（ｉ）の変調方式をＱＰＳＫ（または、π／２シフトＱＰＳＫ）とする。このとき、２つの変調信号を送信することになり、第１の変調信号を一つ以上のアンテナを用いて送信し、第２の変調信号を一つ以上のアンテナを用いて送信することになる。そして、二つのストリームは、図２、図３に基づき、式（１３）から式（２０）のいずれかの（プリコーディング）行列を用い、プリコーディング（重み付け合成）が行われ、その後、（位相変更部２０５Ｂにより）位相変更が行われ、送信されることになる。（なお、位相変更は行われなくてもよく、（係数乗算部３０１Ａ、３０２Ａにより）係数乗算が行われることもある。）このとき、式（１３）から式（２０）では、θ≠０ラジアンとする（なお、θは０ラジアン以上２πラジアン未満（０ラジアン≦θ＜２πラジアン）とする。）
送信方法＃５−７：
二つのストリームを送信する（ｓ１（ｉ）およびｓ２（ｉ）を送信する。）ｓ１（ｉ）の変調方式をＱＰＳＫ（または、π／２シフトＱＰＳＫ）とし、ｓ２（ｉ）の変調方式を１６ＱＡＭ（または、π／２シフト１６ＱＡＭ）（または、１６ＡＰＳＫなどの同相Ｉ−直交Ｑ平面に１６個の信号点が存在する変調方式（シフトを施してもよい））とする。このとき、２つの変調信号を送信することになり、第１の変調信号を一つ以上のアンテナを用いて送信し、第２の変調信号を一つ以上のアンテナを用いて送信することになる。そして、二つのストリームは、図２、図３に基づき、式（１３）から式（２０）のいずれかの（プリコーディング）行列を用い、プリコーディング（重み付け合成）が行われ、その後、（位相変更部２０５Ｂにより）位相変更が行われ、送信されることになる。（なお、位相変更は行われなくてもよく、（係数乗算部３０１Ａ、３０２Ａにより）係数乗算が行われることもある。）このとき、式（１３）から式（２０）では、θ≠０ラジアンとする（なお、θは０ラジアン以上２πラジアン未満（０ラジアン≦θ＜２πラジアン）とする。）（θ＝π／４ラジアン（４５度）とすると、各アンテナから送信される変調信号の平均送信電力が等しくなる。）
送信方法＃５−８：
二つのストリームを送信する（ｓ１（ｉ）およびｓ２（ｉ）を送信する。）ｓ１（ｉ）の変調方式を１６ＱＡＭ（または、π／２シフト１６ＱＡＭ）（または、１６ＡＰＳＫなどの同相Ｉ−直交Ｑ平面に１６個の信号点が存在する変調方式（シフトを施してもよい））とし、ｓ２（ｉ）の変調方式を１６ＱＡＭ（または、π／２シフト１６ＱＡＭ）（または、１６ＡＰＳＫなどの同相Ｉ−直交Ｑ平面に１６個の信号点が存在する変調方式（シフトを施してもよい））とする。このとき、２つの変調信号を送信することになり、第１の変調信号を一つ以上のアンテナを用いて送信し、第２の変調信号を一つ以上のアンテナを用いて送信することになる。そして、二つのストリームは、図２、図３に基づき、式（１３）から式（２０）のいずれかの（プリコーディング）行列を用い、プリコーディング（重み付け合成）が行われ、その後、（位相変更部２０５Ｂにより）位相変更が行われ、送信されることになる。（なお、位相変更は行われなくてもよく、（係数乗算部３０１Ａ、３０２Ａにより）係数乗算が行われることもある。）
ここでのプリコーディングの処理について説明する。
【０１７９】
図１の送信装置において、プリコーディングの処理のために、式（１３）から式（２０）のいずれかの式であらわされる複数のプリコーディング行列を用意する。例えば、プリコーディング行列として、Ｎ個（Ｎは２以上の整数とする）のプリコーディング行列を用意する。ここで、Ｎ個のプリコーディング行列を「第ｉ行列（ｉは１以上Ｎ以下の整数とする）」と名づける。（第ｉ行列は、式（１３）から式（２０）のいずれかの行列であらわされる。）
そして、図２、図３の重み付け合成部２０３は、制御信号２００に基づき、第１行列から第Ｎ行列のＮ個の行列から、制御信号２００で指定された、一つの行列を用い、プリコーディングを施すことになる。
【０１８０】
なお、Ｎ個の行列の中には、「θ＝０とした式（１３）から式（２０）のいずれかを満たすプリコーディング行列」が、少なくとも一つ含まれており、また、Ｎ個の行列の中には、「θ≠０とした式（１３）から式（２０）のいずれかを満たすプリコーディング行列」が、少なくとも一つ含まれているものとする。
送信方法＃５−９：
二つのストリームを送信する（ｓ１（ｉ）およびｓ２（ｉ）を送信する。）ｓ１（ｉ）の変調方式を６４ＱＡＭ（または、π／２シフト６４ＱＡＭ）（または、１６ＡＰＳＫなどの同相Ｉ−直交Ｑ平面に６４個の信号点が存在する変調方式（シフトを施してもよい））とし、ｓ２（ｉ）の変調方式を６４ＱＡＭ（または、π／２シフト６４ＱＡＭ）（または、６４ＡＰＳＫなどの同相Ｉ−直交Ｑ平面に６４個の信号点が存在する変調方式（シフトを施してもよい））とする。このとき、２つの変調信号を送信することになり、第１の変調信号を一つ以上のアンテナを用いて送信し、第２の変調信号を一つ以上のアンテナを用いて送信することになる。そして、二つのストリームは、図２、図３に基づき、式（１３）から式（２０）のいずれかの（プリコーディング）行列を用い、プリコーディング（重み付け合成）が行われ、その後、（位相変更部２０５Ｂにより）位相変更が行われ、送信されることになる。（なお、位相変更は行われなくてもよく、（係数乗算部３０１Ａ、３０２Ａにより）係数乗算が行われることもある。）このとき、式（１３）から式（２０）では、θ≠０ラジアンとする（なお、θは０ラジアン以上２πラジアン未満（０ラジアン≦θ＜２πラジアン）とする。）
または、二つのストリームを送信する（ｓ１（ｉ）およびｓ２（ｉ）を送信する。）ｓ１（ｉ）の変調方式を６４ＱＡＭ（または、π／２シフト６４ＱＡＭ）（または、１６ＡＰＳＫなどの同相Ｉ−直交Ｑ平面に６４個の信号点が存在する変調方式（シフトを施してもよい））とし、ｓ２（ｉ）の変調方式を６４ＱＡＭ（または、π／２シフト６４ＱＡＭ）（または、６４ＡＰＳＫなどの同相Ｉ−直交Ｑ平面に６４個の信号点が存在する変調方式（シフトを施してもよい））とする。このとき、２つの変調信号を送信することになり、第１の変調信号を一つ以上のアンテナを用いて送信し、第２の変調信号を一つ以上のアンテナを用いて送信することになる。そして、二つのストリームは、図２、図３に基づき、式（１３）から式（２０）のいずれかの（プリコーディング）行列を用い、プリコーディング（重み付け合成）が行われ、その後、（位相変更部２０５Ｂにより）位相変更が行われ、送信されることになる。（なお、位相変更は行われなくてもよく、（係数乗算部３０１Ａ、３０２Ａにより）係数乗算が行われることもある。）このとき、式（１３）から式（２０）では、θ＝０ラジアンとする（なお、θは０ラジアン以上２πラジアン未満（０ラジアン≦θ＜２πラジアン）とする。）
または、二つのストリームを送信する（ｓ１（ｉ）およびｓ２（ｉ）を送信する。）ｓ１（ｉ）の変調方式を６４ＱＡＭ（または、π／２シフト６４ＱＡＭ）（または、６４ＡＰＳＫなどの同相Ｉ−直交Ｑ平面に６４個の信号点が存在する変調方式（シフトを施してもよい））とし、ｓ２（ｉ）の変調方式を６４ＱＡＭ（または、π／２シフト６４ＱＡＭ）（または、６４ＡＰＳＫなどの同相Ｉ−直交Ｑ平面に６４個の信号点が存在する変調方式（シフトを施してもよい））とする。このとき、２つの変調信号を送信することになり、第１の変調信号を一つ以上のアンテナを用いて送信し、第２の変調信号を一つ以上のアンテナを用いて送信することになる。そして、二つのストリームは、図２、図３に基づき、式（１３）から式（２０）のいずれかの（プリコーディング）行列を用い、プリコーディング（重み付け合成）が行われ、その後、（位相変更部２０５Ｂにより）位相変更が行われ、送信されることになる。（なお、位相変更は行われなくてもよく、（係数乗算部３０１Ａ、３０２Ａにより）係数乗算が行われることもある。）
ここでのプリコーディングの処理について説明する。
【０１８１】
図１の送信装置において、プリコーディングの処理のために、式（１３）から式（２０）のいずれかの式であらわされる複数のプリコーディング行列を用意する。例えば、プリコーディング行列として、Ｎ個（Ｎは２以上の整数とする）のプリコーディング行列を用意する。ここで、Ｎ個のプリコーディング行列を「第ｉ行列（ｉは１以上Ｎ以下の整数とする）」と名づける。（第ｉ行列は、式（１３）から式（２０）のいずれかの行列であらわされる。）
そして、図２、図３の重み付け合成部２０３は、制御信号２００に基づき、第１行列から第Ｎ行列のＮ個の行列から、制御信号２００で指定された、一つの行列を用い、プリコーディングを施すことになる。
【０１８２】
なお、Ｎ個の行列の中には、「θ＝０とした式（１３）から式（２０）のいずれかを満たすプリコーディング行列」が、少なくとも一つ含まれており、また、Ｎ個の行列の中には、「θ≠０とした式（１３）から式（２０）のいずれかを満たすプリコーディング行列」が、少なくとも一つ含まれているものとする。
なお、第５の選択方法では、送信方法＃５−１から送信方法＃５−９のすべての送信方法に対応していなくてもよい。例えば、第５の選択方法では、送信方法＃５−５、送信方法＃５−６、送信方法＃５−７の３つの送信方法のうち、一つ以上の送信方法に対応していればよい。そして、第５の送信方法では、送信方法＃５−８、送信方法＃５−９の２つの送信方法のうち、一つ以上の送信方法に対応していればよい。
【０１８３】
また、第５の選択方法では、送信方法＃４−１に対応していなくてもよい。（第５の選択方法では、図１の送信装置の送信方法の選択候補に、送信方法＃５−１を含まない。）
第５の選択方法に、送信方法＃５−１から送信方法＃５−９以外の送信方法が含まれていてもよい。
このとき、以下を満たすことになる。
【０１８４】
送信方法＃５−１：
送信信号の同相Ｉ−直交Ｑ平面における信号点の数は２．
送信方法＃５−２：
送信信号の同相Ｉ−直交Ｑ平面における信号点の数は４．
送信方法＃５−３：
送信信号の同相Ｉ−直交Ｑ平面における信号点の数は１６．
送信方法＃５−４：
送信信号の同相Ｉ−直交Ｑ平面における信号点の数は６４．
送信方法＃５−５：
送信信号の同相Ｉ−直交Ｑ平面における信号点の数は２より大きく４以下。送信ダイバーシチの効果を得ることが可能。
【０１８５】
送信方法＃５−６：
送信信号の同相Ｉ−直交Ｑ平面における信号点の数は４より大きく１６以下。送信ダイバーシチの効果を得ることが可能。
送信方法＃５−７：
送信信号の同相Ｉ−直交Ｑ平面における信号点の数は４より大きく６４以下。送信ダイバーシチの効果を得ることが可能。
【０１８６】
送信方法＃５−８：
送信信号の同相Ｉ−直交Ｑ平面における信号点の数は１６以上２５６以下。送信ダイバーシチの効果を得ることができる場合がある。
送信方法＃５−９：
送信信号の同相Ｉ−直交Ｑ平面における信号点の数は６４以上４０９６以下。送信ダイバーシチの効果を得ることができる場合があってもよい。
【０１８７】
以上のように、シングルキャリア方式の変調信号を送信するときの送信方法の選択方法とＯＦＤＭ方式のようなマルチキャリア方式の変調信号を送信するときの送信方法の選択方法が異なる。
ＯＦＤＭ方式のようなマルチキャリア方式の変調信号を送信するときの送信方法の選択方法として、第５の選択方法とした理由について説明する。
【０１８８】
ＯＦＤＭ方式のようなマルチキャリア方式の変調信号を送信する送信装置としては、変調方式によらず、ＲＦ部の位相雑音の影響が小さく、かつ、送信電力増幅器の非線形歪みの影響が少ないという要求条件を満たす必要がある。（これを満たさないと送信装置が送信した変調信号を受信する受信装置では、高いデータの受信品質を得ることが難しい。（送信装置は、同時に複数のキャリアの変調信号を送信しているため、変調方式によらずＰＡＰＲが大きいため、前に述べたような要求条件が重要となる。））
したがって、図１の送信装置が「第３の送信装置」（または、第１の送信装置）の場合、第５の選択方法のようにすることで、複数の変調信号を送信している場合、受信装置が高いデータの受信品質を得ることができる可能性を高くするために、プリコーディングを実施することを可能な限り優先している。
【０１８９】
以上のようにすることで、「送信装置がシングルキャリア方式の変調信号を送信する、または、ＯＦＤＭ方式のようなマルチキャリア方式の変調信号を送信する」、に関わらず、送信装置が送信した変調信号を受信する受信装置は、より高いデータの受信品質を得ることができるという効果を得ることができる。
次に、ＯＦＤＭ方式のようなマルチキャリア伝送方式の変調信号を送信する際の、第４の選択方法、第５の選択方法とは異なる第６の選択方法について述べる。
【０１９０】
第６の選択方法：
送信方法＃６−１：
シングルストリームを送信する（ｓ１（ｉ）を送信する。）（ｓ１（ｉ）の）変調方式はＢＰＳＫ（または、π／２シフトＢＰＳＫ）とする。（ただし、シングルストリームの変調信号は、一つのアンテナを用いて送信してもよいし、複数のアンテナを用いて送信してもよい。）
送信方法＃６−２：
シングルストリームを送信する（ｓ１（ｉ）を送信する。）（ｓ１（ｉ）の）変調方式はＱＰＳＫ（または、π／２シフトＱＰＳＫ）とする。（ただし、シングルストリームの変調信号は、一つのアンテナを用いて送信してもよいし、複数のアンテナを用いて送信してもよい。）
送信方法＃６−３：
シングルストリームを送信する（ｓ１（ｉ）を送信する。）（ｓ１（ｉ）の）変調方式は１６ＱＡＭ（または、π／２シフト１６ＱＡＭ）（または、１６ＡＰＳＫなどの同相Ｉ−直交Ｑ平面に１６個の信号点が存在する変調方式（シフトを施してもよい））とする。（ただし、シングルストリームの変調信号は、一つのアンテナを用いて送信してもよいし、複数のアンテナを用いて送信してもよい。）
送信方法＃６−４：
シングルストリームを送信する（ｓ１（ｉ）を送信する。）（ｓ１（ｉ）の）変調方式は６４ＱＡＭ（または、π／２シフト６４ＱＡＭ）（または、６４ＡＰＳＫなどの同相Ｉ−直交Ｑ平面に６４個の信号点が存在する変調方式（シフトを施してもよい））とする。（ただし、シングルストリームの変調信号は、一つのアンテナを用いて送信してもよいし、複数のアンテナを用いて送信してもよい。）
送信方法＃６−５：
二つのストリームを送信する（ｓ１（ｉ）およびｓ２（ｉ）を送信する。）ｓ１（ｉ）の変調方式をＢＰＳＫ（または、π／２シフトＢＰＳＫ）とし、ｓ２（ｉ）の変調方式をＢＰＳＫ（または、π／２シフトＢＰＳＫ）とする。このとき、２つの変調信号を送信することになり、第１の変調信号を一つ以上のアンテナを用いて送信し、第２の変調信号を一つ以上のアンテナを用いて送信することになる。そして、二つのストリームは、図２、図３に基づき、式（１３）から式（２０）のいずれかの（プリコーディング）行列を用い、プリコーディング（重み付け合成）が行われ、その後、（位相変更部２０５Ｂにより）位相変更が行われ、送信されることになる。（なお、位相変更は行われなくてもよく、（係数乗算部３０１Ａ、３０２Ａにより）係数乗算が行われることもある。）
ここでのプリコーディングの処理について説明する。
【０１９１】
図１の送信装置において、プリコーディングの処理のために、式（１３）から式（２０）のいずれかの式であらわされる複数のプリコーディング行列を用意する。例えば、プリコーディング行列として、Ｎ個（Ｎは２以上の整数とする）のプリコーディング行列を用意する。ここで、Ｎ個のプリコーディング行列を「第ｉ行列（ｉは１以上Ｎ以下の整数とする）」と名づける。（第ｉ行列は、式（１３）から式（２０）のいずれかの行列であらわされる。）
そして、図２、図３の重み付け合成部２０３は、制御信号２００に基づき、第１行列から第Ｎ行列のＮ個の行列から、制御信号２００で指定された、一つの行列を用い、プリコーディングを施すことになる。
【０１９２】
なお、Ｎ個の行列の中には、「θ＝０とした式（１３）から式（２０）のいずれかを満たすプリコーディング行列」が、少なくとも一つ含まれており、また、Ｎ個の行列の中には、「θ≠０とした式（１３）から式（２０）のいずれかを満たすプリコーディング行列」が、少なくとも一つ含まれているものとする。
送信方法＃６−６：
二つのストリームを送信する（ｓ１（ｉ）およびｓ２（ｉ）を送信する。）ｓ１（ｉ）の変調方式をＱＰＳＫ（または、π／２シフトＱＰＳＫ）とし、ｓ２（ｉ）の変調方式をＱＰＳＫ（または、π／２シフトＱＰＳＫ）とする。このとき、２つの変調信号を送信することになり、第１の変調信号を一つ以上のアンテナを用いて送信し、第２の変調信号を一つ以上のアンテナを用いて送信することになる。そして、二つのストリームは、図２、図３に基づき、式（１３）から式（２０）のいずれかの（プリコーディング）行列を用い、プリコーディング（重み付け合成）が行われ、その後、（位相変更部２０５Ｂにより）位相変更が行われ、送信されることになる。（なお、位相変更は行われなくてもよく、（係数乗算部３０１Ａ、３０２Ａにより）係数乗算が行われることもある。）
ここでのプリコーディングの処理について説明する。
【０１９３】
図１の送信装置において、プリコーディングの処理のために、式（１３）から式（２０）のいずれかの式であらわされる複数のプリコーディング行列を用意する。例えば、プリコーディング行列として、Ｎ個（Ｎは２以上の整数とする）のプリコーディング行列を用意する。ここで、Ｎ個のプリコーディング行列を「第ｉ行列（ｉは１以上Ｎ以下の整数とする）」と名づける。（第ｉ行列は、式（１３）から式（２０）のいずれかの行列であらわされる。）
そして、図２、図３の重み付け合成部２０３は、制御信号２００に基づき、第１行列から第Ｎ行列のＮ個の行列から、制御信号２００で指定された、一つの行列を用い、プリコーディングを施すことになる。
【０１９４】
なお、Ｎ個の行列の中には、「θ＝０とした式（１３）から式（２０）のいずれかを満たすプリコーディング行列」が、少なくとも一つ含まれており、また、Ｎ個の行列の中には、「θ≠０とした式（１３）から式（２０）のいずれかを満たすプリコーディング行列」が、少なくとも一つ含まれているものとする。
送信方法＃６−７：
二つのストリームを送信する（ｓ１（ｉ）およびｓ２（ｉ）を送信する。）ｓ１（ｉ）の変調方式をＱＰＳＫ（または、π／２シフトＱＰＳＫ）とし、ｓ２（ｉ）の変調方式を１６ＱＡＭ（または、π／２シフト１６ＱＡＭ）（または、１６ＡＰＳＫなどの同相Ｉ−直交Ｑ平面に１６個の信号点が存在する変調方式（シフトを施してもよい））とする。このとき、２つの変調信号を送信することになり、第１の変調信号を一つ以上のアンテナを用いて送信し、第２の変調信号を一つ以上のアンテナを用いて送信することになる。そして、二つのストリームは、図２、図３に基づき、式（１３）から式（２０）のいずれかの（プリコーディング）行列を用い、プリコーディング（重み付け合成）が行われ、その後、（位相変更部２０５Ｂにより）位相変更が行われ、送信されることになる。（なお、位相変更は行われなくてもよく、（係数乗算部３０１Ａ、３０２Ａにより）係数乗算が行われることもある。）このとき、式（１３）から式（２０）では、θ≠０ラジアンとする（なお、θは０ラジアン以上２πラジアン未満（０ラジアン≦θ＜２πラジアン）とする。）（θ＝π／４ラジアン（４５度）とすると、各アンテナから送信される変調信号の平均送信電力が等しくなる。）
送信方法＃６−８：
二つのストリームを送信する（ｓ１（ｉ）およびｓ２（ｉ）を送信する。）ｓ１（ｉ）の変調方式を１６ＱＡＭ（または、π／２シフト１６ＱＡＭ）（または、１６ＡＰＳＫなどの同相Ｉ−直交Ｑ平面に１６個の信号点が存在する変調方式（シフトを施してもよい））とし、ｓ２（ｉ）の変調方式を１６ＱＡＭ（または、π／２シフト１６ＱＡＭ）（または、１６ＡＰＳＫなどの同相Ｉ−直交Ｑ平面に１６個の信号点が存在する変調方式（シフトを施してもよい））とする。このとき、２つの変調信号を送信することになり、第１の変調信号を一つ以上のアンテナを用いて送信し、第２の変調信号を一つ以上のアンテナを用いて送信することになる。そして、二つのストリームは、図２、図３に基づき、式（１３）から式（２０）のいずれかの（プリコーディング）行列を用い、プリコーディング（重み付け合成）が行われ、その後、（位相変更部２０５Ｂにより）位相変更が行われ、送信されることになる。（なお、位相変更は行われなくてもよく、（係数乗算部３０１Ａ、３０２Ａにより）係数乗算が行われることもある。）このとき、式（１３）から式（２０）では、θ≠０ラジアンとする（なお、θは０ラジアン以上２πラジアン未満（０ラジアン≦θ＜２πラジアン）とする。）
送信方法＃６−９：
二つのストリームを送信する（ｓ１（ｉ）およびｓ２（ｉ）を送信する。）ｓ１（ｉ）の変調方式を６４ＱＡＭ（または、π／２シフト６４ＱＡＭ）（または、１６ＡＰＳＫなどの同相Ｉ−直交Ｑ平面に６４個の信号点が存在する変調方式（シフトを施してもよい））とし、ｓ２（ｉ）の変調方式を６４ＱＡＭ（または、π／２シフト６４ＱＡＭ）（または、６４ＡＰＳＫなどの同相Ｉ−直交Ｑ平面に６４個の信号点が存在する変調方式（シフトを施してもよい））とする。このとき、２つの変調信号を送信することになり、第１の変調信号を一つ以上のアンテナを用いて送信し、第２の変調信号を一つ以上のアンテナを用いて送信することになる。そして、二つのストリームは、図２、図３に基づき、式（１３）から式（２０）のいずれかの（プリコーディング）行列を用い、プリコーディング（重み付け合成）が行われ、その後、（位相変更部２０５Ｂにより）位相変更が行われ、送信されることになる。（なお、位相変更は行われなくてもよく、（係数乗算部３０１Ａ、３０２Ａにより）係数乗算が行われることもある。）このとき、式（１３）から式（２０）では、θ≠０ラジアンとする（なお、θは０ラジアン以上２πラジアン未満（０ラジアン≦θ＜２πラジアン）とする。）
または、二つのストリームを送信する（ｓ１（ｉ）およびｓ２（ｉ）を送信する。）ｓ１（ｉ）の変調方式を６４ＱＡＭ（または、π／２シフト６４ＱＡＭ）（または、１６ＡＰＳＫなどの同相Ｉ−直交Ｑ平面に６４個の信号点が存在する変調方式（シフトを施してもよい））とし、ｓ２（ｉ）の変調方式を６４ＱＡＭ（または、π／２シフト６４ＱＡＭ）（または、６４ＡＰＳＫなどの同相Ｉ−直交Ｑ平面に６４個の信号点が存在する変調方式（シフトを施してもよい））とする。このとき、２つの変調信号を送信することになり、第１の変調信号を一つ以上のアンテナを用いて送信し、第２の変調信号を一つ以上のアンテナを用いて送信することになる。そして、二つのストリームは、図２、図３に基づき、式（１３）から式（２０）のいずれかの（プリコーディング）行列を用い、プリコーディング（重み付け合成）が行われ、その後、（位相変更部２０５Ｂにより）位相変更が行われ、送信されることになる。（なお、位相変更は行われなくてもよく、（係数乗算部３０１Ａ、３０２Ａにより）係数乗算が行われることもある。）このとき、式（１３）から式（２０）では、θ＝０ラジアンとする（なお、θは０ラジアン以上２πラジアン未満（０ラジアン≦θ＜２πラジアン）とする。）
または、二つのストリームを送信する（ｓ１（ｉ）およびｓ２（ｉ）を送信する。）ｓ１（ｉ）の変調方式を６４ＱＡＭ（または、π／２シフト６４ＱＡＭ）（または、６４ＡＰＳＫなどの同相Ｉ−直交Ｑ平面に６４個の信号点が存在する変調方式（シフトを施してもよい））とし、ｓ２（ｉ）の変調方式を６４ＱＡＭ（または、π／２シフト６４ＱＡＭ）（または、６４ＡＰＳＫなどの同相Ｉ−直交Ｑ平面に６４個の信号点が存在する変調方式（シフトを施してもよい））とする。このとき、２つの変調信号を送信することになり、第１の変調信号を一つ以上のアンテナを用いて送信し、第２の変調信号を一つ以上のアンテナを用いて送信することになる。そして、二つのストリームは、図２、図３に基づき、式（１３）から式（２０）のいずれかの（プリコーディング）行列を用い、プリコーディング（重み付け合成）が行われ、その後、（位相変更部２０５Ｂにより）位相変更が行われ、送信されることになる。（なお、位相変更は行われなくてもよく、（係数乗算部３０１Ａ、３０２Ａにより）係数乗算が行われることもある。）
ここでのプリコーディングの処理について説明する。
図１の送信装置において、プリコーディングの処理のために、式（１３）から式（２０）のいずれかの式であらわされる複数のプリコーディング行列を用意する。例えば、プリコーディング行列として、Ｎ個（Ｎは２以上の整数とする）のプリコーディング行列を用意する。ここで、Ｎ個のプリコーディング行列を「第ｉ行列（ｉは１以上Ｎ以下の整数とする）」と名づける。（第ｉ行列は、式（１３）から式（２０）のいずれかの行列であらわされる。）
そして、図２、図３の重み付け合成部２０３は、制御信号２００に基づき、第１行列から第Ｎ行列のＮ個の行列から、制御信号２００で指定された、一つの行列を用い、プリコーディングを施すことになる。
【０１９５】
なお、Ｎ個の行列の中には、「θ＝０とした式（１３）から式（２０）のいずれかを満たすプリコーディング行列」が、少なくとも一つ含まれており、また、Ｎ個の行列の中には、「θ≠０とした式（１３）から式（２０）のいずれかを満たすプリコーディング行列」が、少なくとも一つ含まれているものとする。
なお、第６の選択方法では、送信方法＃６−１から送信方法＃６−９のすべての送信方法に対応していなくてもよい。例えば、第６の選択方法では、送信方法＃６−５、送信方法＃６−６、送信方法＃６−７の３つの送信方法のうち、一つ以上の送信方法に対応していればよい。そして、第６の送信方法では、送信方法＃６−８、送信方法＃６−９の２つの送信方法のうち、一つ以上の送信方法に対応していればよい。
【０１９６】
また、第６の選択方法では、送信方法＃６−１に対応していなくてもよい。（第６の選択方法では、図１の送信装置の送信方法の選択候補に、送信方法＃６−１を含まない。）
第６の選択方法に、送信方法＃６−１から送信方法＃６−９以外の送信方法が含まれていてもよい。
このとき、以下を満たすことになる。
【０１９７】
送信方法＃６−１：
送信信号の同相Ｉ−直交Ｑ平面における信号点の数は２．
送信方法＃６−２：
送信信号の同相Ｉ−直交Ｑ平面における信号点の数は４．
送信方法＃６−３：
送信信号の同相Ｉ−直交Ｑ平面における信号点の数は１６．
送信方法＃６−４：
送信信号の同相Ｉ−直交Ｑ平面における信号点の数は６４．
送信方法＃６−５：
送信信号の同相Ｉ−直交Ｑ平面における信号点の数は２以上４以下。送信ダイバーシチの効果を得ることが可能な場合が存在する。
【０１９８】
送信方法＃６−６：
送信信号の同相Ｉ−直交Ｑ平面における信号点の数は４以上１６以下。送信ダイバーシチの効果を得ることが可能な場合が存在する。
送信方法＃６−７：
送信信号の同相Ｉ−直交Ｑ平面における信号点の数は４より大きく６４以下。送信ダイバーシチの効果を得ることが可能。
【０１９９】
送信方法＃６−８：
送信信号の同相Ｉ−直交Ｑ平面における信号点の数は１６より大きく２５６以下。送信ダイバーシチの効果を得ることが可能。
送信方法＃６−９：
送信信号の同相Ｉ−直交Ｑ平面における信号点の数は６４以上４０９６以下。送信ダイバーシチの効果を得ることができる場合があってもよい。
【０２００】
以上のように、シングルキャリア方式の変調信号を送信するときの送信方法の選択方法とＯＦＤＭ方式のようなマルチキャリア方式の変調信号を送信するときの送信方法の選択方法が異なる。
ＯＦＤＭ方式のようなマルチキャリア方式の変調信号を送信するときの送信方法の選択方法として、第６の選択方法とした理由について説明する。
【０２０１】
ＯＦＤＭ方式のようなマルチキャリア方式の変調信号を送信する送信装置としては、変調方式によらず、ＲＦ部の位相雑音の影響が小さく、かつ、送信電力増幅器の非線形歪みの影響が少ないという要求条件を満たす必要がある。（これを満たさないと送信装置が送信した変調信号を受信する受信装置では、高いデータの受信品質を得ることが難しい。（送信装置は、同時に複数のキャリアの変調信号を送信しているため、変調方式によらずＰＡＰＲが大きいため、前に述べたような要求条件が重要となる。））
したがって、図１の送信装置が「第３の送信装置」（または、第１の送信装置）の場合、第６の選択方法のようにすることで、複数の変調信号を送信している場合、受信装置が高いデータの受信品質を得ることができる可能性を高くするために、プリコーディングを実施することを可能な限り優先している。
【０２０２】
以上のようにすることで、「送信装置がシングルキャリア方式の変調信号を送信する、または、ＯＦＤＭ方式のようなマルチキャリア方式の変調信号を送信する」、に関わらず、送信装置が送信した変調信号を受信する受信装置は、より高いデータの受信品質を得ることができるという効果を得ることができる。
次に、ＯＦＤＭ方式のようなマルチキャリア伝送方式の変調信号を送信する際の、第４の選択方法、第５の選択方法、第６の選択方法とは異なる第７の選択方法について述べる。
【０２０３】
第７の選択方法：
送信方法＃７−１：
シングルストリームを送信する（ｓ１（ｉ）を送信する。）（ｓ１（ｉ）の）変調方式はＢＰＳＫ（または、π／２シフトＢＰＳＫ）とする。（ただし、シングルストリームの変調信号は、一つのアンテナを用いて送信してもよいし、複数のアンテナを用いて送信してもよい。）
送信方法＃７−２：
シングルストリームを送信する（ｓ１（ｉ）を送信する。）（ｓ１（ｉ）の）変調方式はＱＰＳＫ（または、π／２シフトＱＰＳＫ）とする。（ただし、シングルストリームの変調信号は、一つのアンテナを用いて送信してもよいし、複数のアンテナを用いて送信してもよい。）
送信方法＃７−３：
シングルストリームを送信する（ｓ１（ｉ）を送信する。）（ｓ１（ｉ）の）変調方式は１６ＱＡＭ（または、π／２シフト１６ＱＡＭ）（または、１６ＡＰＳＫなどの同相Ｉ−直交Ｑ平面に１６個の信号点が存在する変調方式（シフトを施してもよい））とする。（ただし、シングルストリームの変調信号は、一つのアンテナを用いて送信してもよいし、複数のアンテナを用いて送信してもよい。）
送信方法＃７−４：
シングルストリームを送信する（ｓ１（ｉ）を送信する。）（ｓ１（ｉ）の）変調方式は６４ＱＡＭ（または、π／２シフト６４ＱＡＭ）（または、６４ＡＰＳＫなどの同相Ｉ−直交Ｑ平面に６４個の信号点が存在する変調方式（シフトを施してもよい））とする。（ただし、シングルストリームの変調信号は、一つのアンテナを用いて送信してもよいし、複数のアンテナを用いて送信してもよい。）
送信方法＃７−５：
二つのストリームを送信する（ｓ１（ｉ）およびｓ２（ｉ）を送信する。）ｓ１（ｉ）の変調方式をＢＰＳＫ（または、π／２シフトＢＰＳＫ）とし、ｓ２（ｉ）の変調方式をＢＰＳＫ（または、π／２シフトＢＰＳＫ）とする。このとき、２つの変調信号を送信することになり、第１の変調信号を一つ以上のアンテナを用いて送信し、第２の変調信号を一つ以上のアンテナを用いて送信することになる。そして、二つのストリームは、図２、図３に基づき、式（１３）から式（２０）のいずれかの（プリコーディング）行列を用い、プリコーディング（重み付け合成）が行われ、その後、（位相変更部２０５Ｂにより）位相変更が行われ、送信されることになる。（なお、位相変更は行われなくてもよく、（係数乗算部３０１Ａ、３０２Ａにより）係数乗算が行われることもある。）
ここでのプリコーディングの処理について説明する。
【０２０４】
図１の送信装置において、プリコーディングの処理のために、式（１３）から式（２０）のいずれかの式であらわされる複数のプリコーディング行列を用意する。例えば、プリコーディング行列として、Ｎ個（Ｎは２以上の整数とする）のプリコーディング行列を用意する。ここで、Ｎ個のプリコーディング行列を「第ｉ行列（ｉは１以上Ｎ以下の整数とする）」と名づける。（第ｉ行列は、式（１３）から式（２０）のいずれかの行列であらわされる。）
そして、図２、図３の重み付け合成部２０３は、制御信号２００に基づき、第１行列から第Ｎ行列のＮ個の行列から、制御信号２００で指定された、一つの行列を用い、プリコーディングを施すことになる。
【０２０５】
なお、Ｎ個の行列の中には、「θ＝０とした式（１３）から式（２０）のいずれかを満たすプリコーディング行列」が、少なくとも一つ含まれており、また、Ｎ個の行列の中には、「θ≠０とした式（１３）から式（２０）のいずれかを満たすプリコーディング行列」が、少なくとも一つ含まれているものとする。
送信方法＃７−６：
二つのストリームを送信する（ｓ１（ｉ）およびｓ２（ｉ）を送信する。）ｓ１（ｉ）の変調方式をＱＰＳＫ（または、π／２シフトＱＰＳＫ）とし、ｓ２（ｉ）の変調方式をＱＰＳＫ（または、π／２シフトＱＰＳＫ）とする。このとき、２つの変調信号を送信することになり、第１の変調信号を一つ以上のアンテナを用いて送信し、第２の変調信号を一つ以上のアンテナを用いて送信することになる。そして、二つのストリームは、図２、図３に基づき、式（１３）から式（２０）のいずれかの（プリコーディング）行列を用い、プリコーディング（重み付け合成）が行われ、その後、（位相変更部２０５Ｂにより）位相変更が行われ、送信されることになる。（なお、位相変更は行われなくてもよく、（係数乗算部３０１Ａ、３０２Ａにより）係数乗算が行われることもある。）
ここでのプリコーディングの処理について説明する。
【０２０６】
図１の送信装置において、プリコーディングの処理のために、式（１３）から式（２０）のいずれかの式であらわされる複数のプリコーディング行列を用意する。例えば、プリコーディング行列として、Ｎ個（Ｎは２以上の整数とする）のプリコーディング行列を用意する。ここで、Ｎ個のプリコーディング行列を「第ｉ行列（ｉは１以上Ｎ以下の整数とする）」と名づける。（第ｉ行列は、式（１３）から式（２０）のいずれかの行列であらわされる。）
そして、図２、図３の重み付け合成部２０３は、制御信号２００に基づき、第１行列から第Ｎ行列のＮ個の行列から、制御信号２００で指定された、一つの行列を用い、プリコーディングを施すことになる。
【０２０７】
なお、Ｎ個の行列の中には、「θ＝０とした式（１３）から式（２０）のいずれかを満たすプリコーディング行列」が、少なくとも一つ含まれており、また、Ｎ個の行列の中には、「θ≠０とした式（１３）から式（２０）のいずれかを満たすプリコーディング行列」が、少なくとも一つ含まれているものとする。
送信方法＃７−７：
二つのストリームを送信する（ｓ１（ｉ）およびｓ２（ｉ）を送信する。）ｓ１（ｉ）の変調方式をＱＰＳＫ（または、π／２シフトＱＰＳＫ）とし、ｓ２（ｉ）の変調方式を１６ＱＡＭ（または、π／２シフト１６ＱＡＭ）（または、１６ＡＰＳＫなどの同相Ｉ−直交Ｑ平面に１６個の信号点が存在する変調方式（シフトを施してもよい））とする。このとき、２つの変調信号を送信することになり、第１の変調信号を一つ以上のアンテナを用いて送信し、第２の変調信号を一つ以上のアンテナを用いて送信することになる。そして、二つのストリームは、図２、図３に基づき、式（１３）から式（２０）のいずれかの（プリコーディング）行列を用い、プリコーディング（重み付け合成）が行われ、その後、（位相変更部２０５Ｂにより）位相変更が行われ、送信されることになる。（なお、位相変更は行われなくてもよく、（係数乗算部３０１Ａ、３０２Ａにより）係数乗算が行われることもある。）このとき、式（１３）から式（２０）では、θ≠０ラジアンとする（なお、θは０ラジアン以上２πラジアン未満（０ラジアン≦θ＜２πラジアン）とする。）（θ＝π／４ラジアン（４５度）とすると、各アンテナから送信される変調信号の平均送信電力が等しくなる。）
送信方法＃７−８：
二つのストリームを送信する（ｓ１（ｉ）およびｓ２（ｉ）を送信する。）ｓ１（ｉ）の変調方式を１６ＱＡＭ（または、π／２シフト１６ＱＡＭ）（または、１６ＡＰＳＫなどの同相Ｉ−直交Ｑ平面に１６個の信号点が存在する変調方式（シフトを施してもよい））とし、ｓ２（ｉ）の変調方式を１６ＱＡＭ（または、π／２シフト１６ＱＡＭ）（または、１６ＡＰＳＫなどの同相Ｉ−直交Ｑ平面に１６個の信号点が存在する変調方式（シフトを施してもよい））とする。このとき、２つの変調信号を送信することになり、第１の変調信号を一つ以上のアンテナを用いて送信し、第２の変調信号を一つ以上のアンテナを用いて送信することになる。そして、二つのストリームは、図２、図３に基づき、式（１３）から式（２０）のいずれかの（プリコーディング）行列を用い、プリコーディング（重み付け合成）が行われ、その後、（位相変更部２０５Ｂにより）位相変更が行われ、送信されることになる。（なお、位相変更は行われなくてもよく、（係数乗算部３０１Ａ、３０２Ａにより）係数乗算が行われることもある。）
ここでのプリコーディングの処理について説明する。
【０２０８】
図１の送信装置において、プリコーディングの処理のために、式（１３）から式（２０）のいずれかの式であらわされる複数のプリコーディング行列を用意する。例えば、プリコーディング行列として、Ｎ個（Ｎは２以上の整数とする）のプリコーディング行列を用意する。ここで、Ｎ個のプリコーディング行列を「第ｉ行列（ｉは１以上Ｎ以下の整数とする）」と名づける。（第ｉ行列は、式（１３）から式（２０）のいずれかの行列であらわされる。）
そして、図２、図３の重み付け合成部２０３は、制御信号２００に基づき、第１行列から第Ｎ行列のＮ個の行列から、制御信号２００で指定された、一つの行列を用い、プリコーディングを施すことになる。
【０２０９】
なお、Ｎ個の行列の中には、「θ＝０とした式（１３）から式（２０）のいずれかを満たすプリコーディング行列」が、少なくとも一つ含まれており、また、Ｎ個の行列の中には、「θ≠０とした式（１３）から式（２０）のいずれかを満たすプリコーディング行列」が、少なくとも一つ含まれているものとする。
送信方法＃７−９：
二つのストリームを送信する（ｓ１（ｉ）およびｓ２（ｉ）を送信する。）ｓ１（ｉ）の変調方式を６４ＱＡＭ（または、π／２シフト６４ＱＡＭ）（または、１６ＡＰＳＫなどの同相Ｉ−直交Ｑ平面に６４個の信号点が存在する変調方式（シフトを施してもよい））とし、ｓ２（ｉ）の変調方式を６４ＱＡＭ（または、π／２シフト６４ＱＡＭ）（または、６４ＡＰＳＫなどの同相Ｉ−直交Ｑ平面に６４個の信号点が存在する変調方式（シフトを施してもよい））とする。このとき、２つの変調信号を送信することになり、第１の変調信号を一つ以上のアンテナを用いて送信し、第２の変調信号を一つ以上のアンテナを用いて送信することになる。そして、二つのストリームは、図２、図３に基づき、式（１３）から式（２０）のいずれかの（プリコーディング）行列を用い、プリコーディング（重み付け合成）が行われ、その後、（位相変更部２０５Ｂにより）位相変更が行われ、送信されることになる。（なお、位相変更は行われなくてもよく、（係数乗算部３０１Ａ、３０２Ａにより）係数乗算が行われることもある。）このとき、式（１３）から式（２０）では、θ≠０ラジアンとする（なお、θは０ラジアン以上２πラジアン未満（０ラジアン≦θ＜２πラジアン）とする。）
または、二つのストリームを送信する（ｓ１（ｉ）およびｓ２（ｉ）を送信する。）ｓ１（ｉ）の変調方式を６４ＱＡＭ（または、π／２シフト６４ＱＡＭ）（または、１６ＡＰＳＫなどの同相Ｉ−直交Ｑ平面に６４個の信号点が存在する変調方式（シフトを施してもよい））とし、ｓ２（ｉ）の変調方式を６４ＱＡＭ（または、π／２シフト６４ＱＡＭ）（または、６４ＡＰＳＫなどの同相Ｉ−直交Ｑ平面に６４個の信号点が存在する変調方式（シフトを施してもよい））とする。このとき、２つの変調信号を送信することになり、第１の変調信号を一つ以上のアンテナを用いて送信し、第２の変調信号を一つ以上のアンテナを用いて送信することになる。そして、二つのストリームは、図２、図３に基づき、式（１３）から式（２０）のいずれかの（プリコーディング）行列を用い、プリコーディング（重み付け合成）が行われ、その後、（位相変更部２０５Ｂにより）位相変更が行われ、送信されることになる。（なお、位相変更は行われなくてもよく、（係数乗算部３０１Ａ、３０２Ａにより）係数乗算が行われることもある。）このとき、式（１３）から式（２０）では、θ＝０ラジアンとする（なお、θは０ラジアン以上２πラジアン未満（０ラジアン≦θ＜２πラジアン）とする。）
または、二つのストリームを送信する（ｓ１（ｉ）およびｓ２（ｉ）を送信する。）ｓ１（ｉ）の変調方式を６４ＱＡＭ（または、π／２シフト６４ＱＡＭ）（または、６４ＡＰＳＫなどの同相Ｉ−直交Ｑ平面に６４個の信号点が存在する変調方式（シフトを施してもよい））とし、ｓ２（ｉ）の変調方式を６４ＱＡＭ（または、π／２シフト６４ＱＡＭ）（または、６４ＡＰＳＫなどの同相Ｉ−直交Ｑ平面に６４個の信号点が存在する変調方式（シフトを施してもよい））とする。このとき、２つの変調信号を送信することになり、第１の変調信号を一つ以上のアンテナを用いて送信し、第２の変調信号を一つ以上のアンテナを用いて送信することになる。そして、二つのストリームは、図２、図３に基づき、式（１３）から式（２０）のいずれかの（プリコーディング）行列を用い、プリコーディング（重み付け合成）が行われ、その後、（位相変更部２０５Ｂにより）位相変更が行われ、送信されることになる。（なお、位相変更は行われなくてもよく、（係数乗算部３０１Ａ、３０２Ａにより）係数乗算が行われることもある。）
ここでのプリコーディングの処理について説明する。
【０２１０】
図１の送信装置において、プリコーディングの処理のために、式（１３）から式（２０）のいずれかの式であらわされる複数のプリコーディング行列を用意する。例えば、プリコーディング行列として、Ｎ個（Ｎは２以上の整数とする）のプリコーディング行列を用意する。ここで、Ｎ個のプリコーディング行列を「第ｉ行列（ｉは１以上Ｎ以下の整数とする）」と名づける。（第ｉ行列は、式（１３）から式（２０）のいずれかの行列であらわされる。）
そして、図２、図３の重み付け合成部２０３は、制御信号２００に基づき、第１行列から第Ｎ行列のＮ個の行列から、制御信号２００で指定された、一つの行列を用い、プリコーディングを施すことになる。
【０２１１】
なお、Ｎ個の行列の中には、「θ＝０とした式（１３）から式（２０）のいずれかを満たすプリコーディング行列」が、少なくとも一つ含まれており、また、Ｎ個の行列の中には、「θ≠０とした式（１３）から式（２０）のいずれかを満たすプリコーディング行列」が、少なくとも一つ含まれているものとする。
なお、第７の選択方法では、送信方法＃７−１から送信方法＃７−９のすべての送信方法に対応していなくてもよい。例えば、第７の選択方法では、送信方法＃７−５、送信方法＃７−６、送信方法＃７−７の３つの送信方法のうち、一つ以上の送信方法に対応していればよい。そして、第７の送信方法では、送信方法＃７−８、送信方法＃７−９の２つの送信方法のうち、一つ以上の送信方法に対応していればよい。
【０２１２】
また、第７の選択方法では、送信方法＃７−１に対応していなくてもよい。（第７の選択方法では、図１の送信装置の送信方法の選択候補に、送信方法＃７−１を含まない。）
第７の選択方法に、送信方法＃７−１から送信方法＃７−９以外の送信方法が含まれていてもよい。
このとき、以下を満たすことになる。
【０２１３】
送信方法＃７−１：
送信信号の同相Ｉ−直交Ｑ平面における信号点の数は２．
送信方法＃７−２：
送信信号の同相Ｉ−直交Ｑ平面における信号点の数は４．
送信方法＃７−３：
送信信号の同相Ｉ−直交Ｑ平面における信号点の数は１６．
送信方法＃７−４：
送信信号の同相Ｉ−直交Ｑ平面における信号点の数は６４．
送信方法＃７−５：
送信信号の同相Ｉ−直交Ｑ平面における信号点の数は２以上４以下。送信ダイバーシチの効果を得ることが可能な場合が存在する。
【０２１４】
送信方法＃７−６：
送信信号の同相Ｉ−直交Ｑ平面における信号点の数は４以上１６以下。送信ダイバーシチの効果を得ることが可能な場合が存在する。
送信方法＃７−７：
送信信号の同相Ｉ−直交Ｑ平面における信号点の数は４より大きく６４以下。送信ダイバーシチの効果を得ることが可能。
【０２１５】
送信方法＃７−８：
送信信号の同相Ｉ−直交Ｑ平面における信号点の数は１６以上２５６以下。送信ダイバーシチの効果を得ることができる場合がある。
送信方法＃７−９：
送信信号の同相Ｉ−直交Ｑ平面における信号点の数は６４以上４０９６以下。送信ダイバーシチの効果を得ることができる場合があってもよい。
【０２１６】
以上のように、シングルキャリア方式の変調信号を送信するときの送信方法の選択方法とＯＦＤＭ方式のようなマルチキャリア方式の変調信号を送信するときの送信方法の選択方法が異なる。
ＯＦＤＭ方式のようなマルチキャリア方式の変調信号を送信するときの送信方法の選択方法として、第７の選択方法とした理由について説明する。
【０２１７】
ＯＦＤＭ方式のようなマルチキャリア方式の変調信号を送信する送信装置としては、変調方式によらず、ＲＦ部の位相雑音の影響が小さく、かつ、送信電力増幅器の非線形歪みの影響が少ないという要求条件を満たす必要がある。（これを満たさないと送信装置が送信した変調信号を受信する受信装置では、高いデータの受信品質を得ることが難しい。（送信装置は、同時に複数のキャリアの変調信号を送信しているため、変調方式によらずＰＡＰＲが大きいため、前に述べたような要求条件が重要となる。））
したがって、図１の送信装置が「第３の送信装置」（または、第１の送信装置）の場合、第７の選択方法のようにすることで、複数の変調信号を送信している場合、受信装置が高いデータの受信品質を得ることができる可能性を高くするために、プリコーディングを実施することを可能な限り優先している。
【０２１８】
以上のようにすることで、「送信装置がシングルキャリア方式の変調信号を送信する、または、ＯＦＤＭ方式のようなマルチキャリア方式の変調信号を送信する」、に関わらず、送信装置が送信した変調信号を受信する受信装置は、より高いデータの受信品質を得ることができるという効果を得ることができる。
次に、ＯＦＤＭ方式のようなマルチキャリア伝送方式の変調信号を送信する際の、第４の選択方法、第５の選択方法、第６の選択方法、第７の選択方法とは異なる第８の選択方法について述べる。
【０２１９】
第８の選択方法：
送信方法＃８−１：
シングルストリームを送信する（ｓ１（ｉ）を送信する。）（ｓ１（ｉ）の）変調方式はＢＰＳＫ（または、π／２シフトＢＰＳＫ）とする。（ただし、シングルストリームの変調信号は、一つのアンテナを用いて送信してもよいし、複数のアンテナを用いて送信してもよい。）
送信方法＃８−２：
シングルストリームを送信する（ｓ１（ｉ）を送信する。）（ｓ１（ｉ）の）変調方式はＱＰＳＫ（または、π／２シフトＱＰＳＫ）とする。（ただし、シングルストリームの変調信号は、一つのアンテナを用いて送信してもよいし、複数のアンテナを用いて送信してもよい。）
送信方法＃８−３：
シングルストリームを送信する（ｓ１（ｉ）を送信する。）（ｓ１（ｉ）の）変調方式は１６ＱＡＭ（または、π／２シフト１６ＱＡＭ）（または、１６ＡＰＳＫなどの同相Ｉ−直交Ｑ平面に１６個の信号点が存在する変調方式（シフトを施してもよい））とする。（ただし、シングルストリームの変調信号は、一つのアンテナを用いて送信してもよいし、複数のアンテナを用いて送信してもよい。）
送信方法＃８−４：
シングルストリームを送信する（ｓ１（ｉ）を送信する。）（ｓ１（ｉ）の）変調方式は６４ＱＡＭ（または、π／２シフト６４ＱＡＭ）（または、６４ＡＰＳＫなどの同相Ｉ−直交Ｑ平面に６４個の信号点が存在する変調方式（シフトを施してもよい））とする。（ただし、シングルストリームの変調信号は、一つのアンテナを用いて送信してもよいし、複数のアンテナを用いて送信してもよい。）
送信方法＃８−５：
送信方法＃４−５、または、送信方法＃６−５のいずれかの送信方法。
【０２２０】
送信方法＃８−６：
送信方法＃４−６、または、送信方法＃６−６のいずれかの送信方法。
送信方法＃８−７：
二つのストリームを送信する（ｓ１（ｉ）およびｓ２（ｉ）を送信する。）ｓ１（ｉ）の変調方式をＱＰＳＫ（または、π／２シフトＱＰＳＫ）とし、ｓ２（ｉ）の変調方式を１６ＱＡＭ（または、π／２シフト１６ＱＡＭ）（または、１６ＡＰＳＫなどの同相Ｉ−直交Ｑ平面に１６個の信号点が存在する変調方式（シフトを施してもよい））とする。このとき、２つの変調信号を送信することになり、第１の変調信号を一つ以上のアンテナを用いて送信し、第２の変調信号を一つ以上のアンテナを用いて送信することになる。そして、二つのストリームは、図２、図３に基づき、式（１３）から式（２０）のいずれかの（プリコーディング）行列を用い、プリコーディング（重み付け合成）が行われ、その後、（位相変更部２０５Ｂにより）位相変更が行われ、送信されることになる。（なお、位相変更は行われなくてもよく、（係数乗算部３０１Ａ、３０２Ａにより）係数乗算が行われることもある。）このとき、式（１３）から式（２０）では、θ≠０ラジアンとする（なお、θは０ラジアン以上２πラジアン未満（０ラジアン≦θ＜２πラジアン）とする。）
送信方法＃８−８：
二つのストリームを送信する（ｓ１（ｉ）およびｓ２（ｉ）を送信する。）ｓ１（ｉ）の変調方式を１６ＱＡＭ（または、π／２シフト１６ＱＡＭ）（または、１６ＡＰＳＫなどの同相Ｉ−直交Ｑ平面に１６個の信号点が存在する変調方式（シフトを施してもよい））とし、ｓ２（ｉ）の変調方式を１６ＱＡＭ（または、π／２シフト１６ＱＡＭ）（または、１６ＡＰＳＫなどの同相Ｉ−直交Ｑ平面に１６個の信号点が存在する変調方式（シフトを施してもよい））とする。このとき、２つの変調信号を送信することになり、第１の変調信号を一つ以上のアンテナを用いて送信し、第２の変調信号を一つ以上のアンテナを用いて送信することになる。そして、二つのストリームは、図２、図３に基づき、式（１３）から式（２０）のいずれかの（プリコーディング）行列を用い、プリコーディング（重み付け合成）が行われ、その後、（位相変更部２０５Ｂにより）位相変更が行われ、送信されることになる。（なお、位相変更は行われなくてもよく、（係数乗算部３０１Ａ、３０２Ａにより）係数乗算が行われることもある。）このとき、式（１３）から式（２０）では、θ≠０ラジアンとする（なお、θは０ラジアン以上２πラジアン未満（０ラジアン≦θ＜２πラジアン）とする。）
送信方法＃８−９：
二つのストリームを送信する（ｓ１（ｉ）およびｓ２（ｉ）を送信する。）ｓ１（ｉ）の変調方式を６４ＱＡＭ（または、π／２シフト６４ＱＡＭ）（または、１６ＡＰＳＫなどの同相Ｉ−直交Ｑ平面に６４個の信号点が存在する変調方式（シフトを施してもよい））とし、ｓ２（ｉ）の変調方式を６４ＱＡＭ（または、π／２シフト６４ＱＡＭ）（または、６４ＡＰＳＫなどの同相Ｉ−直交Ｑ平面に６４個の信号点が存在する変調方式（シフトを施してもよい））とする。このとき、２つの変調信号を送信することになり、第１の変調信号を一つ以上のアンテナを用いて送信し、第２の変調信号を一つ以上のアンテナを用いて送信することになる。そして、二つのストリームは、図２、図３に基づき、式（１３）から式（２０）のいずれかの（プリコーディング）行列を用い、プリコーディング（重み付け合成）が行われ、その後、（位相変更部２０５Ｂにより）位相変更が行われ、送信されることになる。（なお、位相変更は行われなくてもよく、（係数乗算部３０１Ａ、３０２Ａにより）係数乗算が行われることもある。）このとき、式（１３）から式（２０）では、θ≠０ラジアンとする（なお、θは０ラジアン以上２πラジアン未満（０ラジアン≦θ＜２πラジアン）とする。）
または、二つのストリームを送信する（ｓ１（ｉ）およびｓ２（ｉ）を送信する。）ｓ１（ｉ）の変調方式を６４ＱＡＭ（または、π／２シフト６４ＱＡＭ）（または、１６ＡＰＳＫなどの同相Ｉ−直交Ｑ平面に６４個の信号点が存在する変調方式（シフトを施してもよい））とし、ｓ２（ｉ）の変調方式を６４ＱＡＭ（または、π／２シフト６４ＱＡＭ）（または、６４ＡＰＳＫなどの同相Ｉ−直交Ｑ平面に６４個の信号点が存在する変調方式（シフトを施してもよい））とする。このとき、２つの変調信号を送信することになり、第１の変調信号を一つ以上のアンテナを用いて送信し、第２の変調信号を一つ以上のアンテナを用いて送信することになる。そして、二つのストリームは、図２、図３に基づき、式（１３）から式（２０）のいずれかの（プリコーディング）行列を用い、プリコーディング（重み付け合成）が行われ、その後、（位相変更部２０５Ｂにより）位相変更が行われ、送信されることになる。（なお、位相変更は行われなくてもよく、（係数乗算部３０１Ａ、３０２Ａにより）係数乗算が行われることもある。）このとき、式（１３）から式（２０）では、θ＝０ラジアンとする（なお、θは０ラジアン以上２πラジアン未満（０ラジアン≦θ＜２πラジアン）とする。）
または、二つのストリームを送信する（ｓ１（ｉ）およびｓ２（ｉ）を送信する。）ｓ１（ｉ）の変調方式を６４ＱＡＭ（または、π／２シフト６４ＱＡＭ）（または、６４ＡＰＳＫなどの同相Ｉ−直交Ｑ平面に６４個の信号点が存在する変調方式（シフトを施してもよい））とし、ｓ２（ｉ）の変調方式を６４ＱＡＭ（または、π／２シフト６４ＱＡＭ）（または、６４ＡＰＳＫなどの同相Ｉ−直交Ｑ平面に６４個の信号点が存在する変調方式（シフトを施してもよい））とする。このとき、２つの変調信号を送信することになり、第１の変調信号を一つ以上のアンテナを用いて送信し、第２の変調信号を一つ以上のアンテナを用いて送信することになる。そして、二つのストリームは、図２、図３に基づき、式（１３）から式（２０）のいずれかの（プリコーディング）行列を用い、プリコーディング（重み付け合成）が行われ、その後、（位相変更部２０５Ｂにより）位相変更が行われ、送信されることになる。（なお、位相変更は行われなくてもよく、（係数乗算部３０１Ａ、３０２Ａにより）係数乗算が行われることもある。）
ここでのプリコーディングの処理について説明する。
【０２２１】
図１の送信装置において、プリコーディングの処理のために、式（１３）から式（２０）のいずれかの式であらわされる複数のプリコーディング行列を用意する。例えば、プリコーディング行列として、Ｎ個（Ｎは２以上の整数とする）のプリコーディング行列を用意する。ここで、Ｎ個のプリコーディング行列を「第ｉ行列（ｉは１以上Ｎ以下の整数とする）」と名づける。（第ｉ行列は、式（１３）から式（２０）のいずれかの行列であらわされる。）
そして、図２、図３の重み付け合成部２０３は、制御信号２００に基づき、第１行列から第Ｎ行列のＮ個の行列から、制御信号２００で指定された、一つの行列を用い、プリコーディングを施すことになる。
【０２２２】
なお、Ｎ個の行列の中には、「θ＝０とした式（１３）から式（２０）のいずれかを満たすプリコーディング行列」が、少なくとも一つ含まれており、また、Ｎ個の行列の中には、「θ≠０とした式（１３）から式（２０）のいずれかを満たすプリコーディング行列」が、少なくとも一つ含まれているものとする。
なお、第８の選択方法では、送信方法＃８−１から送信方法＃８−９のすべての送信方法に対応していなくてもよい。例えば、第８の選択方法では、送信方法＃８−５、送信方法＃８−６、送信方法＃８−７の３つの送信方法のうち、一つ以上の送信方法に対応していればよい。そして、第８の送信方法では、送信方法＃８−８、送信方法＃８−９の２つの送信方法のうち、一つ以上の送信方法に対応していればよい。
【０２２３】
また、第８の選択方法では、送信方法＃８−１に対応していなくてもよい。（第８の選択方法では、図１の送信装置の送信方法の選択候補に、送信方法＃８−１を含まない。）
第８の選択方法に、送信方法＃８−１から送信方法＃８−９以外の送信方法が含まれていてもよい。
このとき、以下を満たすことになる。
【０２２４】
送信方法＃８−１：
送信信号の同相Ｉ−直交Ｑ平面における信号点の数は２．
送信方法＃８−２：
送信信号の同相Ｉ−直交Ｑ平面における信号点の数は４．
送信方法＃８−３：
送信信号の同相Ｉ−直交Ｑ平面における信号点の数は１６．
送信方法＃８−４：
送信信号の同相Ｉ−直交Ｑ平面における信号点の数は６４．
送信方法＃８−５：
送信信号の同相Ｉ−直交Ｑ平面における信号点の数は２以上４以下。送信ダイバーシチの効果を得ることが可能な場合が存在する。
【０２２５】
送信方法＃８−６：
送信信号の同相Ｉ−直交Ｑ平面における信号点の数は４以上１６以下。送信ダイバーシチの効果を得ることが可能な場合が存在する。
送信方法＃８−７：
送信信号の同相Ｉ−直交Ｑ平面における信号点の数は４より大きく６４以下。送信ダイバーシチの効果を得ることが可能。
【０２２６】
送信方法＃８−８：
送信信号の同相Ｉ−直交Ｑ平面における信号点の数は１６より大きく２５６以下。送信ダイバーシチの効果を得ることが可能。
送信方法＃８−９：
送信信号の同相Ｉ−直交Ｑ平面における信号点の数は６４以上４０９６以下。送信ダイバーシチの効果を得ることができる場合があってもよい。
【０２２７】
以上のように、シングルキャリア方式の変調信号を送信するときの送信方法の選択方法とＯＦＤＭ方式のようなマルチキャリア方式の変調信号を送信するときの送信方法の選択方法が異なる。
ＯＦＤＭ方式のようなマルチキャリア方式の変調信号を送信するときの送信方法の選択方法として、第８の選択方法とした理由について説明する。
【０２２８】
ＯＦＤＭ方式のようなマルチキャリア方式の変調信号を送信する送信装置としては、変調方式によらず、ＲＦ部の位相雑音の影響が小さく、かつ、送信電力増幅器の非線形歪みの影響が少ないという要求条件を満たす必要がある。（これを満たさないと送信装置が送信した変調信号を受信する受信装置では、高いデータの受信品質を得ることが難しい。（送信装置は、同時に複数のキャリアの変調信号を送信しているため、変調方式によらずＰＡＰＲが大きいため、前に述べたような要求条件が重要となる。））
したがって、図１の送信装置が「第３の送信装置」（または、第１の送信装置）の場合、第８の選択方法のようにすることで、複数の変調信号を送信している場合、受信装置が高いデータの受信品質を得ることができる可能性を高くするために、プリコーディングを実施することを可能な限り優先している。
【０２２９】
以上のようにすることで、「送信装置がシングルキャリア方式の変調信号を送信する、または、ＯＦＤＭ方式のようなマルチキャリア方式の変調信号を送信する」、に関わらず、送信装置が送信した変調信号を受信する受信装置は、より高いデータの受信品質を得ることができるという効果を得ることができる。
次に、ＯＦＤＭ方式のようなマルチキャリア伝送方式の変調信号を送信する際の、第４の選択方法、第５、選択方法、第６の選択方法、第７の選択方法、第８の選択方法とは異なる第９の選択方法について述べる。
【０２３０】
第９の選択方法：
送信方法＃９−１：
シングルストリームを送信する（ｓ１（ｉ）を送信する。）（ｓ１（ｉ）の）変調方式はＢＰＳＫ（または、π／２シフトＢＰＳＫ）とする。（ただし、シングルストリームの変調信号は、一つのアンテナを用いて送信してもよいし、複数のアンテナを用いて送信してもよい。）
送信方法＃９−２：
シングルストリームを送信する（ｓ１（ｉ）を送信する。）（ｓ１（ｉ）の）変調方式はＱＰＳＫ（または、π／２シフトＱＰＳＫ）とする。（ただし、シングルストリームの変調信号は、一つのアンテナを用いて送信してもよいし、複数のアンテナを用いて送信してもよい。）
送信方法＃９−３：
シングルストリームを送信する（ｓ１（ｉ）を送信する。）（ｓ１（ｉ）の）変調方式は１６ＱＡＭ（または、π／２シフト１６ＱＡＭ）（または、１６ＡＰＳＫなどの同相Ｉ−直交Ｑ平面に１６個の信号点が存在する変調方式（シフトを施してもよい））とする。（ただし、シングルストリームの変調信号は、一つのアンテナを用いて送信してもよいし、複数のアンテナを用いて送信してもよい。）
送信方法＃９−４：
シングルストリームを送信する（ｓ１（ｉ）を送信する。）（ｓ１（ｉ）の）変調方式は６４ＱＡＭ（または、π／２シフト６４ＱＡＭ）（または、６４ＡＰＳＫなどの同相Ｉ−直交Ｑ平面に６４個の信号点が存在する変調方式（シフトを施してもよい））とする。（ただし、シングルストリームの変調信号は、一つのアンテナを用いて送信してもよいし、複数のアンテナを用いて送信してもよい。）
送信方法＃９−５：
送信方法＃４−５、または、送信方法＃６−５のいずれかの送信方法。
【０２３１】
送信方法＃９−６：
送信方法＃４−６、または、送信方法＃６−６のいずれかの送信方法。
送信方法＃９−７：
二つのストリームを送信する（ｓ１（ｉ）およびｓ２（ｉ）を送信する。）ｓ１（ｉ）の変調方式をＱＰＳＫ（または、π／２シフトＱＰＳＫ）とし、ｓ２（ｉ）の変調方式を１６ＱＡＭ（または、π／２シフト１６ＱＡＭ）（または、１６ＡＰＳＫなどの同相Ｉ−直交Ｑ平面に１６個の信号点が存在する変調方式（シフトを施してもよい））とする。このとき、２つの変調信号を送信することになり、第１の変調信号を一つ以上のアンテナを用いて送信し、第２の変調信号を一つ以上のアンテナを用いて送信することになる。そして、二つのストリームは、図２、図３に基づき、式（１３）から式（２０）のいずれかの（プリコーディング）行列を用い、プリコーディング（重み付け合成）が行われ、その後、（位相変更部２０５Ｂにより）位相変更が行われ、送信されることになる。（なお、位相変更は行われなくてもよく、（係数乗算部３０１Ａ、３０２Ａにより）係数乗算が行われることもある。）このとき、式（１３）から式（２０）では、θ≠０ラジアンとする（なお、θは０ラジアン以上２πラジアン未満（０ラジアン≦θ＜２πラジアン）とする。）
送信方法＃９−８：
二つのストリームを送信する（ｓ１（ｉ）およびｓ２（ｉ）を送信する。）ｓ１（ｉ）の変調方式を１６ＱＡＭ（または、π／２シフト１６ＱＡＭ）（または、１６ＡＰＳＫなどの同相Ｉ−直交Ｑ平面に１６個の信号点が存在する変調方式（シフトを施してもよい））とし、ｓ２（ｉ）の変調方式を１６ＱＡＭ（または、π／２シフト１６ＱＡＭ）（または、１６ＡＰＳＫなどの同相Ｉ−直交Ｑ平面に１６個の信号点が存在する変調方式（シフトを施してもよい））とする。このとき、２つの変調信号を送信することになり、第１の変調信号を一つ以上のアンテナを用いて送信し、第２の変調信号を一つ以上のアンテナを用いて送信することになる。そして、二つのストリームは、図２、図３に基づき、式（１３）から式（２０）のいずれかの（プリコーディング）行列を用い、プリコーディング（重み付け合成）が行われ、その後、（位相変更部２０５Ｂにより）位相変更が行われ、送信されることになる。（なお、位相変更は行われなくてもよく、（係数乗算部３０１Ａ、３０２Ａにより）係数乗算が行われることもある。）
ここでのプリコーディングの処理について説明する。
【０２３２】
図１の送信装置において、プリコーディングの処理のために、式（１３）から式（２０）のいずれかの式であらわされる複数のプリコーディング行列を用意する。例えば、プリコーディング行列として、Ｎ個（Ｎは２以上の整数とする）のプリコーディング行列を用意する。ここで、Ｎ個のプリコーディング行列を「第ｉ行列（ｉは１以上Ｎ以下の整数とする）」と名づける。（第ｉ行列は、式（１３）から式（２０）のいずれかの行列であらわされる。）
そして、図２、図３の重み付け合成部２０３は、制御信号２００に基づき、第１行列から第Ｎ行列のＮ個の行列から、制御信号２００で指定された、一つの行列を用い、プリコーディングを施すことになる。
【０２３３】
なお、Ｎ個の行列の中には、「θ＝０とした式（１３）から式（２０）のいずれかを満たすプリコーディング行列」が、少なくとも一つ含まれており、また、Ｎ個の行列の中には、「θ≠０とした式（１３）から式（２０）のいずれかを満たすプリコーディング行列」が、少なくとも一つ含まれているものとする。
送信方法＃９−９：
二つのストリームを送信する（ｓ１（ｉ）およびｓ２（ｉ）を送信する。）ｓ１（ｉ）の変調方式を６４ＱＡＭ（または、π／２シフト６４ＱＡＭ）（または、１６ＡＰＳＫなどの同相Ｉ−直交Ｑ平面に６４個の信号点が存在する変調方式（シフトを施してもよい））とし、ｓ２（ｉ）の変調方式を６４ＱＡＭ（または、π／２シフト６４ＱＡＭ）（または、６４ＡＰＳＫなどの同相Ｉ−直交Ｑ平面に６４個の信号点が存在する変調方式（シフトを施してもよい））とする。このとき、２つの変調信号を送信することになり、第１の変調信号を一つ以上のアンテナを用いて送信し、第２の変調信号を一つ以上のアンテナを用いて送信することになる。そして、二つのストリームは、図２、図３に基づき、式（１３）から式（２０）のいずれかの（プリコーディング）行列を用い、プリコーディング（重み付け合成）が行われ、その後、（位相変更部２０５Ｂにより）位相変更が行われ、送信されることになる。（なお、位相変更は行われなくてもよく、（係数乗算部３０１Ａ、３０２Ａにより）係数乗算が行われることもある。）このとき、式（１３）から式（２０）では、θ≠０ラジアンとする（なお、θは０ラジアン以上２πラジアン未満（０ラジアン≦θ＜２πラジアン）とする。）
または、二つのストリームを送信する（ｓ１（ｉ）およびｓ２（ｉ）を送信する。）ｓ１（ｉ）の変調方式を６４ＱＡＭ（または、π／２シフト６４ＱＡＭ）（または、１６ＡＰＳＫなどの同相Ｉ−直交Ｑ平面に６４個の信号点が存在する変調方式（シフトを施してもよい））とし、ｓ２（ｉ）の変調方式を６４ＱＡＭ（または、π／２シフト６４ＱＡＭ）（または、６４ＡＰＳＫなどの同相Ｉ−直交Ｑ平面に６４個の信号点が存在する変調方式（シフトを施してもよい））とする。このとき、２つの変調信号を送信することになり、第１の変調信号を一つ以上のアンテナを用いて送信し、第２の変調信号を一つ以上のアンテナを用いて送信することになる。そして、二つのストリームは、図２、図３に基づき、式（１３）から式（２０）のいずれかの（プリコーディング）行列を用い、プリコーディング（重み付け合成）が行われ、その後、（位相変更部２０５Ｂにより）位相変更が行われ、送信されることになる。（なお、位相変更は行われなくてもよく、（係数乗算部３０１Ａ、３０２Ａにより）係数乗算が行われることもある。）このとき、式（１３）から式（２０）では、θ＝０ラジアンとする（なお、θは０ラジアン以上２πラジアン未満（０ラジアン≦θ＜２πラジアン）とする。）
または、二つのストリームを送信する（ｓ１（ｉ）およびｓ２（ｉ）を送信する。）ｓ１（ｉ）の変調方式を６４ＱＡＭ（または、π／２シフト６４ＱＡＭ）（または、６４ＡＰＳＫなどの同相Ｉ−直交Ｑ平面に６４個の信号点が存在する変調方式（シフトを施してもよい））とし、ｓ２（ｉ）の変調方式を６４ＱＡＭ（または、π／２シフト６４ＱＡＭ）（または、６４ＡＰＳＫなどの同相Ｉ−直交Ｑ平面に６４個の信号点が存在する変調方式（シフトを施してもよい））とする。このとき、２つの変調信号を送信することになり、第１の変調信号を一つ以上のアンテナを用いて送信し、第２の変調信号を一つ以上のアンテナを用いて送信することになる。そして、二つのストリームは、図２、図３に基づき、式（１３）から式（２０）のいずれかの（プリコーディング）行列を用い、プリコーディング（重み付け合成）が行われ、その後、（位相変更部２０５Ｂにより）位相変更が行われ、送信されることになる。（なお、位相変更は行われなくてもよく、（係数乗算部３０１Ａ、３０２Ａにより）係数乗算が行われることもある。）
ここでのプリコーディングの処理について説明する。
【０２３４】
図１の送信装置において、プリコーディングの処理のために、式（１３）から式（２０）のいずれかの式であらわされる複数のプリコーディング行列を用意する。例えば、プリコーディング行列として、Ｎ個（Ｎは２以上の整数とする）のプリコーディング行列を用意する。ここで、Ｎ個のプリコーディング行列を「第ｉ行列（ｉは１以上Ｎ以下の整数とする）」と名づける。（第ｉ行列は、式（１３）から式（２０）のいずれかの行列であらわされる。）
そして、図２、図３の重み付け合成部２０３は、制御信号２００に基づき、第１行列から第Ｎ行列のＮ個の行列から、制御信号２００で指定された、一つの行列を用い、プリコーディングを施すことになる。
【０２３５】
なお、Ｎ個の行列の中には、「θ＝０とした式（１３）から式（２０）のいずれかを満たすプリコーディング行列」が、少なくとも一つ含まれており、また、Ｎ個の行列の中には、「θ≠０とした式（１３）から式（２０）のいずれかを満たすプリコーディング行列」が、少なくとも一つ含まれているものとする。
なお、第９の選択方法では、送信方法＃９−１から送信方法＃９−９のすべての送信方法に対応していなくてもよい。例えば、第９の選択方法では、送信方法＃９−５、送信方法＃９−６、送信方法＃９−７の３つの送信方法のうち、一つ以上の送信方法に対応していればよい。そして、第９の送信方法では、送信方法＃９−８、送信方法＃９−９の２つの送信方法のうち、一つ以上の送信方法に対応していればよい。
【０２３６】
また、第９の選択方法では、送信方法＃９−１に対応していなくてもよい。（第９の選択方法では、図１の送信装置の送信方法の選択候補に、送信方法＃９−１を含まない。）
第９の選択方法に、送信方法＃９−１から送信方法＃９−９以外の送信方法が含まれていてもよい。
このとき、以下を満たすことになる。
【０２３７】
送信方法＃９−１：
送信信号の同相Ｉ−直交Ｑ平面における信号点の数は２．
送信方法＃９−２：
送信信号の同相Ｉ−直交Ｑ平面における信号点の数は４．
送信方法＃９−３：
送信信号の同相Ｉ−直交Ｑ平面における信号点の数は１６．
送信方法＃９−４：
送信信号の同相Ｉ−直交Ｑ平面における信号点の数は６４．
送信方法＃９−５：
送信信号の同相Ｉ−直交Ｑ平面における信号点の数は２以上４以下。送信ダイバーシチの効果を得ることが可能な場合が存在する。
【０２３８】
送信方法＃９−６：
送信信号の同相Ｉ−直交Ｑ平面における信号点の数は４以上１６以下。送信ダイバーシチの効果を得ることが可能な場合が存在する。
送信方法＃９−７：
送信信号の同相Ｉ−直交Ｑ平面における信号点の数は４より大きく６４以下。送信ダイバーシチの効果を得ることが可能。
【０２３９】
送信方法＃９−８：
送信信号の同相Ｉ−直交Ｑ平面における信号点の数は１６以上２５６以下。送信ダイバーシチの効果を得ることができる場合がある。
送信方法＃９−９：
送信信号の同相Ｉ−直交Ｑ平面における信号点の数は６４以上４０９６以下。送信ダイバーシチの効果を得ることができる場合があってもよい。
【０２４０】
以上のように、シングルキャリア方式の変調信号を送信するときの送信方法の選択方法とＯＦＤＭ方式のようなマルチキャリア方式の変調信号を送信するときの送信方法の選択方法が異なる。
ＯＦＤＭ方式のようなマルチキャリア方式の変調信号を送信するときの送信方法の選択方法として、第９の選択方法とした理由について説明する。
【０２４１】
ＯＦＤＭ方式のようなマルチキャリア方式の変調信号を送信する送信装置としては、変調方式によらず、ＲＦ部の位相雑音の影響が小さく、かつ、送信電力増幅器の非線形歪みの影響が少ないという要求条件を満たす必要がある。（これを満たさないと送信装置が送信した変調信号を受信する受信装置では、高いデータの受信品質を得ることが難しい。（送信装置は、同時に複数のキャリアの変調信号を送信しているため、変調方式によらずＰＡＰＲが大きいため、前に述べたような要求条件が重要となる。））
したがって、図１の送信装置が「第３の送信装置」（または、第１の送信装置）の場合、第９の選択方法のようにすることで、複数の変調信号を送信している場合、受信装置が高いデータの受信品質を得ることができる可能性を高くするために、プリコーディングを実施することを可能な限り優先している。
【０２４２】
以上のようにすることで、「送信装置がシングルキャリア方式の変調信号を送信する、または、ＯＦＤＭ方式のようなマルチキャリア方式の変調信号を送信する」、に関わらず、送信装置が送信した変調信号を受信する受信装置は、より高いデータの受信品質を得ることができるという効果を得ることができる。
次に、これまでに説明したシングルキャリアの送信方法とＯＦＤＭ方式などのマルチキャリア方式における送信方法の適用例について説明する。
【０２４３】
例えば、無線通信方法として、規格αが存在するものとする。そして、規格αは、使用する周波数帯が決まっており、周波数帯域が一つ以上設定された規格であるものとする。このとき、規格αでは、シングルキャリア伝送、および、ＯＦＤＭ方式などのマルチキャリアの伝送の両者の変調信号の送信が可能な規格であるものとする。
そして、シングルキャリア伝送として、実施の形態１で説明した「第１の選択方法」、または、「第２の選択方法」、または、「第３の選択方法」のいずれかの選択方法をサポートしており、また、ＯＦＤＭ方式などのマルチキャリア伝送として、本実施の形態で説明した「第４の選択方法」、または、「第５の選択方法」、または、「第６の選択方法」、または、「第７の選択方法」、または、「第８の選択方法」、または、「第９の選択方法」のいずれかの選択方法をサポートしているものとする。
【０２４４】
したがって、「第１の送信装置」、「第２の送信装置」、「第３の送信装置」の記載に基づくと、以下の３つのタイプの送信装置を考えることができる。
第４の送信装置：
第４の送信装置は、規格αのシングルキャリア方式の変調信号と規格αのＯＦＤＭ方式のようなマルチキャリア伝送方式の変調信号の両者を選択的に送信することができる送信装置であるものとする。図１の送信装置の制御信号１００に「シングルキャリア方式の送信／ＯＦＤＭ方式などのマルチキャリア方式の送信」を指定するための制御情報が含まれており、制御信号１００が「シングルキャリア方式の送信」を示しているとき、図１の送信装置は、規格αのシングルキャリア方式の変調信号を送信し、制御信号１００が「ＯＦＤＭ方式などのマルチキャリア方式の送信」を示しているとき、図１の送信装置は、規格αのＯＦＤＭ方式などのマルチキャリア方式の変調信号を送信するものとする。なお、図１の送信装置は、図１９の受信装置に対し、「シングルキャリア方式の送信／ＯＦＤＭ方式などのマルチキャリア方式の送信」を指定するための制御情報を送信することで、図１９の受信装置は、図１の送信装置が送信した変調信号を受信し、復調、復号を行うことができるようになる。
【０２４５】
第５の送信装置：
第５の送信装置は、規格αのシングルキャリア方式の変調信号を送信することができる送信装置であるものとする。図１の送信装置の制御信号１００に「シングルキャリア方式の送信／ＯＦＤＭ方式などのマルチキャリア方式の送信」を指定するための制御情報が含まれている場合、この制御情報としては、「シングルキャリア方式の送信」のみ選択できるものとする。したがって、図１の送信装置は、規格αのシングルキャリア方式の変調信号を送信することになる。なお、図１の送信装置は、図１９の受信装置に対し、「シングルキャリア方式の送信／ＯＦＤＭ方式などのマルチキャリア方式の送信」を指定するための制御情報を送信することで、図１９の受信装置は、図１の送信装置が送信した変調信号を受信し、復調、復号を行うことができるようになる。
【０２４６】
第６の送信装置：
第６の送信装置は、規格αのＯＦＤＭ方式などのマルチキャリア方式の変調信号を送信することができる送信装置であるものとする。図１の送信装置の制御信号１００に「シングルキャリア方式の送信／ＯＦＤＭ方式などのマルチキャリア方式の送信」を指定するための制御情報が含まれている場合、この制御情報としては、「ＯＦＭＤ方式などのマルチキャリア方式の送信」のみ選択できるものとする。したがって、図１の送信装置は、規格αのＯＦＤＭ方式などのマルチキャリア方式の変調信号を送信することになる。なお、図１の送信装置は、図１９の受信装置に対し、「シングルキャリア方式の送信／ＯＦＤＭ方式などのマルチキャリア方式の送信」をしていするための制御情報を送信することで、図１９の受信装置は、図１の送信装置が送信した変調信号を受信し、復調、復号を行うことができるようになる。
【０２４７】
第４の送信装置において規格αに対応する場合、例えば、規格αのシングルキャリア方式の変調信号の送信と規格αのＯＦＤＭ方式などのマルチキャリア伝送方式の変調信号の送信を、送信装置において、共通のＲＦ部、共通の送信電力増幅器で対応した場合、規格αのＯＦＤＭ方式などのマルチキャリア伝送方式の変調信号に対し、位相雑音および非線形歪みの影響が小さいような、ＲＦ部、送信電力増幅器を用いることになる。したがって、規格αのシングルキャリア方式の変調信号に対しても、位相雑音および非線形歪みの影響は小さく、したがって、この送信装置が、規格αのシングルキャリア方式の変調を送信しても、規格αのＯＦＤＭ方式などのマルチキャリア伝送方式の変調信号しても、受信装置は、高いデータの受信品質を得ることができるという効果がある。
【０２４８】
別の方法として、第４の送信装置において、規格αのシングルキャリア方式の変調信号を送信する際は、シングルキャリア方式の変調信号送信用のＲＦ部および送信電力増幅器を使用し、規格αのＯＦＤＭ方式などのマルチキャリア伝送方式の変調信号を送信する際は、ＯＦＤＭ方式などのマルチキャリア方式の変調信号送信用のＲＦ部および送信電力増幅器を使用するものとする。
【０２４９】
すると、この送信装置が、規格αのシングルキャリア方式の変調信号を送信しても、規格αのＯＦＤＭ方式などのマルチキャリア伝送方式の変調信号を送信しても、受信装置は、高いデータの受信品質を得ることができるという効果がある。また、この送信装置が、規格αのシングルキャリア方式の変調信号を送信する場合、好適なＲＦ部、送信電力増幅器を使用することができるので、消費電力を少なくすることができるという効果が得られる。
【０２５０】
第５の送信装置において、規格αのシングルキャリア方式の変調信号を送信するものとする。このとき、実施の形態１、実施の形態２で説明したように、選択方法において、送信可能な送信方法が限定されており、これにより、ＰＡＰＲを小さくすることができる。よって、位相雑音および非線形歪みの影響を軽減することができ、送信装置が送信した変調信号を受信する受信装置において、データの受信品質が向上するという効果を得ることができるとともに、送信装置において、回路規模が小さく、また、消費電力の少ない、ＲＦ部、送信電力増幅器を使用することができるという効果を得ることができる。
【０２５１】
第６の送信装置において、規格αのＯＦＤＭ方式などのマルチキャリア方式の変調信号を送信するものとする。このとき、実施の形態２で説明したように、選択方法において、送信可能な送信方法が限定されており、これにより、送信装置が送信した変調信号を受信する受信装置において、データの受信品質は向上するという効果を得ることができる。
以上のように、シングルキャリア伝送、および、ＯＦＤＭ方式などのマルチキャリアの伝送方法の両者に対応している規格αにおいて、シングルキャリア伝送で対応している送信方法とＯＦＤＭ方式などのマルチキャリアの伝送方法で対応している送信方法に異なる部分が存在することが重要となる。これにより、上述で説明したような効果を得ることができることになる。
【０２５２】
なお、シングルキャリア方式の変調信号に対し、スペクトル拡散通信方式を適用してもよく、また、ＯＦＤＭ方式などのマルチキャリア方式の変調信号に対し、スペクトル拡散通信方式を適用してもよい。
（補足）
当然であるが、本明細書において説明した実施の形態、その他の内容を複数組み合わせて、実施してもよい。
【０２５３】
また、各実施の形態については、あくまでも例であり、例えば、「変調方式、誤り訂正符号化方式（使用する誤り訂正符号、符号長、符号化率等）、制御情報など」を例示していても、別の「変調方式、誤り訂正符号化方式（使用する誤り訂正符号、符号長、符号化率等）、制御情報など」を適用した場合でも同様の構成で実施することが可能である。
変調方式については、本明細書で記載している変調方式以外の変調方式を使用しても、本明細書において説明した実施の形態、その他の内容を実施することが可能である。例えば、ＡＰＳＫ（Amplitude Phase Shift Keying）（例えば、16APSK, 64APSK, 128APSK, 256APSK, 1024APSK, 4096APSKなど）、ＰＡＭ（Pulse Amplitude Modulation）（例えば、4PAM, 8PAM, 16PAM, 64PAM, 128PAM, 256PAM, 1024PAM, 4096PAMなど）、ＰＳＫ（Phase Shift Keying）（例えば、BPSK, QPSK, 8PSK, 16PSK, 64PSK, 128PSK, 256PSK, 1024PSK, 4096PSKなど）、ＱＡＭ（Quadrature Amplitude Modulation）（例えば、4QAM, 8QAM, 16QAM, 64QAM, 128QAM, 256QAM, 1024QAM, 4096QAMなど）などを適用してもよいし、各変調方式において、均一マッピング、非均一マッピングとしてもよい。また、Ｉ−Ｑ平面における２個、４個、８個、１６個、６４個、１２８個、２５６個、１０２４個等の信号点の配置方法（２個、４個、８個、１６個、６４個、１２８個、２５６個、１０２４個等の信号点をもつ変調方式）は、本明細書で示した変調方式の信号点配置方法に限ったものではない。
【０２５４】
本明細書において、送信装置を具備しているのは、例えば、放送局、基地局、アクセスポイント、端末、携帯電話（ｍｏｂｉｌｅ  ｐｈｏｎｅ）等の通信・放送機器であることが考えられ、このとき、受信装置を具備しているのは、テレビ、ラジオ、端末、パーソナルコンピュータ、携帯電話、アクセスポイント、基地局等の通信機器であることが考えられる。また、本発明における送信装置、受信装置は、通信機能を有している機器であって、その機器が、テレビ、ラジオ、パーソナルコンピュータ、携帯電話等のアプリケーションを実行するための装置に何らかのインターフェースを解して接続できるような形態であることも考えられる。また、本実施の形態では、データシンボル以外のシンボル、例えば、パイロットシンボル（プリアンブル、ユニークワード、ポストアンブル、リファレンスシンボル等）、制御情報用のシンボルなどが、フレームにどのように配置されていてもよい。そして、ここでは、パイロットシンボル、制御情報用のシンボルと名付けているが、どのような名付け方を行ってもよく、機能自身が重要となっている。
【０２５５】
パイロットシンボルは、例えば、送受信機において、ＰＳＫ変調を用いて変調した既知のシンボル（または、受信機が同期をとることによって、受信機は、送信機が送信したシンボルを知ることができてもよい。）であればよく、受信機は、このシンボルを用いて、周波数同期、時間同期、（各変調信号の）チャネル推定（ＣＳＩ（Ｃｈａｎｎｅｌ  Ｓｔａｔｅ  Ｉｎｆｏｒｍａｔｉｏｎ）の推定）、信号の検出等を行うことになる。
【０２５６】
また、制御情報用のシンボルは、（アプリケーション等の）データ以外の通信を実現するための、通信相手に伝送する必要がある情報（例えば、通信に用いている変調方式・誤り訂正符号化方式・誤り訂正符号化方式の符号化率、上位レイヤーでの設定情報等）を伝送するためのシンボルである。
なお、本発明は各実施の形態に限定されず、種々変更して実施することが可能である。例えば、各実施の形態では、通信装置として行う場合について説明しているが、これに限られるものではなく、この通信方法をソフトウェアとして行うことも可能である。
【０２５７】
なお、例えば、上記通信方法を実行するプログラムを予めＲＯＭ（Ｒｅａｄ  Ｏｎｌｙ  Ｍｅｍｏｒｙ）に格納しておき、そのプログラムをＣＰＵ（Ｃｅｎｔｒａｌ  Ｐｒｏｃｅｓｓｏｒ  Ｕｎｉｔ）によって動作させるようにしても良い。
また、上記通信方法を実行するプログラムをコンピュータで読み取り可能な記憶媒体に格納し、記憶媒体に格納されたプログラムをコンピュータのＲＡＭ（Ｒａｎｄｏｍ  Ａｃｃｅｓｓ  Ｍｅｍｏｒｙ）に記録して、コンピュータをそのプログラムにしたがって動作させるようにしても良い。
【０２５８】
そして、上記の各実施の形態などの各構成は、典型的には集積回路であるＬＳＩ（Ｌａｒｇｅ  Ｓｃａｌｅ  Ｉｎｔｅｇｒａｔｉｏｎ）として実現されてもよい。これらは、個別に１チップ化されてもよいし、各実施の形態の全ての構成または一部の構成を含むように１チップ化されてもよい。ここでは、ＬＳＩとしたが、集積度の違いにより、ＩＣ（Ｉｎｔｅｇｒａｔｅｄ  Ｃｉｒｃｕｉｔ）、システムＬＳＩ、スーパーＬＳＩ、ウルトラＬＳＩと呼称されることもある。また、集積回路化の手法はＬＳＩに限られるものではなく、専用回路または汎用プロセッサで実現しても良い。ＬＳＩ製造後に、プログラムすることが可能なＦＰＧＡ（Ｆｉｅｌｄ  Ｐｒｏｇｒａｍｍａｂｌｅ  Ｇａｔｅ  Ａｒｒａｙ）や、ＬＳＩ内部の回路セルの接続や設定を再構成可能なリコンフィギュラブル・プロセッサを利用しても良い。さらに、半導体技術の進歩又は派生する別技術によりＬＳＩに置き換わる集積回路化の技術が登場すれば、当然、その技術を用いて機能ブロックの集積化を行っても良い。バイオ技術の適応等が可能性としてあり得る。
【０２５９】
また、本明細書における実施の形態において、送信装置の構成として、図１の構成に基づく説明したを行ったが、これに限ったものではなく、例えば、図２２のような構成であっても、各実施の形態は実施することができる。
図２２において、図１と同様に動作するものについては、同一番号を付しており、図１と同様に動作するものについては、説明を省略する。
【０２６０】
図２２において、図１と動作の異なる点は、誤り訂正符号化部１０２が、符号化データ１０３＿１、１０３＿２を出力する点である。例えば、誤り訂正符号化部１０２は、ＬＤＰＣ（low density parity check）符号などのブロック符号の符号化を行うものとする。このとき、第２ｎ−１番目のブロックの符号化データを符号化データ１０３＿１として出力し、第２ｎ番目のブロックの符号化データを符号化データ１０３＿１として出力する（ｎは１以上の整数とする）。
そして、マッピング部１０４は、符号化データ１０３＿１に基づいて、指定された変調方式のマッピングを行い、マッピング後の信号１０５＿１を出力し、符号化データ１０３＿２に基づいて、指定された変調方式のマッピングを行い、マッピング後の信号１０５＿２を出力する。
【０２６１】
また、図１、図２２の信号処理部１０６の構成として図２を用いて、本明細書における実施の形態を説明したが、図２にかわり図２３の構成として、各実施の形態を実施してもよい。
図２３において、図２と同様に動作するものについては、同一番号を付しており、図２と同様に動作するものについては、説明を省略する。
【０２６２】
図２３において、図２と異なる点は、図２３では、図２の位相変更部２０９Ｂがないという点である。したがって、ベースバンド信号２０８Ａが図１、図２２の信号処理後の信号１０６＿Ａに相当し、ベースバンド信号２０８Ｂが図１、図２２の信号処理後の信号１０６＿Ｂに相当する。
本明細書において、送信装置の具体的な構成が異なっていたとしても、本明細書で開示した各実施の形態において説明した信号処理後の信号１０６＿Ａ、１０６＿Ｂのいずれかと同じ信号を生成し、複数のアンテナ部を用いて送信すれば、受信装置は、直接波が支配的な環境、特に、ＬＯＳ環境のときに、ＭＩＭＯ伝送を行っている（複数のストリームを伝送している）データシンボルの受信装置におけるデータの受信品質が向上するという効果を得ることができる。（本明細書で記載したその他の効果も同様に得ることができる。）
なお、図１、図２２の信号処理部１０６において、重み付け合成部２０３の前と後ろの両方に位相変更部を設けてもよい。具体的には、信号処理部１０６は、重み付け合成部２０３の前段に、マッピング後の信号２０１Ａに対して位相変更を施して位相変更後の信号２８０１Ａを生成する位相変更部２０５Ａ＿１、及びマッピング後の信号２０１Ｂに対して位相変更を施して位相変更後の信号２８０１Ｂを生成する位相変更部２０５Ｂ＿１のいずれか一方または両方を備える。さらに、信号処理部１０６は、挿入部２０７Ａ、２０７Ｂの前段に、重み付け合成後の信号２０４Ａに対して位相変更を施して位相変更後の信号２０６Ａを生成する位相変更部２０５Ａ＿２、及び重み付け合成後の信号２０４Ｂに対して位相変更を施して位相変更後の信号２０６Ｂを生成する位相変更部２０５Ｂ＿２のいずれか一方または両方を備える。
【０２６３】
ここで、信号処理部１０６が位相変更部２０５Ａ＿１を備える場合、重み付け合成部２０３一方の入力は位相変更後の信号２８０１Ａであり、信号処理部１０６が位相変更部２０５Ａ＿１を備えない場合、重み付け合成部２０３一方の入力はマッピング後の信号２０１Ａである。信号処理部１０６が位相変更部２０５Ｂ＿１を備える場合、重み付け合成部２０３の他方の入力は位相変更後の信号２８０１Ｂであり、信号処理部１０６が位相変更部２０５Ｂ＿１を備えない場合、重み付け合成部２０３の他方の入力はマッピング後の信号２０１Ｂである。信号処理部１０６が位相変更部２０５Ａ＿２を備える場合、挿入部２０７Ａの入力は位相変更後の信号２０６Ａであり、信号処理部１０６が位相変更部２０５Ａ＿２を備えない場合、挿入部２０７Ａの入力は重み付け合成後の信号２０４Ａである。そして、信号処理部１０６が位相変更部２０５Ｂ＿２を備える場合、挿入部２０７Ｂの入力は位相変更後の信号２０６Ｂであり、信号処理部１０６が位相変更部２０５Ｂ＿２を備えない場合、挿入部２０７Ｂの入力は重み付け合成後の信号２０４Ｂである。
【０２６４】
また、図１、図２２の送信装置は、信号処理部１０６の出力である信号処理後の信号１０６＿Ａ、１０６＿Ｂに対し、別の信号処理を施す第２の信号処理部を備えていてもよい。このとき、第２の信号処理部が出力する２つの信号を第２の信号処理後の信号Ａ、第２の信号処理後の信号Ｂとすると、無線部１０７＿Ａは、第２の信号処理後の信号Ａを入力とし、所定の処理を施し、無線部１０７＿Ｂは、第２の信号処理後の信号Ｂを入力とし、所定の処理を施す。
【０２６５】
信号処理部１０６が、挿入部２０７Ａ、２０７Ｂの前段に、重み付け合成後の信号２０４Ａに対して位相変更を施して位相変更後の信号２０６Ａを生成する位相変更部２０５Ａ＿２、及び重み付け合成後の信号２０４Ｂに対して位相変更を施して位相変更後の信号２０６Ｂを生成する位相変更部２０５Ｂ＿２の両方を備える構成とした場合、挿入部２０７Ａ、２０７Ｂに入力される位相変更後の信号２０６Ａ（ｚ１（ｉ））、２０６Ｂ（ｚ２（ｉ））は、例えば、式（３）及び式（３７）から式（４５）における
【０２６６】
【数４７】
2020080441.tif 000049
を、
【０２６７】
【数４８】
2020080441.tif 000050
へと置き換える第１の置き換えを行った置き換え後の式のいずれかで表される。式（３）及び式（３７）から式（４５）に対して上述した第１の置き換えを行った置き換え後の式は、本願の明細書において式（３）及び式（３７）から式（４５）のいずれかを用いて説明した全ての構成に対し、その変形例を表す式として適用可能である。
【０２６８】
位相変更の値Ａ（ｙA（ｉ））、位相変更の値Ｂ（ｙB（ｉ））は、それぞれｙA（ｉ）＝ｅj×δA(i)、ｙB（ｉ）＝ｅj×δB(i)で表すことができる。ここで、δA（ｉ）及びδB（ｉ）は実数である。δA（ｉ）及びδB（ｉ）は、例えば、δA（ｉ）−δB（ｉ）に対して除数２πで剰余演算を行った結果が周期Ｎで変化するように設定される。（Ｎは２以上の整数である。）ただし、δA（ｉ）及びδB（ｉ）の設定は、これに限ったものではない。例えば、位相変更の値Ａ（ｙA（ｉ））、位相変更の値Ｂ（ｙB（ｉ））のそれぞれが、周期的、または規則的に変化し、且つ、位相変更の値Ａと位相変更の値Ｂとの差（ｙA（ｉ）／ｙB（ｉ））が周期的、または規則的に変化する方法でもよい。
【０２６９】
信号処理部１０６が、挿入部２０７Ａ、２０７Ｂの前段に、重み付け合成後の信号２０４Ａに対して位相変更を施して位相変更後の信号２０６Ａを生成する位相変更部２０５Ａ＿２を備え、重み付け合成後の信号２０４Ｂに対して位相変更を施して位相変更後の信号２０６Ｂを生成する位相変更部２０５Ｂ＿２の両方を備えない構成とした場合、挿入部２０７Ａ、２０７Ｂに入力される位相変更後の信号２０６Ａ（ｚ１（ｉ））、重み付け合成後の信号２０４Ｂ（ｚ２（ｉ））は、例えば、式（３）及び式（３７）から式（４５）における
【０２７０】
【数４９】
2020080441.tif 000051
を、
【０２７１】
【数５０】
2020080441.tif 000052
へと置き換える第２の置き換えを行った置き換え後の式のいずれかで表される。式（３）及び式（３７）から式（４５）に対して上述した第２の置き換えを行った置き換え後の式は、本願の明細書において式（３）及び式（３７）から式（４５）のいずれかを用いて説明した全ての構成に対し、その変形例を表す式として適用可能である。
【０２７２】
位相変更の値ｙ（ｉ）は、例えば、式（２）で表される。ただし、位相変更の値ｙ（ｉ）の設定方法は、式（２）に限ったものではなく、例えば、周期的、規則的に位相を変更するような方法が考えられる。
なお、実施の形態１において、マッピング後の信号２０１Ａ（ｓ１（ｉ））の変調方式がＱＰＳＫであり、マッピング後の信号２０１Ｂ（ｓ２（ｉ））の変調方式が１６ＱＡＭであるとき、式（３７）におけるｕとｖの値を、
【０２７３】
【数５１】
2020080441.tif 000053
【０２７４】
【数５２】
2020080441.tif 000054
または、
【０２７５】
【数５３】
2020080441.tif 000055
【０２７６】
【数５４】
2020080441.tif 000056
に設定することで、受信装置が良好なデータの受信品質を得ることができることを説明した。しかし、マッピング後の信号２０１Ａ（ｓ１（ｉ））の変調方式がＱＰＳＫであり、マッピング後の信号２０１Ｂ（ｓ２（ｉ））の変調方式が１６ＱＡＭであるときに受信装置が良好なデータの受信品質を得ることができるｕとｖの値の設定の例は、式（５１）と式（５２）の組み合わせ及び式（５３）と式（５４）の組み合わせに限定されない。
【０２７７】
一例として、誤り訂正符号化部１０２が符号化データ１０３を生成するために用いる誤り訂正符号化方式として、第１の誤り訂正符号化方式と第１の誤り訂正符号化方式とは符号化率または符号長のいずれか一方または両方が異なる第２の誤り訂正符号化方式を選択可能な場合について説明する。マッピング部１０４は、マッピング後の信号２０１Ａ（ｓ１（ｉ））の生成に第１の変調方式を用い、マッピング後の信号２０１Ｂ（ｓ２（ｉ））の生成に第１の変調方式とは異なる第２の変調方式を用いる。ここで、信号処理部１０６は、誤り訂正符号化方式として第１の誤り訂正符号化方式を用い、変調方式の組み合わせとして第１の変調方式と第２の変調方式を用いる場合には、式（３７）におけるｕとｖの値として、それぞれｕ1とｖ1を用いる。また、信号処理部１０６は、誤り訂正符号化方式として第２の誤り訂正符号化方式を用い、変調方式の組み合わせとして第１の変調方式と第２の変調方式を用いる場合には、式（３７）におけるｕとｖの値として、それぞれｕ2とｖ2を用いる。このとき、ｕ1とｖ1の比がｕ2とｖ2の比と異なる場合に、ｕ1とｖ1の比がｕ2とｖ2の比と等しい場合と比較して、受信装置が良好なデータの受信品質を得られる可能性がある。
【０２７８】
なお、上記説明では誤り訂正符号化部１０２が符号化データ１０３を生成するために用いる誤り訂正符号化方式の符号化率または符号長のうちのいずれか一方または両方が異なる場合に、式（３７）におけるｕの値とｖの値の比を異ならせる場合について説明したが、誤り訂正符号化方式の符号化率または符号長以外の条件に基づいて、ｕの値とｖの値の比を変化させてもよい。例えば、信号処理部１０６は、第１の変調方式及び第２の変調方式として用いる変調方式の組み合わせに応じてｕの値とｖの値の比を変化させてもよい。さらに別の一例として、信号処理部１０６は、誤り訂正符号化方式が等しく、且つ第１の変調方式及び第２の変調方式として用いる変調方式の組み合わせが等しい場合であっても、シングルキャリア方式の変調信号を送信する場合とＯＦＤＭ方式のようなマルチキャリア方式の変調信号を送信する場合とで、ｕの値とｖの値の比を変化させてもよい。この構成により、受信装置が良好なデータの受信品質を得られる可能性がある。
【産業上の利用可能性】
【０２７９】
本開示は、シングルキャリア方式、及び／又は、マルチキャリア方式を用いた無線通信システムにおいて、適用可能である。
【符号の説明】
【０２８０】
１００  制御信号
１０１  データ
１０２  誤り訂正符号化部
１０３  符号化データ
１０４  マッピング部
１０５＿１，１０５＿２  ベースバンド信号
１０６  信号処理部
１０６＿Ａ，１０６＿Ｂ  信号処理後の信号
１０７＿Ａ，１０７＿Ｂ  無線部
１０８＿Ａ，１０８＿Ｂ  送信信号
１０９＿Ａ，１０９＿Ｂ  アンテナ部
【図１】
2020080441.tif 000061
【図２】
2020080441.tif 000062
【図３】
2020080441.tif 000063
【図４】
2020080441.tif 000064
【図５】
2020080441.tif 000065
【図６】
2020080441.tif 000066
【図７】
2020080441.tif 000067
【図８】
2020080441.tif 000068
【図９】
2020080441.tif 000069
【図１０】
2020080441.tif 000070
【図１１】
2020080441.tif 000071
【図１２】
2020080441.tif 000072
【図１３】
2020080441.tif 000073
【図１４】
2020080441.tif 000074
【図１５】
2020080441.tif 000075
【図１６】
2020080441.tif 000076
【図１７】
2020080441.tif 000077
【図１８】
2020080441.tif 000078
【図１９】
2020080441.tif 000079
【図２０】
2020080441.tif 000080
【図２１】
2020080441.tif 000081
【図２２】
2020080441.tif 000082
【図２３】
2020080441.tif 000083